(57)【要約】【課題】形成位置の異なる穴を備えた複数のカードを重ねて設置した場合に於いても、タッチパネル等の入力装置に於ける所定領域を押圧可能な情報取得システムを提供することにある。【解決手段】所定領域に形成された貫通孔３ｂの数と形成位置によって第１情報が符号化され記録された第１情報記録カード３ｘと、所定領域に形成された貫通孔３ｂの数と形成位置によって第２情報が符号化され記録された第２情報記録カード３ｙと、押圧位置を検出可能なタッチパネル９と、所定のデータを記憶するメモリ１２と、タッチパネル９による検出結果に基づいて押圧位置の座標データを形成し、該座標データに所定の処理を施すことによって復号データを形成し、該復号データを用いて第１情報及び第２情報の少なくとも何れかを取得してメモリ１２に記憶させるＣＰＵ１６と、を備える情報取得システム１。【選択図】      図１
2006277051.tif 000002
【特許請求の範囲】
【請求項１】
第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域において前記第１貫通孔の形成位置に対応する位置には貫通孔が形成されておらず、前記第３貫通孔の数及び形成位置を用いて第２情報が符号化された第２情報記録カードと、を有する情報記録カードセットと、
前記情報記録カードセットに形成された前記貫通孔の形成位置を検出する検出手段と、
所定のデータを記憶する記憶手段と、
前記検出手段によって検出された前記第１貫通孔の形成位置に基づいて第１座標データを形成し、前記第１座標データを用いて、所定の処理を施すことによって第１復号データを形成し、前記第１復号データを用いて前記第１情報を取得し、前記記憶部に記憶させる第１制御部と、
前記検出手段によって検出された前記第３貫通孔の形成位置に基づいて第２座標データを形成し、前記第２座標データを用いて、所定の処理を施すことによって第２復号データを形成し、前記第２復号データを用いて前記第２情報を取得し、前記記憶部に記憶させる第２制御部と、
を備えることを特徴とする情報取得システム。
【請求項２】
第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び位置に対応する貫通孔を含む第４貫通孔が形成され、前記第３貫通孔の数及び形成位置を用いて第２情報が符号化された第２情報記録カードと、を有する情報記録カードセットと、
前記情報記録カードセットに形成された前記貫通孔の形成位置を検出する検出手段と、
所定のデータを記憶する記憶手段と、
前記検出手段によって検出された前記第１貫通孔の形成位置に基づいて第１座標データを形成し、前記第１座標データを用いて、所定の処理を施すことによって第１復号データを形成し、前記第１復号データを用いて前記第１情報を取得し、前記記憶部に記憶させる第１制御部と、
前記検出手段によって検出された前記第３貫通孔の形成位置に基づいて第２座標データを形成し、前記第２座標データを用いて、所定の処理を施すことによって第２復号データを形成し、前記第２復号データを用いて前記第２情報を取得し、前記記憶部に記憶させる第２制御部と、を備えることを特徴とする情報取得システム。
【請求項３】
前記第２制御部は、前記第１復号データが形成された場合に、前記第２復号データを用いて前記第２情報を取得することを特徴とする、請求項１乃至２の何れか１つに記載の情報取得システム。
【請求項４】
前記検出手段は、押圧位置を検出可能なタッチパネルであることを特徴とする、請求項１乃至３の何れか一つに記載の情報取得システム。
【請求項５】
前記検出手段は光感知装置であり、
前記光感知装置は、前記第１情報記録カード、及び、第２情報記録カードの少なくとも何れかに光を出力する発光手段と、前記発光手段からの光が前記第１情報記録カード、及び、前記第２情報記録カードの少なくとも何れかを透過する透過光、若しくは、前記第１情報記録カード、及び、前記第２情報記録カードの少なくとも何れかを反射する反射光、を検出する光検出手段を有することを特徴とする、請求項１乃至３の何れか一つに記載の情報取得システム。
【請求項６】
前記情報取得システムは、さらに、前記検出手段に前記第１情報記録カードと前記第２情報記録カードを重ねて設置するためのカード設置補助具を備えることを特徴とする、請求項１乃至５の何れか１つに記載の情報取得システム。
【請求項７】
１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、
前記第２領域に対応し、前記第２貫通孔の一部の形成位置に対応するように第３貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、
前記第１領域に対応し、前記第１貫通孔の形成位置に対応する位置には貫通孔が形成されていない第４領域と、を備えることを特徴とする第２情報記録カード。
【請求項８】
貫通孔が形成されていない第１領域と、１つ以上の第１貫通孔が形成された第２領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第２領域と、を備えることを特徴とする第１情報記録カードと共に用いられる第２情報記録カードであって、
前記第２領域に対応し、少なくとも前記第１貫通孔のすべての形成位置に対応する第２貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、
前記第１領域に対応し、１つ以上の第３貫通孔が形成された第４領域と、を備えることを特徴とする、第２情報記録カード。
【請求項９】
１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、
前記第２領域に対応し、前記第２貫通孔の一部の形成位置に対応するように第３貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、
前記第１領域に対応し、少なくとも前記第１貫通孔のすべての形成位置に対応する第４貫通孔が形成された第４領域と、を備えることを特徴とする第２情報記録カード。
【請求項１０】
１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、
前記第２領域に対応し、前記第２貫通孔の一部の数及び形成位置に対応するように、前記第２貫通孔を貫通可能な突起部が形成された第３領域であって、前記突起部の数及び形成位置を用いて第２情報が符号化され、前記検出手段によって検出された前記突起部の数及び形成位置に基づいて第２座標データが形成され、前記第２座標データを用いて所定の処理を施すことによって第２復号データが形成され、前記第２復号データを用いて前記第２情報が取得される第３領域と、
前記第１領域に対応し、前記第１貫通孔の形成位置に対応する位置には貫通孔が形成されていない第４領域と、を備えることを特徴とする第２情報記録カード。
【請求項１１】
貫通孔が形成されていない第１領域と、１つ以上の突起部が形成された第２領域であって、前記突起部の数及び形成位置を用いて第１情報が符号化され、検出手段によって検出された前記突起部の数及び形成位置に基づいて第１座標データが形成され、前記第１座標データを用いて所定の処理を施すことによって第１復号データを形成され、前記第１復号データを用いて前記第１情報が取得される第２領域と、を備えることを特徴とする第１情報記録カードと共に用いられる第２情報記録カードであって、
前記第２領域に対応し、少なくとも前記突起部のすべての形成位置に対応し、前記突起部によって貫通可能な第１貫通孔が形成された第３領域と、
前記第１領域に対応し、１つ以上の第２貫通孔が形成された第４領域であって、前記第２貫通孔の数及び形成位置を用いて第２情報が符号化され、前記検出手段によって検出された前記第２貫通孔の数及び形成位置に基づいて第２座標データが形成され、前記第２座標データを用いて所定の処理を施すことによって第２復号データが形成され、前記第２復号データを用いて前記第２情報が取得される第４領域と、を備えることを特徴とする第２情報記録カード。
【請求項１２】
第１領域に１つ以上の第１貫通孔が形成され、第２領域に１つ以上の第２貫通孔が形成され、前記第１貫通孔の数及び形成位置を用いて第１情報が符号化された第１情報記録カードの前記第１貫通孔の形成位置、及び、前記第２領域に対応する第３領域に、前記第２貫通孔の一部の数と形成位置に対応するように第３貫通孔が形成され、前記第３貫通孔の数及び形成位置を用いて第２情報が符号化された第２情報記録カードに設置された第３貫通孔の形成位置の少なくとも何れかを検出する検出手段と、
前記検出手段による検出結果に基づいて、前記第１貫通孔の形成位置、及び、前記第３貫通孔の形成位置の少なくとも何れかに関する座標データを形成する座標データ形成手段と、
前記座標データを用いて所定の処理を施すことによって、前記第１貫通孔の数及び形成位置を用いて符号化された前記第１情報を復号化するための第１復号データを形成し、前記第３貫通孔の数及び形成位置を用いて符号化された前記第２情報を復号化するための第２復号データを形成する復号データ形成手段と、
前記第１復号データによって、前記第１貫通孔の数及び形成位置を用いて符号化された前記第１情報を出力し、前記第１復号データが形成された場合に、第２復号データによって、前記第３貫通孔の数及び形成位置を用いて符号化された前記第２情報を出力するデータ出力手段として、コンピュータを機能させることを特徴とするプログラム。
【請求項１３】
第１領域に１つ以上の貫通孔が形成され、第２領域に１つ以上の第２貫通孔が形成され、前記第１貫通孔の数及び形成位置を用いて第１情報が符号化された第１情報記録カードから、検出手段が前記第１貫通孔の形成位置を検出する第１検出段階と、
制御手段が、前記検出された第１貫通孔の数及び形成位置に基づいて第１座標データを形成し、前記第１座標データを用いて所定の処理を施すことによって第１復号データを形成し、前記第１復号データを用いて前記第１情報を取得し、前記第１情報を記憶手段に記憶させる第１情報取得段階と、
前記第２領域対応する第３領域に、前記第２貫通孔の一部の数及び形成位置に対応するように第３貫通孔が形成され、前記第１領域に対応する第４領域において前記第１貫通孔の形成位置に対応する位置には貫通孔が形成されておらず、前記第３貫通孔の数及び形成位置を用いて第２情報が符号化された第２情報記録カードを、前記第１情報記録カードに重ねた状態で、前記検出手段が前記第３貫通孔の形成位置を検出する第２検出手段と、
前記制御手段が検出された前記第３貫通孔の形成位置に基づいて第２座標データを形成し、前記第２座標データを用いて所定の処理を施すことによって第２復号データを形成し、前記第２復号データを用いて前記第２情報を取得し、前記第２情報を前記記憶手段に記憶させる第２情報取得段階と、を含むことを特徴とする情報取得方法。
【請求項１４】
第１領域に１つ以上の第１貫通孔が形成され、第２領域に１つ以上の第２貫通孔が形成され、前記第１貫通孔の数及び形成位置を用いて第１情報が符号化された第１情報記録カードから、検出手段が前記第１貫通孔の形成位置を検出する第１検出段階と、
制御手段が、前記検出された第１貫通孔の数及び形成位置に基づいて第１座標データを形成し、前記第１座標データを用いて所定の処理を施すことによって第１復号データを形成し、前記第１復号データを用いて前記第１情報を取得し、前記第１情報を記憶手段に記憶させる第１情報取得段階と、
前記第２領域に対応する第３領域に、前記第２貫通孔の一部の数及び形成位置に対応するように第３貫通孔が形成され、前記第１領域に対応する第４領域に前記第１貫通孔の数及び形成位置に対応する貫通孔を含む第４貫通孔が形成され、前記第３貫通孔の数及び形成位置を用いて第２情報が符号化された第２情報記録カードを、前記第１情報記録カードに重ねた状態で、前記検出手段が前記第３貫通孔の形成位置を検出する第２検出段階と、
前記制御手段が検出された前記第３貫通孔の数及び形成位置に基づいて第２座標データを形成し、前記第２座標データを用いて所定の処理を施すことによって第２復号データを形成し、前記第２復号データを用いて前記第２情報を取得し、前記第２情報を前記記憶手段に記憶させる第２情報取得段階と、を含むことを特徴とする情報取得方法。
【請求項１５】
第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び位置を含み、前記第１貫通孔の数よりも多くなるように第４貫通孔が形成され、前記第３貫通孔の数及び形成位置を用いて第２情報が符号化された第２情報記録カードと、を重ねた状態で、検出手段が前記第１貫通孔の数及び形成位置、及び、第３貫通孔の数及び形成位置を検出する検出段階と、
制御手段が、前記検出された第１貫通孔の数及び形成位置、及び、前記検出された第３貫通孔の数及び形成位置に基づいて、それぞれの座標データを形成し、前記それぞれの座標データを用いて所定の処理を施すことによって、それぞれの復号データを形成し、前記それぞれの復号データを用いて前記第１及び第２情報を取得し、前記第１及び第２情報を前記記憶手段に記憶させる情報取得段階と、を含むことを特徴とする情報取得方法。
【請求項１６】
第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び形成位置を含み、前記第１貫通孔の数よりも多くなるように第４貫通孔が形成され、前記第３貫通孔の数及び形成位置を用いて第２情報が符号化された第２情報記録カードと、を重ねた状態で、検出手段が前記第１貫通孔の数及び形成位置、及び、３貫通孔の数及び形成位置を検出する検出段階と、
制御手段が、前記検出された第１貫通孔の数及び形成位置、及び、前記検出された第３貫通孔の数及び形成位置に基づいてそれぞれの座標データを形成し、前記それぞれの座標データを用いて所定の処理を施すことによって、それぞれの復号データを形成し、前記それぞれの復号データの両方を用いて前記第２情報を取得し、前記第２情報を前記記憶手段に記憶させる情報取得段階と、を含むことを特徴とする情報取得方法。
【発明の詳細な説明】
【技術分野】
【０００１】
本発明は、所定の情報を符号化し記録した情報記録カード、該情報記録カードに符号化され記録された所定の情報を復号化するための情報取得プログラム、及び、該情報記録カードと該情報取得プログラムを実行する電子機器を備えた情報取得システムに関する。
【背景技術】
【０００２】
従来から、表示画面上にタッチパネルを設置した入力装置が広く普及している。一般に、こうした入力装置は、表示画面上の所定領域に所定操作機能を表示し、該表示画面上に設置されたタッチパネル上に於いて、該表示画面上の所定操作機能が表示された領域に対応する領域（機能領域）が押圧された場合、所定の操作機能が実行される。
【０００３】
このように、タッチパネルを入力装置として使用する際に、タッチパネル上の機能領域のみを選択することが出来るようにする方法として、種種の発明が提案されている。例えば、特許文献１には、表示画面と、該表示画面上に重ねて設置されたタッチパネルと、タッチパネル上の機能領域に対応する領域と同一位置に穴が形成された型板を備える機器操作装置について記載されている。該機器操作装置では、タッチパネル上に型板が設置され、型板に形成された穴を介してタッチパネルが押圧されることによって、所定の操作機能が実行される。
【特許文献１】特開２００３−６７１１９号公報
【発明の開示】
【発明が解決しようとする課題】
【０００４】
上述の通り、特許文献１に記載の機器操作装置に於いては、型板をタッチパネル上に設置することによって、該型板に形成された穴に対応するタッチパネル上の領域のみを選択的に押圧することが可能となる。また、形成位置の異なる穴を有する型板を該タッチパネル上に設置した場合、押圧可能な領域を変更することが出来る。しかし、このような形成位置の異なる穴を備えた複数の型板を用いてタッチパネルを押圧する場合、ユーザは押圧位置の変更毎に型板を個別に設置し直す必要があり、該型板の設置作業は非常に煩わしいものとなる。
【０００５】
したがって、本発明の目的は、形成位置の異なる穴を備えた複数のカードを重ねて設置した場合に於いても、タッチパネル等の入力装置に於ける所定領域を押圧可能な情報取得システムを提供することにある。
【課題を解決するための手段】
【０００６】
第１発明に係る情報取得システムは、第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域において前記第１貫通孔の形成位置に対応する位置には貫通孔が形成されておらず、前記第３貫通孔の数及び形成位置を用いて第２情報が符号化された第２情報記録カードと、を有する情報記録カードセットと、前記情報記録カードセットに形成された前記貫通孔の形成位置を検出する検出手段と、所定のデータを記憶する記憶手段と、前記検出手段によって検出された前記第１貫通孔の形成位置に基づいて第１座標データを形成し、前記第１座標データを用いて、所定の処理を施すことによって第１復号データを形成し、前記第１復号データを用いて前記第１情報を取得し、前記記憶部に記憶させる第１制御部と、前記検出手段によって検出された前記第３貫通孔の形成位置に基づいて第２座標データを形成し、前記第２座標データを用いて、所定の処理を施すことによって第２復号データを形成し、前記第２復号データを用いて前記第２情報を取得し、前記記憶部に記憶させる第２制御部と、を備えることを特徴とする。
【０００７】
この情報取得システムによれば、第１情報記録カード上に第２情報記録カードを重ねた場合、第２情報記録カード上に第１情報記録カードを重ねた場合の何れの場合に於いても、第２情報記録カードの３貫通孔が第１情報記録カードの第２貫通孔の何れかに一致するため、第３貫通孔の形成位置を検出手段が正しく検出することが可能である。
【０００８】
また、この情報取得システムによれば、第２情報記録カードの第４領域に於いて、第１情報記録カードの第１領域に形成された第１貫通孔に対応する貫通孔が形成されていないので、第１情報記録カード上に第２情報記録カードを重ねた場合、第２情報記録カード上に第１情報記録カードを重ねた場合の何れの場合に於いても、第１貫通孔の位置を検出手段によって検出させないようにすることが出来る。即ち、この情報取得システムによれば、第１貫通孔の形成位置の検出に基づく第１情報の取得処理の実行を、第１情報記録カードを単独で使用した場合に制限することが出来る。
【０００９】
第２発明に係る情報取得システムは、第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び位置に対応する貫通孔を含む第４貫通孔が形成され、前記第３貫通孔の数及び形成位置を用いて第２情報が符号化された第２情報記録カードと、を有する情報記録カードセットと、前記情報記録カードセットに形成された前記貫通孔の形成位置を検出する検出手段と、所定のデータを記憶する記憶手段と、前記検出手段によって検出された前記第１貫通孔の形成位置に基づいて第１座標データを形成し、前記第１座標データを用いて、所定の処理を施すことによって第１復号データを形成し、前記第１復号データを用いて前記第１情報を取得し、前記記憶部に記憶させる第１制御部と、前記検出手段によって検出された前記第３貫通孔の形成位置に基づいて第２座標データを形成し、前記第２座標データを用いて、所定の処理を施すことによって第２復号データを形成し、前記第２復号データを用いて前記第２情報を取得し、前記記憶部に記憶させる第２制御部と、を備えることを特徴とする。
【００１０】
この情報取得システムによれば、第１情報記録カード上に第２情報記録カードを重ねた場合、及び、第２情報記録カード上に第１情報記録カードを重ねた場合の何れの場合に於いても、第１情報記録カードに形成された第１貫通孔が第２情報記録カードに形成された第４貫通孔の何れかに一致し、また、第２情報記録カードに形成された第３貫通孔が第１情報記録カードに形成された第２貫通孔の何れかに一致するため、第１貫通孔、及び、第３貫通孔の形成位置を検出手段が正しく検出することが可能である。即ちこれら２つの情報記録カードを重ねた状態で符号化された情報を取得することが出来る。
【００１１】
第３発明に係る情報取得システムは、第１乃至第２発明の何れか１つに係る情報取得システムに於いて、前記第２制御部は、前記第１復号データが形成された場合に、前記第２復号データを用いて前記第２情報を取得することを特徴とする。
【００１２】
この情報取得システムによれば、第１復号データが形成されたことを前提に、第２復号データを用いて第２情報を取得することが可能となる。したがって、第２復号データを単独に用いて第２情報を取得することを制限することが出来る。
【００１３】
第４発明に係る情報取得システムは、第１乃至第３発明の何れか１つに係る情報取得システムに於いて、前記検出手段は、押圧位置を検出可能なタッチパネルであることを特徴とする。
【００１４】
この情報取得システムによれば、情報記録カードセットのそれぞれの情報記録カードに形成された貫通孔を介してタッチパネルを押圧することによって、貫通孔の形成位置を検出することが出来るので、非常に汎用性が高い。
【００１５】
第５発明に係る情報取得システムは、第１乃至第３発明の何れか１つに係る情報取得システムに於いて、前記検出手段は光感知装置であり、前記光感知装置は、前記第１情報記録カード、及び、第２情報記録カードの少なくとも何れかに光を出力する発光手段と、前記発光手段からの光が前記第１情報記録カード、及び、前記第２情報記録カードの少なくとも何れかを透過する透過光、若しくは、前記第１情報記録カード、及び、前記第２情報記録カードの少なくとも何れかを反射する反射光、を検出する光検出手段を有することを特徴とする。
【００１６】
この情報取得システムによれば、情報記録カードセットのそれぞれの情報記録カードに設けられた貫通孔の形成位置を、光感知装置によって検出することが可能であるので、汎用性が高い。
【００１７】
第６発明に係る情報取得システムは、第１乃至第５発明の何れか１つに係る情報取得システムに於いて、さらに、前記検出手段に前記第１情報記録カードと前記第２情報記録カードを重ねて設置するためのカード設置補助具を備えることを特徴とする。
【００１８】
この情報取得システムによれば、カード設置補助具を使用することによって、検出手段に複数の情報記録カードセットを重ねた場合に於いても、情報記録カードの重なりにズレが生じ、検出装置が情報記録カードに形成された貫通孔の形成位置を誤って検出することを防止することが出来る。
【００１９】
第７発明に係る第２情報記録カードは、１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、前記第２領域に対応し、前記第２貫通孔の一部の形成位置に対応するように第３貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、前記第１領域に対応し、前記第１貫通孔の形成位置に対応する位置には貫通孔が形成されていない第４領域と、を備えることを特徴とする。
【００２０】
この第２情報記録カードによれば、第１情報記録カード上に第２情報記録カードを重ねた場合、第２情報記録カード上に第１情報記録カードを重ねた場合の何れの場合に於いても、第２情報記録カードの３貫通孔が第１情報記録カードの第２貫通孔の何れかに一致するため、第３貫通孔の形成位置を検出手段が正しく検出することが可能である。
【００２１】
また、この第２情報記録カードによれば、第２情報記録カードの第４領域に於いて、第１情報記録カードの第１領域に形成された第１貫通孔に対応する貫通孔が形成されていないので、第１情報記録カード上に第２情報記録カードを重ねた場合、第２情報記録カード上に第１情報記録カードを重ねた場合の何れの場合に於いても、第１貫通孔の位置を検出手段によって検出させないようにすることが出来る。即ち、この第２情報記録カードによれば、第１貫通孔の形成位置の検出に基づく第１情報の取得処理の実行を、第１情報記録カードを単独で使用した場合に制限することが出来る。
【００２２】
第８発明に係る第２情報記録カードは、貫通孔が形成されていない第１領域と、１つ以上の第１貫通孔が形成された第２領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第２領域と、を備えることを特徴とする第１情報記録カードと共に用いられる第２情報記録カードであって、前記第２領域に対応し、少なくとも前記第１貫通孔のすべての形成位置に対応する第２貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、前記第１領域に対応し、１つ以上の第３貫通孔が形成された第４領域と、を備えることを特徴とする。
【００２３】
この第２情報記録カードによれば、第１情報記録カード上に第２情報記録カードを重ねた場合、第２情報記録カード上に第１情報記録カードを重ねた場合の何れの場合に於いても、第２情報記録カードに形成された２貫通孔の形成位置が、第１情報記録カードに形成された第１貫通孔の形成位置を含むので、第１貫通孔の形成位置を検出手段が正しく検出することが可能である。
【００２４】
また、この第２情報記録カードによれば、第１情報記録カード１の第１領域に対応する第２情報記録カードの第４領域に於いて、第３貫通孔が形成され、該第３貫通孔の数と形成位置を用いて第２情報が符号化されている。したがって、第１情報記録カード上に第２情報記録カードを重ねた場合、第２情報記録カード上に第１情報記録カードを重ねた場合の何れの場合に於いても、第３貫通孔の位置を検出手段によって検出させないようにすることが出来る。即ち、この第２情報記録カードによれば、第３貫通孔の形成位置の検出に基づく第２情報の取得処理の実行を、第２情報記録カードを単独で使用した場合に制限することが出来る。
【００２５】
第９発明に係る第２情報記録カードは、１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、前記第２領域に対応し、前記第２貫通孔の一部の形成位置に対応するように第３貫通孔が形成された第３領域であって、前記第３貫通孔の数及び形成位置を用いて第２情報が符号化され、前記検出手段によって検出された前記第３貫通孔の数及び形成位置に基づいて第２座標データが形成され、前記第２座標データを用いて所定の処理を施すことによって第２復号データが形成され、前記第２復号データを用いて前記第２情報が取得される第３領域と、前記第１領域に対応し、少なくとも前記第１貫通孔のすべての形成位置に対応する第４貫通孔が形成された第４領域と、を備えることを特徴とする。
【００２６】
この第２情報記録カードによれば、第１情報記録カード上に第２情報記録カードを重ねた場合、及び、第２情報記録カード上に第１情報記録カードを重ねた場合の何れの場合に於いても、第１情報記録カードに形成された第１貫通孔が第２情報記録カードに形成された第４貫通孔の何れかに一致し、また、第２情報記録カードに形成された第３貫通孔が第１情報記録カードに形成された第２貫通孔の何れかに一致するため、第１貫通孔、及び、第３貫通孔の形成位置を検出手段が正しく検出することが可能である。即ち、これら２つの情報記録カードを重ねた状態で、符号化された情報を検出手段で取得することが出来る。
【００２７】
第１０発明に係る第２情報記録カードは、１つ以上の第１貫通孔が形成された第１領域であって、前記第１貫通孔の数及び形成位置を用いて第１情報が符号化され、検出手段によって検出された前記第１貫通孔の数及び形成位置に基づいて第１座標データが形成され、前記第１座標データを用いて所定の処理を施すことによって第１復号データを形成され、前記第１復号データを用いて前記第１情報が取得される第１領域と、１つ以上の第２貫通孔が形成された第２領域と、を備えることを特徴とする第１情報記録カードと共に用いられる第２情報記録カードであって、前記第２領域に対応し、前記第２貫通孔の一部の数及び形成位置に対応するように、前記第２貫通孔を貫通可能な突起部が形成された第３領域であって、前記突起部の数及び形成位置を用いて第２情報が符号化され、前記検出手段によって検出された前記突起部の数及び形成位置に基づいて第２座標データが形成され、前記第２座標データを用いて所定の処理を施すことによって第２復号データが形成され、前記第２復号データを用いて前記第２情報が取得される第３領域と、前記第１領域に対応し、前記第１貫通孔の形成位置に対応する位置には貫通孔が形成されていない第４領域と、を備えることを特徴とする。
【００２８】
この第２情報記録カードによれば、第２情報記録カードの第３領域に形成された突起部の形成位置が、第１情報記録カードの第２領域に形成された第２貫通孔の形成位置に含まれるので、第１情報記録カード上に第２情報記録カードを重ねた状態で、第２貫通孔を介して突起部を貫通させることが出来る。即ち、第１情報記録カード上に第２情報記録カードを重ねた状態で、第２情報の取得処理を実行することが可能となる。
【００２９】
また、この第２情報記録カードによれば、貫通孔を備える第１情報記録カードと共に、突起部を備えた第２情報記録カードを使用することによって、貫通孔のみが形成された情報記録カード、及び、突起部のみが形成された情報記録カードを、単独で使用する場合に比して、視覚的な単調さを排除することができ、ユーザの情報記録カードに対する視覚的変化をもたらすことが出来る。
【００３０】
また、この第２情報記録カードによれば、第１情報記録カードとともに第２情報記録カードを使用して、情報取得処理を実行する場合、ユーザは第１情報記録カードに形成された第２貫通孔に第２情報記録カードに形成された突起部を貫通させる手順を踏む必要があるので、ユーザを情報記録カードの情報取得処理に積極的に参加させることが出来る。
【００３１】
また、この第２情報記録カードによれば、検出手段がタッチパネルの場合には、情報記録カードの情報入力処理を実行する際に、第１情報記録カードに形成された貫通孔の形成位置の検出は、該貫通孔を介してタッチパネルを押圧することによって実現され、第２情報記録カードに形成された突起部の形成位置の検出は、第２情報記録カードをタッチパネルに押圧することによって実現される。したがって、ユーザは２種類の情報入力操作を実行することが可能となり、情報取得処理の単調さを排除することが出来る。
【００３２】
第１１発明に係る第２情報記録カードは、貫通孔が形成されていない第１領域と、１つ以上の突起部が形成された第２領域であって、前記突起部の数及び形成位置を用いて第１情報が符号化され、検出手段によって検出された前記突起部の数及び形成位置に基づいて第１座標データが形成され、前記第１座標データを用いて所定の処理を施すことによって第１復号データを形成され、前記第１復号データを用いて前記第１情報が取得される第２領域と、を備えることを特徴とする第１情報記録カードと共に用いられる第２情報記録カードであって、前記第２領域に対応し、少なくとも前記突起部のすべての形成位置に対応し、前記突起部によって貫通可能な第１貫通孔が形成された第３領域と、前記第１領域に対応し、１つ以上の第２貫通孔が形成された第４領域であって、前記第２貫通孔の数及び形成位置を用いて第２情報が符号化され、前記検出手段によって検出された前記第２貫通孔の数及び形成位置に基づいて第２座標データが形成され、前記第２座標データを用いて所定の処理を施すことによって第２復号データが形成され、前記第２復号データを用いて前記第２情報が取得される第４領域と、を備えることを特徴とする。
【００３３】
この第２情報記録カードによれば、第１情報記録カードの第２領域に形成された突起部の形成位置が、第２情報記録カードの第３領域に形成された第１貫通孔の形成位置に含まれるので、第２情報記録カード上に第１情報記録カードを重ねた状態で、第１貫通孔を介して突起部を貫通させることが出来る。即ち、第２情報記録カード上に第１情報記録カードを重ねた状態で、第１情報の取得処理を実行することが可能となる。
【００３４】
また、この第２情報記録カードによれば、突起部を備えた第１情報記録カードと共に、貫通孔を備えた第２情報記録カードを使用することによって、突起部のみが形成された情報記録カード、及び、貫通孔のみが形成された情報記録カードを、単独で使用する場合に比して、視覚的な単調さを排除することができ、ユーザの情報記録カードに対する視覚的変化をもたらすことが出来る。
【００３５】
また、この第２情報記録カードによれば、第１情報記録カードとともに第２情報記録カードを使用して、情報取得処理を実行する場合、ユーザは第２情報記録カードに形成された第１貫通孔に第１情報記録カードに形成された突起部を貫通させる手順を踏む必要があるので、ユーザを情報記録カードの情報取得処理に積極的に参加させることが出来る。
【００３６】
また、この第２情報記録カードによれば、検出手段がタッチパネルの場合には、情報記録カードの情報入力処理を実行する際に、第１情報記録カードに形成された突起部の形成位置の検出は、第１情報記録カードをタッチパネルに押圧することによって実現され、第２情報記録カードに形成された貫通孔の形成位置の検出は、該貫通孔を介してタッチパネルを押圧することによって実現される。したがって、ユーザは２種類の情報入力操作を実行することが可能となり、情報取得処理の単調さを排除することが出来る。
【００３７】
第１２発明に係るプログラムは、第１領域に１つ以上の第１貫通孔が形成され、第２領域に１つ以上の第２貫通孔が形成され、前記第１貫通孔の数及び形成位置を用いて第１情報が符号化された第１情報記録カードの前記第１貫通孔の形成位置、及び、前記第２領域に対応する第３領域に、前記第２貫通孔の一部の数と形成位置に対応するように第３貫通孔が形成され、前記第３貫通孔の数及び形成位置を用いて第２情報が符号化された第２情報記録カードに設置された第３貫通孔の形成位置の少なくとも何れかを検出する検出手段と、前記検出手段による検出結果に基づいて、前記第１貫通孔の形成位置、及び、前記第３貫通孔の形成位置の少なくとも何れかに関する座標データを形成する座標データ形成手段と、前記座標データを用いて所定の処理を施すことによって、前記第１貫通孔の数及び形成位置を用いて符号化された前記第１情報を復号化するための第１復号データを形成し、前記第３貫通孔の数及び形成位置を用いて符号化された前記第２情報を復号化するための第２復号データを形成する復号データ形成手段と、前記第１復号データによって、前記第１貫通孔の数及び形成位置を用いて符号化された前記第１情報を出力し、前記第１復号データが形成された場合に、第２復号データによって、前記第３貫通孔の数及び形成位置を用いて符号化された前記第２情報を出力するデータ出力手段として、コンピュータを機能させることを特徴とする。
【００３８】
このプログラムによれば、第１復号データが形成された場合に、第２復号データによって、第２情報を出力することが出来る。即ち、第１情報記録カードの第１領域に形成された第１貫通孔と、第２情報記録カードの第３領域に形成された第３貫通孔の両方の形成位置が検出手段によって検出されなければ、第２情報を出力することは出来ないように制限を加えることが出来る。
【００３９】
第１３発明に係る情報取得方法は、第１領域に１つ以上の貫通孔が形成され、第２領域に１つ以上の第２貫通孔が形成され、前記第１貫通孔の数及び形成位置を用いて第１情報が符号化された第１情報記録カードから、検出手段が前記第１貫通孔の形成位置を検出する第１検出段階と、制御手段が、前記検出された第１貫通孔の数及び形成位置に基づいて第１座標データを形成し、前記第１座標データを用いて所定の処理を施すことによって第１復号データを形成し、前記第１復号データを用いて前記第１情報を取得し、前記第１情報を記憶手段に記憶させる第１情報取得段階と、前記第２領域対応する第３領域に、前記第２貫通孔の一部の数及び形成位置に対応するように第３貫通孔が形成され、前記第１領域に対応する第４領域において前記第１貫通孔の形成位置に対応する位置には貫通孔が形成されておらず、前記第３貫通孔の数及び形成位置を用いて第２情報が符号化された第２情報記録カードを、前記第１情報記録カードに重ねた状態で、前記検出手段が前記第３貫通孔の形成位置を検出する第２検出手段と、前記制御手段が検出された前記第３貫通孔の形成位置に基づいて第２座標データを形成し、前記第２座標データを用いて所定の処理を施すことによって第２復号データを形成し、前記第２復号データを用いて前記第２情報を取得し、前記第２情報を前記記憶手段に記憶させる第２情報取得段階と、を含むことを特徴とする。
【００４０】
この情報取得方法によれば、第２情報記録カードに於いて、第１情報記録カードの第１領域に対応する第４領域に貫通孔が形成されておらず、また、第２情報記録カードの第３領域に形成された貫通孔の形成位置が第１情報記録カードの第２領域に形成された第２貫通孔の形成位置に含まれる。したがって、第１情報記録カード上に第２情報記録カードを重ねた場合、第２情報記録カードの第３領域に形成された第３貫通孔の形成位置のみを検出手段によって検出することが可能となる。
【００４１】
第１４発明に係る情報取得方法は、第１領域に１つ以上の第１貫通孔が形成され、第２領域に１つ以上の第２貫通孔が形成され、前記第１貫通孔の数及び形成位置を用いて第１情報が符号化された第１情報記録カードから、検出手段が前記第１貫通孔の形成位置を検出する第１検出段階と、制御手段が、前記検出された第１貫通孔の数及び形成位置に基づいて第１座標データを形成し、前記第１座標データを用いて所定の処理を施すことによって第１復号データを形成し、前記第１復号データを用いて前記第１情報を取得し、前記第１情報を記憶手段に記憶させる第１情報取得段階と、前記第２領域に対応する第３領域に、前記第２貫通孔の一部の数及び形成位置に対応するように第３貫通孔が形成され、前記第１領域に対応する第４領域に前記第１貫通孔の数及び形成位置に対応する貫通孔を含む第４貫通孔が形成され、前記第３貫通孔の数及び形成位置を用いて第２情報が符号化された第２情報記録カードを、前記第１情報記録カードに重ねた状態で、前記検出手段が前記第３貫通孔の形成位置を検出する第２検出段階と、前記制御手段が検出された前記第３貫通孔の数及び形成位置に基づいて第２座標データを形成し、前記第２座標データを用いて所定の処理を施すことによって第２復号データを形成し、前記第２復号データを用いて前記第２情報を取得し、前記第２情報を前記記憶手段に記憶させる第２情報取得段階と、を含むことを特徴とする。
【００４２】
この情報取得方法によれば、第２情報記録カードの第３領域に形成された貫通孔の形成位置が第１情報記録カードの第２領域に形成された第２貫通孔の形成位置に含まれる。したがって、第１情報記録カード上に第２情報記録カードを重ねた場合、第２情報記録カードの第３領域に形成された第３貫通孔の形成位置を検出手段によって検出することが可能となる。
【００４３】
また、この情報取得手段によれば、第２情報記録カードの第４領域に形成された第４貫通孔の形成位置が、第１情報記録カードの第１領域に形成された第１貫通孔の形成位置を含むので、第１情報記録カード上に第２情報記録カードを重ねた状態で、第１情報記録カードの第１領域に形成された第１貫通孔の形成位置を検出手段によって検出することが可能となる。
【００４４】
第１５発明に係る情報取得方法は、第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び位置を含み、前記第１貫通孔の数よりも多くなるように第４貫通孔が形成され、前記第３貫通孔の数及び形成位置を用いて第２情報が符号化された第２情報記録カードと、を重ねた状態で、検出手段が前記第１貫通孔の数及び形成位置、及び、第３貫通孔の数及び形成位置を検出する検出段階と、制御手段が、前記検出された第１貫通孔の数及び形成位置、及び、前記検出された第３貫通孔の数及び形成位置に基づいて、それぞれの座標データを形成し、前記それぞれの座標データを用いて所定の処理を施すことによって、それぞれの復号データを形成し、前記それぞれの復号データを用いて前記第１及び第２情報を取得し、前記第１及び第２情報を前記記憶手段に記憶させる情報取得段階と、を含むことを特徴とする。
【００４５】
この情報取得方法によれば、第１情報記録カード上に第２情報記録カードを重ねた場合、及び、第２情報記録カード上に第１情報記録カードを重ねた場合の何れの場合に於いても、第１情報記録カードに形成された第１貫通孔が第２情報記録カードに形成された第４貫通孔の何れかに一致し、また、第２情報記録カードに形成された第３貫通孔が第１情報記録カードに形成された第２貫通孔の何れかに一致するため、第１貫通孔、及び、第３貫通孔の形成位置を検出手段が正しく検出することが可能である。
【００４６】
また、この情報取得方法によれば、第１情報記録カード及び第２情報記録カードを重ねた状態で、第１情報及び第２情報を取得することが可能である。
【００４７】
第１６発明に係る情報取得方法は、第１領域に１つ以上の第１貫通孔が形成され、第２領域に１つ以上の第２貫通孔が形成され、前記第１貫通孔の数及び形成位置を用いて第１情報が符号化された第１情報記録カードと、前記第２領域に対応する第３領域に、前記第２貫通孔の一部の数及び形成位置に対応するように第３貫通孔が形成され、前記第１領域に対応する第４領域に前記第１貫通孔の数及び形成位置を含み、前記第１貫通孔の数よりも多くなるように第４貫通孔が形成され、前記第３貫通孔の数及び形成位置を用いて第２情報が符号化された第２情報記録カードと、を重ねた状態で、検出手段が前記第１貫通孔の数及び形成位置、及び、３貫通孔の数及び形成位置を検出する検出段階と、制御手段が、前記検出された第１貫通孔の数及び形成位置、及び、前記検出された第３貫通孔の数及び形成位置に基づいてそれぞれの座標データを形成し、前記それぞれの座標データを用いて所定の処理を施すことによって、それぞれの復号データを形成し、前記それぞれの復号データの両方を用いて前記第２情報を取得し、前記第２情報を前記記憶手段に記憶させる情報取得段階と、を含むことを特徴とする。
【００４８】
この情報取得方法によれば、第１情報記録カード上に第２情報記録カードを重ねた場合、及び、第２情報記録カード上に第１情報記録カードを重ねた場合の何れの場合に於いても、第１情報記録カードに形成された第１貫通孔が第２情報記録カードに形成された第４貫通孔の何れかに一致し、また、第２情報記録カードに形成された第３貫通孔が第１情報記録カードに形成された第２貫通孔の何れかに一致するため、第１貫通孔、及び、第３貫通孔の形成位置を検出手段が正しく検出することが可能である。
【００４９】
また、この情報取得方法によれば、第１情報記録カードの第１領域に形成された第１貫通孔の形成位置と、第２情報記録カードの第３領域に形成された第３貫通孔の形成位置に基づいて、それぞれの復号データを形成し、これら２つの復号データを用いて第２情報を取得する。したがって、第２情報を取得するためには、第１情報記録カード及び第２情報記録カードを重ねた状態で第２情報の取得処理を実行するように制限を加えることが出来る。
【発明の効果】
【００５０】
本発明によれば、形成された貫通孔の数と形成位置によって所定情報が符号化され記録された情報記録カードを検出手段に複数重ねた状態で、所定の貫通孔の位置を検出することが出来る。
【発明を実施するための最良の形態】
【００５１】
（１）第１実施形態
[全体構成]
図１は、本実施形態に係る情報取得システム１に関する概略構成図である。情報取得システム１は、電子機器２、情報記録カード３、入力補助具４、カードホルダ２２、及び、記録媒体１３ａを備えている。
【００５２】
電子機器２は、電源部５、操作キー６、第１表示部７、第２表示部８、タッチパネル９、スピーカ１０、マイク１１、メモリ１２、インターフェイス１３、リアルタイムクロック１４、通信ユニット１５、ＣＰＵ１６を備えており、これらがバス通信によって接続されている。
【００５３】
電源部５は、充電式の電池等の蓄電手段、電気回路を含んで構成され、電子機器２の各部に所定の電圧を供給する。なお、電源部５はＡＣアダプターを介して商用電源に接続される構成としてもよい。操作キー６は、十字キーや上下左右キー等、複数の入力キーを備えており、ユーザからの入力を受け付けてＣＰＵ１６に該入力結果を出力する。第１表示部７は、ＬＣＤや有機ＥＬ等で構成され、ＣＰＵ１６の制御により所定の画像を出力する。タッチパネル９は、抵抗膜式の入力装置であり、一定の圧力以上で押圧された場合に、押圧された地点を検出し、ＣＰＵ１６に該検出結果を出力する。なお、本実施形態に於けるタッチパネル９が同時に検出可能な押圧地点の数は一つである。スピーカ１０は、ＣＰＵ１６の制御によって所定の音声を出力する。マイク１１は、外部音声に所定の処理を施してデジタル信号に変換し、ＣＰＵ１６に出力する。メモリ１２は、所定の情報を記憶する不揮発性メモリ（例えば、ＲＯＭ、ＥＥＰＲＯＭ、フラッシュメモリ）、所定の情報を一時的に記憶する揮発性メモリ（例えば、ＲＡＭ）で構成されている。インターフェイス１３は、記録媒体１３ａを電子機器２に接続するための接続部であり、インターフェイス１３を介して記録媒体１３ａに記憶された情報をＣＰＵ１６に出力する。リアルタイムクロック１４は、時刻を計時する時計機能、年、月、日、曜日を計時するカレンダ機能、及び、所定時間を計測するカウンタ機能を備えている。通信ユニット１５は、ＣＰＵ１６の制御によって、インターネット等のネットワークに接続可能な装置である。ＣＰＵ１６は、操作キー６、タッチパネル９、記録媒体１３ａからの出力を受け付けると共に、第１表示部７、第２表示部８、スピーカ１０、マイク１１、メモリ１２、リアルタイムクロック１４、通信ユニット１５を制御する。
【００５４】
情報記録カード３は、所定の情報が符号化されて記録されたカードである。情報記録カード３に記録された所定の情報は、タッチパネル９によって入力され、所定の処理を経て復号化される。なお、本実施形態に於いて、情報記録カード３は、第１情報記録カード３ｘ、及び、第２情報記録カード３ｙの２種類に分類することが出来る。
【００５５】
入力補助具４は、カード３に符号化されて記録された所定の情報が、タッチパネル９によって確実に入力されるようにするために使用される。
【００５６】
カードホルダ２２は、電子機器２に設置され、複数の情報記録カード３を重ねた状態でタッチパネル９上に固定するために使用される。
【００５７】
記録媒体１３ａは、所定の情報を記憶する記録媒体であり、所定の情報はインターフェイス１３を介してＣＰＵ１６に出力される。
【００５８】
[タッチパネルの構成]
図２（ａ）は、本実施形態に係る情報取得システム１に於けるタッチパネル９の模式図
であり、図２（ｂ）はタッチパネル９の断面図である。このタッチパネル９によって同時に検出可能な押圧位置は１つである。
【００５９】
本実施形態に於けるタッチパネル９は、アナログ方式の抵抗膜式タッチパネルであり、フィルム９ａ、ＩＴＯ（Indium Tin Oxide）９ｂ、絶縁層９ｃ、ＦＰＣ(Flexible Printed Circuit)９ｄ、ドットスペーサ９ｅ、ガラス９ｆで構成されており、第２表示部８の画面上に設置されている。
【００６０】
フィルム９ａは、ポリエチレンテレフタレート（ＰＥＴ）等の素材で形成されたフィルムであり、ユーザによる押圧を受け付ける。ＩＴＯ９ｂは、面状抵抗膜電極であり、押圧側のフィルム９ａと非押圧側のガラス９ｆ上に、絶縁層９ｃを介して一定の間隔を設けて対向するように設置されている。なお、上部のＩＴＯ９ｂは、フィルム９ａがユーザの所定の圧力以上の押圧を受け付けると、該フィルム９ａと共に撓み、下部のＩＴＯ９ｂに接触する。絶縁層９ｃは、フィルム９ａ及びガラス９ｆ上に対向するように設置されたＩＴＯ９ｂが常時接触することを防ぐために設けられた絶縁スペーサである。ドットスペーサ９ｅは、タッチパネル９への入力時以外に上下のＩＴＯ９ｂが接触して誤作動を起こさないように、ガラス９ｆ上に設置されたＩＴＯ９ｂ上に一定間隔で形成されている。ＦＰＣ９ｄは、屈曲性のある回路基板であり、対向するように設置された上下のＩＴＯ９ｂの接触によって発生する電位をタッチパネル９に接続された入力検出処理部（図示せず）に出力し、該電圧に所定の処理を施してデジタル信号化し、ＣＰＵ１６に出力する。なお、タッチパネル９は、直下に設けられた第２表示部８に出力された画像を視認出来るように、一定以上の透過率を有する。
【００６１】
タッチパネル９による押圧地点の検出原理は、周知のアナログ方式の抵抗膜式タッチパネルと同様である。カード３がフィルム９ａ上に設置され、一定以上の圧力で押下されると、絶縁層９ｃを介して上下に設置されたＩＴＯ９ｂが接触し、上下ＩＴＯ９ｂ間に電位勾配が発生する。この時発生した電気信号をタッチパネル９に接続された入力検出処理部（図示せず）に於いて所定の演算を施すことにより、入力位置（座標）を算出する。  
【００６２】
[情報記録カードの構成]
図３（ａ）は、本実施形態に係る情報取得システム１に於ける第１情報記録カード３ｘに関する上面図であり、図３（ｂ）は第１情報記録カード３ｘのＹ方向に関する断面図である。また、図３（ｃ）は、本実施形態に係る情報取得システム１に於ける第２情報記録カード３ｙに関する上面図であり、図３（ｄ）は第２情報記録カード３ｙのＹ方向に関する断面図である。
【００６３】
図３（ａ）乃至（ｂ）に図示されているように、第１情報記録カード３ｘは略矩形のカードであり、カード本体である板状部３ａに、表面３ｃから裏面３ｄまでを貫通する貫通孔３ｂが形成されている。なお、第１情報記録カード３ｘの表面３ｃ及び裏面３ｄに図形、文字等を印刷しても良い。
【００６４】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇと第２領域３ｈを備えており、これら２つの領域のそれぞれに於いて、少なくとも１つの貫通孔３ｂが形成されている。
【００６５】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈには、形成可能な最大数の貫通孔３ｂが形成されている。
【００６６】
図３（ｃ）乃至３（ｄ）に図示されているように、第２情報記録カード３ｙは略矩形のカードであり、カード本体である板状部３ａに、表面３ｃから裏面３ｄまでを貫通する貫通孔３ｂが形成されている。なお、第２情報記録カード３ｙの表面３ｃ及び裏面３ｄに図形、文字等を印刷しても良い。
【００６７】
第２情報記録カード３ｙは、タッチパネル９と略同一の形状と大きさを有する符号化領域３ｅと、第２情報記録カード３ｙに符号化された情報内容を示す内容表示領域３ｆを有する。符号化領域３ｅは、第１領域３ｇと第２領域３ｈを備えており、第１領域３ｇには貫通孔３ｂが形成されておらず、第２領域３ｈには、形成可能な最大数の貫通孔よりも少ない数の貫通孔３ｂが形成されている。そして、第２領域３ｈに形成された貫通孔３ｂの数及び形成位置によって、第２情報が符号化され、記録されている。
【００６８】
なお、第１情報記録カード３ｘ、及び、第２情報記録カード３ｙの第１領域３ｇに形成可能な貫通孔３ｂの最大数は同一であり、該最大数は適宜変更出来るものとする。また、第１情報記録カード３ｘ、及び、第２情報記録カード３ｙの第２域３ｈに形成可能な貫通孔３ｂの最大数は同一であり、該最大数は適宜変更出来るものとする。また、形成された貫通孔３ｂの数が最大数である場合には、所定の情報が符号化されておらず、所謂ダミーの貫通孔３ｂとして使用される。
【００６９】
図４（ａ）は、第１情報記録カード３ｘ上に第２情報記録カード３ｙを重ねた状態での上面図であり、図４（ｂ）は第１情報記録カード３ｘ上に第２情報記録カード３ｙを重ねた状態でのＹ方向の断面図である。
【００７０】
第１情報記録カード３ｘの表面３ｃと第２情報記録カード３ｙの裏面３ｄが接するようにして、第１情報記録カード３ｘ上に第２情報記録カード３ｙを重ねて設置した場合、第２情報記録カード３ｙの第２領域３ｈに形成された貫通孔３ｂが、第１情報記録カード３ｘ及び第２情報記録カード３ｙを通じて貫通した状態となる。なお、図４（ａ）に於ける円形斜線部で示された貫通孔３ｂ（重複部３ｋ）は、第１情報記録カード３ｘ及び第２情報記録カード３ｙを通じて貫通孔３ｂが表裏両面に貫通していない部分を示す。
【００７１】
なお、情報記録カード３に形成された貫通孔３ｂの断面形状（情報記録カード３の表面３ｃから見た形状）は、円形に限らず、その他の形状であっても良い。  
【００７２】
[情報記録カード設置方法]
図５（ａ）は、本実施形態に係る情報取得システム１の電子機器２を閉じた状態の概略斜視図であり、図５（ｂ）は電子機器２を開いた状態の概略図であり、図５（ｃ）は、情報記録カード３、及び、電子機器２にカードホルダ２２を設置した状態の概略図であり、図５（ｄ）は、電子機器２にカードホルダ２２を設置した状態で情報記録カード３を設置した状態の概略図である。
【００７３】
図５（ａ）に図示されているように、電子機器２は、上部筐体２ａ及び下部筐体２ｂを備えている。図５（ｂ）に図示されているように、電子機器２が閉じた状態で対向する上部筐体２ａと下部筐体２ｂの内、上部筐体２ａには第１表示部７が設置され、下部筐体２ｂには操作キー６、第２表示部８、タッチパネル９が設置されている。
【００７４】
本実施形態に於いては、図５（ｃ）に図示されているように、電子機器２が閉じた状態で対向する上部筐体２ａ及び下部筐体２ｂの内、下部筐体２ｂ上に脱着可能なカードホルダ２２が設置される。カードホルダ２２は、操作キー６及びタッチパネル９を覆うことなく、ユーザが操作可能な状態を保つ構造を有している。また、カードホルダ２２が下部筐体２ｂに設置された状態では、カードホルダ２２とタッチパネル９との間に所定の間隔が設けられており、該間隔は少なくとも２枚の情報記録カード３を重ねて挿入可能な程度の間隔である。
【００７５】
少なくとも１枚の情報記録カード３がカードホルダ２２とタッチパネル９の間に設置された場合、図５（ｄ）に図示された状態となる。入力補助具４によって、該設置された情報記録カード３に形成された貫通孔３ｂを介してタッチパネル９を押圧することによって、情報記録カード３に形成された貫通孔３ｂの位置に対応するタッチパネル９上の押圧位置が検出される。
【００７６】
なお、カードホルダ２２を使用せずに、２枚の情報記録カード３を重ねた状態でタッチパネル９上に設置して、該貫通孔３ｂの形成位置に対応するタッチパネル９上の押圧位置を検出させる構成としても良い。
【００７７】
[情報取得方法]
図６は本実施形態に係る情報取得方法に関するフローチャートであり、図７、及び、図９は図６に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【００７８】
図６のステップＳ１０１に於いて、ＣＰＵ１６がユーザによる操作キー６の操作によって、情報取得モードへの切り替えを受け付けた場合には、ステップＳ１０２に移行する。反対に、ＣＰＵ１６が情報取得モードへの切り替えを受け付けていない場合には、ステップＳ１０１を繰り返す。
【００７９】
ステップＳ１０２に於いて、ＣＰＵ１６の制御によって、第１情報記録カード３ｘの設置指示に関する画面が第２表示部８に表示される。なお、該設置指示画面を第１表示部７に出力させる構成としても良い。
【００８０】
ステップＳ１０３に於いて、タッチパネル９上に第１情報記録カード３ｘが設置され、貫通孔３ｂの形成位置に対応するタッチパネル９上の位置が検出された場合（以後、貫通孔３ｂの形成位置が検出されるという表現が使用された場合も、同義とする）、ステップＳ１０４に移行する。ここで、ステップＳ１０３に於ける処理内容について、図７、及び、図８（ａ）乃至８（ｃ）を参照して説明する。図７は、図６に図示されたステップＳ１０３のサブルーチンである。図８（ａ）は、情報記録カード３に形成された貫通孔３ｂを介してタッチパネル９が押圧された位置を示す図であり、押圧位置を黒塗りで表現している。図８（ｂ）はタッチパネル９上の座標（Ｐ１１乃至Ｐｍｎ）に関する表であり、図８（ｃ）は情報記録カード３に形成された貫通孔３ｂを介してタッチパネル９が押圧された位置（座標）に於ける検出値を示す表（以後、押圧位置座標データと称す）であり、図８（ｄ）は単数または複数時点に於いて、情報記録カード３に形成された貫通孔３ｂを介してタッチパネル９が押圧された位置（座標）に於ける検出値をまとめた表（以後、押圧位置総合座標データと称す）である。
【００８１】
ステップＳ１０３ａに於いて、ＣＰＵ１６はリアルタイムクロック１４を制御して、第２表示部８に第１情報記録カード３ｘの設置指示を表示した時点からの経過時間を計測させる。所定時間（例えば１分）が経過した場合、ステップＳ１０３ｂに移行し、所定時間が経過していない場合には、ステップＳ１０３ａを繰り返す。ステップＳ１０３ｂに於いて、第１情報記録カード３ｘに形成された貫通孔３ｂを介してタッチパネル９の押圧が検出された場合には、ステップＳ１０３ｄに移行し、反対に、タッチパネル９の押圧が検出されない場合には、ステップＳ１０３ｃに移行する。
【００８２】
ステップＳ１０３ｃに於いて、ＣＰＵ１６の制御により、第１情報記録カード３ｘの設置、及び、貫通孔３ｂを介したタッチパネル９の押圧を促す警告表示が第２表示部８に表示され、ステップＳ１０３ｂに移行する。なお、該警告表示を第１表示部７に出力させる構成としても良い。ステップＳ１０３ｄに於いて、タッチパネル９の押圧位置に基づいて、貫通孔３ｂの形成位置が検出され、押圧位置座標データが形成される。この時、押圧が検出された場合は「１」、検出されない場合は「０」として、検出信号をデジタル信号化する。例えば、図８（ａ）に図示されているように、タッチパネル９上の黒塗り部分への押圧が検出された場合には、タッチパネル９上の座標Ｐ７７に「１」の値が割り当てられ、押圧が検出されていない位置に対応する座標に「０」が割り当てられる。このようにして、図８（ｃ）の押圧位置座標データが形成される。
【００８３】
ステップＳ１０３ｅに於いて、押圧位置座標データは、メモリ１２の所定の領域に記憶され、ステップＳ１０３ｆに移行する。ステップＳ１０３ｆに於いて、ＣＰＵ１６がリアルタイムクロック１４を制御して、メモリ１２に押圧位置座標データが格納された時点からの経過時間を計測させて、所定時間（例えば５秒）が経過した場合、ステップＳ１０３ｈに移行する。反対に、ステップＳ１０３ｆに於いて、リアルタイムクロック１４によって計測された時間が所定時間経過していない場合には、ステップＳ１０３ｇに移行する。      
【００８４】
ステップＳ１０３ｇに於いて、タッチパネル９への押圧が再び検出された場合には、ステップＳ１０３ｄに移行し、反対に、タッチパネル９への押圧が検出されていない場合には、ステップＳ１０３ｆに移行する。
【００８５】
ステップＳ１０３ｈに於いて、メモリ１２に既存の押圧位置座標データが存在する場合、ステップＳ１０３ｉに移行する。反対に、ステップＳ１０３ｈに於いて、既存の押圧位置座標データが存在しない場合には、メモリ１２に記憶された押圧位置座標データを押圧位置総合座標データとして、メモリ１２に記憶し、図６のステップＳ１０４に移行する。
【００８６】
ステップＳ１０３ｉに於いて、複数の押圧位置座標データに基づいて、押圧位置総合座標データを形成し、メモリ１２に記憶し、図６のステップＳ１０４に移行する。例えば、ステップＳ１０３ｈに於いて、図８（ａ）の黒塗り部分（Ｐ７７）の押圧が検出された際に作成された押圧位置座標データ以外に、座標Ｐ７４の押圧が検出された際に作成された押圧位置座標データが既に存在する場合、図８（ｄ）に図示されている押圧位置総合座標データが形成される。
【００８７】
図６のステップＳ１０４に於いて、ＣＰＵ１６は、押圧位置総合座標データに所定の処理を施して、復号データを形成する。なお、上述の通り、第１情報記録カード３ｘ上の第１領域３ｇに形成された貫通孔３ｂの数は、形成可能な最大数よりも少なく、且つ、第２領域３ｈには形成可能な最大数の貫通孔３ｂが形成されている。したがって、押圧位置総合座標データに於いて、第１情報記録カード３ｘの第１領域３ｇに該当する座標領域内で「１」の値が割り当てられた座標が形成可能な貫通孔３ｂの最大数よりも少なく、且つ、第２領域３ｈに該当する座標領域内で「１」の値が割り当てられた座標が、形成可能な貫通孔３ｂの最大数と同一な場合にのみ、適切な復号データが形成される。
【００８８】
ステップＳ１０５に於いて、復号データが所定のデータ、即ち、第１情報であるか否かが判定される。復号データが所定のデータである場合には、ステップＳ１０７に移行し、反対に、復号データが所定のデータではない場合には、ステップＳ１０６に移行する。ステップＳ１０６に於いて、ＣＰＵ１６の制御によって、復号データが異なる、即ち、タッチパネル９に設置された情報記録カード３が第１情報記録カード３ｘではない旨の警告表示が第２表示部８に表示され、ステップＳ１０３に移行する。なお、該警告表示を第１表示部７に出力させる構成としても良い。
【００８９】
ステップＳ１０７に於いて、押圧地点総合座標データに基づいて形成された復号データに対して所定の演算処理が実行され、ステップＳ１０８に移行する。ステップＳ１０８に於いて、復号データの出力処理が実行される。この時、復号データに画像データが含まれている場合には、ＣＰＵ１６が第１表示部７を制御して所定の画像を出力させ、音声データが含まれている場合には、ＣＰＵ１６がスピーカ１０を制御して所定の音声を出力させる。
【００９０】
ステップＳ１０９に於いて、ユーザによる操作キー６の入力操作が行われ、情報取得処理を終了させる場合には、図６の処理ステップを終了する。反対に、情報取得処理を継続させる入力操作が行われた場合には、ステップＳ１１０に移行する。
【００９１】
ステップＳ１１０に於いて、他の第１情報記録カード３ｘに符号化され記憶された第１情報の取得モードが選択された場合には、ステップＳ１０２に移行する。反対に、ステップＳ１１０に於いて、他の第１情報記録カード３ｘに符号化され記憶された第１情報を取得しない場合には、ステップＳ１１１に移行する。
【００９２】
ステップＳ１１１に於いて、上述の情報取得処理に於いて使用された第１情報記録カード３ｘをタッチパネル上に設置した状態で、さらに、該第１情報記録カード３ｘ上に第２情報記録カード３ｙを重ねて設置し、該第２情報記録カード３ｙに符号化され記憶された第２情報を取得する処理を実行する。
【００９３】
ここで、ステップＳ１１１に関する処理を、図９を参照して詳細に説明する。図９は、図６に図示されたステップＳ１１１のサブルーチンである。ステップＳ１１１ａに於いて、ＣＰＵ１６の制御によって、第１情報記録カード３ｘ上に第２情報記録カード３ｙを重ねて設置する旨の指示画面が第１表示部７に表示される。
【００９４】
ステップＳ１１１ｂに於いて、第１情報記録カード３ｘ上に第２情報記録カード３ｙが設置され、第２情報記録カード３ｙに形成された貫通孔３ｂを介して、タッチパネル９が押圧され、貫通孔３ｂの数と形成位置が検出された場合、ステップＳ１１１ｃに移行する。ステップ１１１ｂの処理内容は、上述の図７に図示されたフローチャートと同一であるので、ここでは説明を省略する。但し、図４（ａ）乃至４（ｂ）に図示されているように、第１情報記録カード３ｘ上に第２情報記録カード３ｙを重ねて設置した場合、これら２枚の情報記録カード３に形成された貫通孔３ｂを介して押圧可能なタッチパネル９上の座標は、第２情報記録カード３ｙの第２領域３ｈに形成された貫通孔３ｂに対応する座標である。
【００９５】
ステップＳ１１１ｃに於いて、ＣＰＵ１６が押圧位置総合座標データに所定の処理を施して、復号データを形成する。なお、上述の通り、第２情報記録カード３ｙ上の第１領域３ｇには貫通孔３ｂが形成されておらず、第２領域３ｈには形成可能な貫通孔３ｂの最大数よりも少ない貫通孔３ｂが形成されている。したがって、押圧位置総合座標データに於いて、第２情報記録カード３ｙの第１領域３ｇに該当する座標領域内で「１」の値が割り当てられた座標は存在せず、第２領域３ｈに対応する座標領域内で「１」の値が割り当てられた座標が、形成可能な貫通孔３ｂの最大数よりも少なくなっている場合にのみ、適切な復号データが形成される。
【００９６】
ステップＳ１１１ｄに於いて、復号データが所定のデータ、即ち、第２情報であるか否かが判定される。復号データが所定のデータである場合には、ステップＳ１１１ｅに移行し、所定のデータではない場合には、ステップＳ１１１ｇに移行する。
【００９７】
ステップＳ１１１ｇに於いて、ＣＰＵ１６の制御によって、復号データが所定のデータではない、即ち、タッチパネル９に第２情報記録カード３ｙが第１情報記録カード３ｘに重ねて設置されていない旨の警告表示が第１表示部７に表示され、ステップＳ１１１ｂに移行する。
【００９８】
ステップＳ１１１ｅに於いて、メモリ１２に第１情報の復号データが記憶されているか否か、即ち、事前に第１情報記録カード３ｘが設置され、第１情報の復号データが取得されているか否かが判定される。メモリ１２に第１情報の復号データが記憶されている場合には、ステップＳ１１１ｆに移行し、反対に、メモリ１２に第１情報の復号データが記憶されていない場合には、ステップＳ１１１ｇに移行する。ステップＳ１１１ｇに於いて、ＣＰＵ１６の制御によって、メモリ１２に第１情報が記憶されていない、即ち、第１情報記録カード３ｘに形成された貫通孔３ｂに対応するタッチパネル９上の座標が押圧されていない旨の警告表示が第１表示部７に表示され、ステップＳ１１１ｂに移行する。
【００９９】
ステップＳ１１１ｆに於いて、第２情報の復号データがメモリ１２に記憶された第１情報の復号データと所定の対応関係を有するか否かが判定される。第２情報の復号データと第１情報の復号データが所定の対応関係を有する場合には、ステップＳ１１１ｈに移行し、反対に、第２情報の復号データと第１情報の復号データが所定の対応関係を有していない場合には、ステップＳ１１１ｇに移行する。具体的には、第１情報記録カード３ｘの第１領域３ｇに形成された貫通孔３ｂの数及び形成位置に関して所定のパタンを有する第１情報の復号データと、第２情報記録カード３ｙの第２領域３ｈに形成された貫通孔３ｂの数及び形成位置に関して所定のパタンを有する第２情報の復号データが関連付けられて、メモリ１２に記憶されており、該関連付けを利用して、復号データの対応関係を判定する。
【０１００】
ステップＳ１１１ｇに於いて、ＣＰＵ１６の制御によって、復号データと第１情報が所定の対応関係を有していない旨の警告表示が第１表示部７に表示され、ステップＳ１１１ｂに移行する。
【０１０１】
ステップＳ１１１ｈに於いて、第２情報の復号データに対して所定の演算処理が実行され、ステップＳ１１１ｉに移行する。ステップＳ１１１ｉに於いて、所定の演算処理が実行された復号データに対して出力処理が実行され、図６のステップＳ１０９に移行する。
【０１０２】
[作用効果]
本実施形態に係る情報取得システム１によれば、第１情報記録カード３ｘ上に第２情報記録カード３ｙを重ねた場合、第２情報記録カード３ｙの第２領域３ｈに形成された貫通孔３ｂが第１情報記録カード３ｘの第２領域３ｈに形成された貫通孔３ｂの何れかに一致するので、これら２つの情報記録カード３を重ねた状態で、第２情報記録カード３ｙの第２領域３ｈに形成された貫通孔３ｂの形成位置に対応するタッチパネル９上の位置を押圧することが可能である。
【０１０３】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔が形成されていないので、第１情報記録カード３ｘ上に第２情報記録カード３ｙを重ねた場合、第１情報記録カード３ｘの第１領域３ｇに形成された貫通孔３ｂの形成位置に対応するタッチパネル９上の位置を押圧させないようにすることが出来る。即ち、この情報取得システム１によれば、第１情報記録カード３ｘの第１領域３ｇに形成された貫通孔３ｂの形成位置に対応するタッチパネル９上の位置を押圧するためには、第１情報記録カード３ｘを単独で使用した場合に制限することが出来る。
【０１０４】
また、本実施形態に係る情報取得システム１によれば、第２情報の出力処理を実行する場合、メモリ１２に第１情報の復号データが記録されており、さらに、該第１情報の復号データと第２情報の復号データが所定の関係を有する場合に、第２情報の出力処理を実行することが出来る。即ち、第２情報の情報取得処理に先立って、第１情報の情報取得処理を実行しなければならないので、第２情報の復号データを単独で用いることによって、第２情報を出力することを制限することが出来る。さらに、第１情報記録カード３ｘと共に使用することの出来る第２情報記録カード３ｙを所定の情報記録カード３に制限することが出来る。
【０１０５】
また、本実施形態に係る情報取得システム１によれば、第１情報記録カード３ｘ、及び、第２情報記録カード３ｙに形成された貫通孔３ｂの形成位置に対応する位置の検出に際して、タッチパネル９を検出装置として使用することが出来るので、非常に汎用性が高い。
【０１０６】
また、本実施形態に係る情報取得システム１によれば、カードホルダ２２を使用することによって、タッチパネル９上に、第１情報記録カード３ｘ、及び、第２情報記録カード３ｙを重ねて設置した場合に於いても、これらの情報記録カード３の重なりにズレが生じて、タッチパネル９によって情報記録カード３に形成された貫通孔３ｂの形成位置に対応する位置が誤って検出されることを防止することが出来る。
【０１０７】
（２）第２実施形態
[全体構成]
本実施形態に係る情報取得システム１の構成については、前述の第１実施形態の構成（図１参照）と同一であるので、ここでは説明を省略する。
【０１０８】
[タッチパネルの構成]
本実施形態に係る情報取得システム１に於けるタッチパネル９の構成は、前述の第１実施形態に係る情報取得システム１に於けるタッチパネル９の構成（図２（ａ）乃至（ｂ）参照）と同一であるので、ここでは説明を省略する。
【０１０９】
[情報記録カードの構成]
図１０（ａ）は、本実施形態に係る情報取得システム１に於ける第１情報記録カード３ｘに関する上面図であり、図１０（ｂ）は第１情報記録カード３ｘのＹ方向に関する断面図である。また、図１０（ｃ）は、本実施形態に係る情報取得システム１に於ける第２情報記録カード３ｙに関する上面図であり、図１０（ｄ）は第２情報記録カード３ｙのＹ方向に関する断面図である。
【０１１０】
図１０（ａ）乃至１０（ｂ）に図示されているように、第１情報記録カード３ｘは略矩形のカードであり、カード本体である板状部３ａに、表面３ｃから裏面３ｄまで貫通する貫通孔３ｂが形成されている。なお、第１情報記録カード３ｘの表面３ｃ、及び、裏面３ｄに、図形、文字等を印刷しても良い。
【０１１１】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇと第２領域３ｈを備えており、これら２つの領域のそれぞれに於いて、少なくとも１つの貫通孔３ｂが形成されている。
【０１１２】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈには、形成可能な最大数の貫通孔３ｂが形成されている。
【０１１３】
図１０（ｃ）乃至１０（ｄ）に図示されているように、第２情報記録カード３ｙは、略矩形のカードであり、カード本体である板状部３ａに、表面３ｃから裏面３ｄまでを貫通する貫通孔３ｂが形成されている。なお、第２情報記録カード３ｙの表面３ｃ及び裏面３ｄに図形、文字等を印刷しても良い。
【０１１４】
第２情報記録カード３ｙは、タッチパネル９と略同一の形状と大きさを有する符号化領域３ｅと、情報記録カード３ｘに符号化された情報の内容を示す内容表示領域３ｆを有する。符号化領域３ｅは、第１領域３ｇと第２領域３ｈを備えている。第１領域３ｇには貫通孔３ｂが形成されており、該貫通孔３ｂの数は形成可能な最大数である。したがって、第２情報記録カード３ｙの第１領域３ｇに形成された貫通孔３ｂは、第１情報記録カード３ｘの第１領域３ｇに形成された貫通孔の形成位置を含む位置に形成されている。また、第２領域３ｈには、形成可能な最大数の貫通孔よりも少ない数の貫通孔３ｂが形成されている。そして、第２領域３ｈに形成された貫通孔３ｂの数及び形成位置によって、第２情報が符号化され、記録されている。
【０１１５】
なお、第１情報記録カード３ｘ、及び、第２情報記録カード３ｙの第１領域３ｇに形成可能な貫通孔３ｂの最大数は同一であり、該最大数は適宜変更出来るものとする。また、第１情報記録カード３ｘ、及び、第２情報記録カード３ｙの第２領域３ｈに形成可能な貫通孔の最大数は同一であり、該最大数は適宜変更出来るものとする。また、第１領域３ｇ、及び、第２領域３ｈに於いて、貫通孔３ｂの数が形成可能な最大数である場合には、所定の情報が符号化されておらず、所謂ダミーの貫通孔として使用される。
【０１１６】
図１１（ａ）は、第１情報記録カード３ｘ上に第２情報記録カード３ｙを重ねた状態での上面図であり、図１１（ｂ）は第１情報記録カード３ｘ上に第２情報記録カード３ｙを重ねた状態でのＹ方向の断面図である。
【０１１７】
第１情報記録カード３ｘの表面３ｃと第２情報記録カード３ｙの裏面３ｄが接するようにして、第１情報記録カード３ｘ上に第２情報記録カード３ｙを重ねて設置した場合、第１情報記録カード３ｘの第１領域３ｇに形成された貫通孔３ｂと、第２情報記録カード３ｙの第２領域３ｈに形成された貫通孔３ｂが、情報記録カード３ｘ及び第２情報記録カード３ｙを通じて貫通した状態となる。なお、図１１（ａ）に於ける円形斜線部で示された貫通孔３ｂ（重複部３ｋ）は、第１情報記録カード３ｘ、及び、第２情報記録カード３ｙを通じて貫通孔３ｂが表裏両面に貫通していない部分を示す。
【０１１８】
なお、情報記録カード３に形成された貫通孔３ｂの断面形状（情報記録カード３の表面３ｃから見た形状）は、円形に限らず、その他の形状であっても良い。  
【０１１９】
[情報記録カード設置方法]  
本実施形態に係る情報取得システム１に於ける情報記録カード３の設置方法は、前述の第１実施形態に係る情報取得システム１に於ける情報記録カード３の設置方法と同一であるので、ここでは説明を省略する。
【０１２０】
[情報取得方法]
図６は本実施形態に係る情報取得方法に関するフローチャートであり、図７、及び、図１２は図６に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【０１２１】
図６、及び、図７のフローチャートは、前述の第１実施形態に係る情報取得方法に関するフローチャートと同一であり、本実施形態に係る情報取得方法と前述の第１実施形態に係る情報取得方法との違いは、図６のステップＳ１１１のサブルーチンである。したがって、ここでは同一部分についての説明を省略し、図６のステップＳ１１１の内容について述べる。
【０１２２】
図６のステップＳ１０１乃至Ｓ１０９に於いて、第１情報記録カード３ｘに符号化され記録された第１情報の出力処理が実行され、さらに、ステップＳ１１０に於いて、他の第１情報記録カード３ｘに符号化され記録された情報を取得するモードが選択されなかった場合、ステップＳ１１１に移行する。ここで、図１２を参照して、ステップＳ１１１の処理内容について説明する。なお、前述の第１実施形態に係る情報取得方法に関するフローチャート（図６参照）に於ける、ステップＳ１１１のサブルーチン（図９参照）と同一部分には、同一符号を付して説明する。
【０１２３】
図１２のステップ１１１ａに於いて、ＣＰＵ１６の制御によって、第１表示部７に第１情報記録カード３ｘ上に第２情報記録カード３ｙを重ねて設置する旨の指示画面が表示される。
【０１２４】
ステップＳ１１１ｂに於いて、タッチパネル９上に第１情報記録カード３ｘ上に第２情報記録カード３ｙが設置され、これら２つの情報記録カード３を通じて貫通する貫通孔３ｂの数と形成位置が検出された場合、ステップＳ１１１ｃに移行する。ステップ１１１ｂの処理内容は、図６に図示されたステップＳ１０３のサブルーチン（図７参照）と同一であるので、ここでは説明を省略する。但し、図１１（ａ）乃至１１（ｂ）に図示されているように、第１情報記録カード３ｘ上に第２情報記録カード３ｙを重ねた場合、これら２つの情報記録カード３を通じて貫通する貫通孔３ｂを介して押圧可能なタッチパネル９上の座標は、第１情報記録カード３ｘの第１領域３ｇに形成された貫通孔３ｂ、及び、第２情報記録カード３ｙの第２領域３ｈに形成された貫通孔３ｂに対応する座標である。
【０１２５】
ステップＳ１１１ｃに於いて、ＣＰＵ１６が押圧位置総合座標データに所定の処理を施して、復号データを形成する。なお、第１情報記録カード３ｘ上に第２情報記録カード３ｙが重ねて設置された場合には、押圧位置総合座標データに於いて、情報記録カード３の第１領域３ｇ及び第２領域３ｈに該当する座標に於いて、「１」が割り当てられた座標が少なくとも１つずつ存在し、且つ、情報記録カード３に形成可能な貫通孔３ｂの最大数よりも少ないので、ステップＳ１１１ｃに於いては、第１情報、及び、第２情報の復号データがそれぞれ形成される。
【０１２６】
ステップＳ１１１ｊに於いて、メモリ１２に第１情報の復号データが記憶されているか否か、即ち、事前に第１情報の復号データが取得されているか否かが判定される。メモリ１２に第１情報の復号データが記憶されている場合には、ステップＳ１１１ｋに移行し、反対に、メモリ１２に第１情報の復号データが記憶されていない場合には、ステップＳ１１１ｇに移行する。ステップＳ１１１ｇに於いて、ＣＰＵ１６の制御によって、メモリ１２に第１情報が記憶されていない、即ち、タッチパネル９上に第１情報記録カード３ｘが設置され、貫通孔３ｂを介してタッチパネル９上の対応する位置が押圧されていない旨の警告表示が第１表示部７に表示され、ステップＳ１１１ｂに移行する。
【０１２７】
ステップＳ１１１ｋに於いて、復号データが第１情報の復号データを含むか否か、即ち、第１情報記録カード３ｘ上に第２情報記録カード３ｙが重ねて設置された状態で、第１情報記録カード３ｘの第１領域３ｇに形成された貫通孔３ｂが押圧されたか否かが判定される。復号データに第１情報の復号データが含まれている場合には、ステップＳ１１１ｌに移行し、反対に、復号データに第１情報が含まれていない場合には、ステップＳ１１１ｇに移行する。ステップＳ１１１ｇに於いて、復号データに第１情報の復号データが含まれていない、即ち、第１情報記録カード３ｘ上に第２情報記録カード３ｙを重ねた状態で２つのカードを通じて貫通する貫通孔３ｂが押圧されていない旨の警告表示が第１表示部７に出力され、ステップＳ１１１ｂに移行する。
【０１２８】
ステップＳ１１１ｌに於いて、復号データが第２情報の復号データを含むか否かが判定される。復号データに第２情報の復号データが含まれている場合には、ステップＳ１１１ｈに移行し、反対に、復号データに第２情報の復号データが含まれていない場合には、ステップＳ１１１ｇに移行する。ステップ１１１ｇに於いて、復号データに第２情報の復号データが含まれていない、即ち、第１情報記録カード３ｘ上に第２情報記録カード３ｙを重ねた状態で２つのカードを貫通する貫通孔３ｂを介してタッチパネル９上の対応する位置が押圧されていない旨の警告表示が第１表示部７に出力され、ステップＳ１１１ｂに移行する。
【０１２９】
ステップＳ１１１ｈに於いて、第２情報の復号データに対して所定の演算処理が実行され、ステップＳ１１１ｉに移行する。ステップＳ１１１ｉに於いて、第２情報の復号データに対して出力処理が実行され、図６のステップＳ１０９に移行する。なお、この時、復号データに画像データが含まれている場合には、ＣＰＵ１６が第１表示部７を制御して所定の画像を出力させ、音声データが含まれている場合には、ＣＰＵ１６がスピーカ１０を制御して所定の音声を出力させる。
【０１３０】
なお、本実施形態に於いて、第２情報の出力処理の実行に際して、メモリ１２に第１情報が記憶されていることが条件となっているが、事前に第１情報を復号化しており、出力処理を実行する必要がなければ、図１２のステップＳ１１１ｊを省略することが出来る。
【０１３１】
[作用効果]
本実施形態に係る情報取得システム１によれば、第１情報記録カード３ｘ上に第２情報記録カード３ｙを重ねた場合、第２情報記録カード３ｙの第２領域３ｈに形成された貫通孔３ｂが第１情報記録カード３ｘの第２領域３ｈに形成された貫通孔３ｂの何れかに一致するので、これら２つの情報記録カードを重ねた状態で、第２情報記録カード３ｙの第２領域３ｈに形成された貫通孔３ｂの形成位置に対応するタッチパネル９上の位置を押圧することが可能である。
【０１３２】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔３ｂが形成されているので、第１情報記録カード３ｘ上に第２情報記録カード３ｙを重ねた場合、第１情報記録カード３ｘの第１領域３ｇに形成された貫通孔３ｂの形成位置に対応するタッチパネル９上の位置を押圧することが出来る。
【０１３３】
また、本実施形態に係る情報取得システム１によれば、第２情報の出力処理を実行する場合、メモリ１２に第１情報の復号データが記録されており、さらに、押圧位置総合座標データに基づいて形成された復号データに、第１情報の復号データと第２情報の復号データの両方が含まれている場合に、第２情報の出力処理を実行することが出来る。即ち、第２情報の出力処理に先立って、第１情報の出力処理を実行しなければならないので、第２情報記録カード３ｙのみを用いて第２情報の出力処理を実行することを制限することが出来る。さらに、復号データに第１情報の復号データと第２情報の復号データの両方が含まれている場合に、第２情報の出力処理を実行するので、第１情報記録カード３ｘ上に第２情報記録カード３ｙを重ねて設置して、２つの情報記録カード３を通じて貫通する貫通孔３ｂを介して対応するタッチパネル９上の座標が押圧された場合にのみ、第２情報の出力処理を実行するという制限を加えることが出来る。
【０１３４】
また、本実施形態に係る情報取得システム１によれば、第１情報記録カード３ｘ及び第２情報記録カード３ｙに形成された貫通孔３ｂの形成位置に対応する位置の検出に際して、タッチパネル９を検出装置として使用することが出来るので、非常に汎用性が高い。
【０１３５】
また、本実施形態に係る情報取得システム１によれば、カードホルダ２２を使用することによって、タッチパネル９上に、第１情報記録カード３ｘ、及び、第２情報記録カード３ｙを重ねて設置した場合に於いても、これらの情報記録カード３の重なりにズレが生じて、タッチパネル９によって情報記録カード３に形成された貫通孔３ｂの形成位置に対応する位置が誤って検出されることを防止することが出来る。
【０１３６】
（３）第３実施形態
[全体構成]
本実施形態に係る情報取得システム１の構成については、前述の第１実施形態に係る情報取得システム１の構成（図１参照）と略同一であるので、ここでは同一部分について説明を省略し、異なる部分についてのみ説明する。
【０１３７】
前述の第１実施形態に係る情報取得システム１に於ける情報記録カード３は、第１情報記録カード３ｘ、及び、第２情報記録カード３ｙの２種類に分類することが出来た。しかし、本実施形態に係る情報取得システム１に於ける情報記録カード３は、第１情報記録カード３ｘ、第２情報記録カード３ｙ、及び、第３情報記録カード３ｚの３種類に分類することが出来る点で異なっている。
【０１３８】
[タッチパネルの構成]
本実施形態に係る情報取得システム１に於けるタッチパネル９の構成は、前述の第１実施形態に係る情報取得システム１に於けるタッチパネル９の構成（図２（ａ）乃至（ｂ）参照）と同一であるので、ここでは説明を省略する。
【０１３９】
[情報記録カードの構成]
図１３（ａ）は、本実施形態に係る情報取得システム１に於ける第１情報記録カード３ｘに関する上面図であり、図１３（ｂ）は第１情報記録カード３ｘのＹ方向に関する断面図である。また、図１３（ｃ）は、本実施形態に係る情報取得システム１に於ける第２情報記録カード３ｙに関する上面図であり、図１３（ｄ）は第２情報記録カード３ｙのＹ方向に関する断面図である。さらに、図１３（ｅ）は、本実施形態に係る情報取得システム１に於ける第３情報記録カード３ｚに関する上面図であり、図１３（ｆ）は第３情報記録カード３ｚのＹ方向に関する断面図である。
【０１４０】
図１３（ａ）乃至１３（ｂ）に図示されているように、第１情報記録カード３ｘは略矩形のカードであり、カード本体である板状部３ａに、表面３ｃから裏面３ｄまで貫通する貫通孔３ｂが形成されている。なお、第１情報記録カード３ｘの表面３ｃ及び裏面３ｄに、図形、文字等を印刷しても良い。
【０１４１】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えており、これら３つの領域のそれぞれに於いて、少なくとも１つの貫通孔３ｂが形成されている。
【０１４２】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈ、及び、第３領域３ｉのそれぞれの領域には、形成可能な最大数の貫通孔３ｂが形成されている。
【０１４３】
図１３（ｃ）乃至１３（ｄ）に図示されているように、第２情報記録カード３ｙは略矩形のカードであり、カード本体である板状部３ａに、表面３ｃから裏面３ｄまで貫通する貫通孔３ｂが形成されている。なお、第２情報記録カード３ｙの表面３ｃ及び裏面３ｄに、図形、文字等を印刷しても良い。
【０１４４】
第２情報記録カード３ｙは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えている。
【０１４５】
第１領域３ｇには、貫通孔３ｂが形成されていない。第２領域３ｈには、形成可能な最大数の貫通孔よりも少ない数の貫通孔３ｂが形成されており、該貫通孔３ｂの数及び形成位置によって、第２情報が符号化され、記録されている。また、第３領域３ｉには、形成可能な最大数の貫通孔３ｂが形成されている。
【０１４６】
図１３（ｅ）乃至１３（ｆ）に図示されているように、第３情報記録カード３ｚは略矩形のカードであり、カード本体である板状部３ａに、表面３ｃから裏面３ｄまで貫通する貫通孔３ｂが形成されている。なお、第３情報記録カード３ｚの表面３ｃ及び裏面３ｄに、図形、文字等を印刷しても良い。
【０１４７】
第３情報記録カード３ｚは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えている。
【０１４８】
第１領域３ｇ、及び、第２領域３ｈには、貫通孔３ｂが形成されていない。第３領域３ｉには、形成可能な最大数の貫通孔よりも少ない数の貫通孔３ｂが形成されており、該貫通孔３ｂの数及び形成位置によって、第３情報が符号化され、記録されている。
【０１４９】
なお、第１情報記録カード３ｘ、第２情報記録カード３ｙ、及び、第３情報記録カード３ｚの第１領域３ｇに形成可能な貫通孔３ｂの最大数は同一であり、形成可能な貫通孔の最大数は、適宜変更出来るものとする。また、第１情報記録カード３ｘ、第２情報記録カード３ｙ、及び、第３情報記録カード３ｚの第２領域３ｈに形成可能な貫通孔３ｂの最大数は同一であり、形成可能な貫通孔の最大数は、適宜変更出来るものとする。また、第１情報記録カード３ｘ、第２情報記録カード３ｙ、及び、第３情報記録カード３ｚの第３領域３ｉに形成可能な貫通孔３ｂの最大数は同一であり、形成可能な貫通孔の最大数は、適宜変更出来るものとする。なお、第１領域３ｇ、第２領域３ｈ、及び、第３領域３ｉに於いて形成可能な貫通孔３ｂの最大数は適宜変更出来るものとし、貫通孔３ｂの数が形成可能な最大数である場合には、所定の情報が符号化されておらず、所謂ダミーの貫通孔として使用される。
【０１５０】
図１４（ａ）は、第１情報記録カード３ｘ上に第２情報記録カード３ｙを重ねた状態に於ける上面図であり、図１４（ｂ）は第１情報記録カード３ｘ上に第２情報記録カード３ｙを重ねた状態でのＹ方向の断面図である。また、図１４（ｃ）は、第１情報記録カード３ｘ、第２情報記録カード３ｙ、及び、第３情報記録カード３ｚを順に重ねた状態での上面図であり、図１４（ｄ）は、第１情報記録カード３ｘ、第２情報記録カード３ｙ、及び、第３情報記録カード３ｚを順に重ねた状態での断面図である。
【０１５１】
図１４（ａ）乃至１４（ｂ）に図示されているように、第１情報記録カード３ｘの表面３ｃと第２情報記録カード３ｙの裏面３ｄが接するようにして、第１情報記録カード３ｘ上に第２情報記録カード３ｙを重ねて設置した場合、第２情報記録カード３ｙの第２領域３ｈ、及び、第３領域３ｉに形成された貫通孔３ｂが、第１情報記録カード３ｘ及び第２情報記録カード３ｙを通じて貫通した状態となる。また、第１情報記録カード３ｘの第１領域３ｇに形成された貫通孔３ｂは、第２情報記録カード３ｙの第１領域３ｇに貫通孔３ｂが形成されていないので、塞がれた状態となる。なお、図１４（ａ）に於ける円形斜線部で示された貫通孔３ｂ（重複部３ｋ）は、第１情報記録カード３ｘ及び第２情報記録カード３ｙを通じて貫通孔３ｂが表裏両面に貫通していない部分を示す。
【０１５２】
図１４（ｃ）乃至１４（ｄ）に図示されているように、第１情報記録カード３ｘ上に第２情報記録カード３ｙを重ねて設置し、さらに、第２情報記録カード３ｙの表面３ｃと、第３情報記録カード３ｚの裏面３ｄが接するようにして、第１情報記録カード３ｘ、第２情報記録カード３ｙ、及び、第３情報記録カード３ｚを順に重ねて設置した場合、第３情報記録カード３ｚの第３領域３ｉに形成された貫通孔３ｂが、第１情報記録カード３ｘ、第２情報記録カード３ｙ、及び、第３情報記録カード３ｚを通じて貫通した状態となる。また、第２情報記録カード３ｙの第２領域３ｈに形成された貫通孔３ｂは、第３情報記録カードの第２領域３ｈに貫通孔３ｂが形成されていないので、塞がれた状態となる。なお、図１４（ｃ）に於ける円形斜線部で示された貫通孔３ｂ（重複部３ｋ）は、第１情報記録カード３ｘ、第２情報記録カード３ｙ、及び、第３情報記録カード３ｚを通じて貫通孔３ｂが表裏両面に貫通していない部分を示す。
【０１５３】
なお、情報記録カード３に形成された貫通孔３ｂの断面形状（情報記録カード３の表面３ｃから見た形状）は、円形に限らず、その他の形状であっても良い。  
【０１５４】
[情報記録カード設置方法]  
本実施形態に係る情報取得システム１に於ける情報記録カード３の設置方法は、前述の第１実施形態に係る情報取得システム１に於ける情報記録カード３の設置方法と略同一であるので、ここでは説明を省略する。但し、本実施形態に於いては、電子機器２にカードホルダ２２を設置した場合、カードホルダ２２とタッチパネル９との間に情報記録カード３を３枚以上設置することが出来るものとする。
【０１５５】
[情報取得方法]
図１５は本実施形態に係る情報取得方法に関するフローチャートであり、図７、図９、及び、図１６は、図１５に図示されたフローチャートに於ける一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは記録媒体１３ａに記憶されている場合もあり、通信ユニット１５によってネットワーク上から取得される場合もある。
【０１５６】
図１５に図示されているステップＳ３０１乃至ステップＳ３１０の処理は、第１実施形態に係る情報取得方法に関するフローチャート（図６参照）のステップＳ１０１乃至Ｓ１１０と同一であるので、ここでは説明を省略する。
【０１５７】
図１５のステップＳ３０１乃至Ｓ３０９に於いて、第１情報記録カード３ｘに符号化され記録された第１情報の出力処理が実行され、さらに、ステップＳ１１０に於いて、他の第１情報記録カード３ｘに符号化され記録された情報を取得するモードが選択されなかった場合には、ステップＳ３１１に移行する。ステップＳ３１１に於いて、第２情報記録カード３ｙに符号化され記録された第２情報の情報取得モードが選択された場合、ステップＳ３１２に移行し、反対に、第２情報の情報取得モードが選択されなかった場合には、ステップＳ３１３に移行する。
【０１５８】
ステップＳ３１２に於いて、第２情報の情報取得処理が実行された場合、ステップＳ３０９に移行する。なお、ステップＳ３１２の第２情報の取得処理については、前述の第１実施形態に係る情報取得モードに関するフローチャート（図６参照）に図示されたステップＳ１１１（図９参照）と同一であるので、ここでは説明を省略する。
【０１５９】
ステップＳ３１３に於いて、第３情報取得カード３ｚに符号化され記録された第３情報に関する情報取得処理が実行される。ここで、図１６を参照して、ステップＳ３１３の処理内容について説明する。
【０１６０】
図１６のステップ３１３ａに於いて、ＣＰＵ１６の制御によって、第１表示部７に第１情報記録カード３ｘ上に第２情報記録カード３ｙを重ねて設置した状態から、さらに、第３情報記録カード３ｚを重ねて設置する旨の指示画面が表示される。
【０１６１】
ステップＳ３１３ｂに於いて、タッチパネル９上に於いて、重ねて設置された第１情報記録カード３ｘ及び第２情報記録カード３ｙ上に第３情報記録カード３ｚが設置され、これら３つの情報記録カード３を通じて貫通する貫通孔３ｂに対応するタッチパネル９上の位置が検出された場合、ステップＳ３１３ｃに移行する。ステップ３１３ｂの処理内容は、第１実施形態に係る情報取得方法に関するフローチャート（図６参照）に於けるステップＳ１０３のサブルーチン（図７参照）と同一であるので、ここでは説明を省略する。但し、図１４（ｃ）乃至１４（ｄ）に図示されているように、第１情報記録カード３ｘ、第２情報記録カード３ｙ、及び、第３情報記録カード３ｚが重ねて設置された場合、これら３つの情報記録カード３を通じて貫通する貫通孔３ｂを介して押圧可能なタッチパネル９上の座標は、第３情報記録カード３ｚの第３領域３ｉに形成された貫通孔３ｂに対応する座標である。
【０１６２】
ステップＳ３１３ｃに於いて、ＣＰＵ１６が押圧位置総合座標データに所定の処理を施して、復号データを形成する。
【０１６３】
ステップＳ３１３ｄに於いて、復号データが第３情報の復号データであるか否かが判定される。復号データが第３情報の復号データであると判定された場合には、ステップＳ３１３ｅに移行する。反対に、復号データが第３情報の復号データではないと判定された場合には、ステップＳ３１３ｈに移行する。ステップＳ３１３ｈに於いて、復号データが第３情報ではない、即ち、タッチパネル９上に第３情報記録カード３ｚが設置され、貫通孔３ｂを介してタッチパネル９が押圧されていない旨の警告表示を第１表示部７に出力し、ステップＳ３１３ｂに移行する。
【０１６４】
ステップＳ３１３ｅに於いて、メモリ１２に第１情報の復号データが記憶されているか否か、即ち、事前に第１情報記録カード３ｘが設置され、第１情報の復号データが取得されたか否かが判定される。メモリ１２に第１情報の復号データが記憶されている場合には、ステップＳ３１３ｆに移行する。反対に、メモリ１２に第１情報の復号データが記憶されていない場合には、ステップＳ３１３ｈに移行する。ステップＳ３１３ｈに於いて、ＣＰＵ１６の制御によって、メモリ１２に第１情報の復号データが記憶されていない、即ち、第１情報記録カード３ｘがタッチパネル９上に設置され、第１情報が復号化されていない旨の警告表示が第１表示部７に出力され、ステップＳ３１３ｂに移行する。
【０１６５】
ステップＳ３１３ｆに於いて、メモリ１２に第２情報の復号データが記憶されているか否か、即ち、事前に第２情報記録カード３が設置され、第２情報の復号データが取得されたか否かが判定される。メモリ１２に第２情報の復号データが記憶されている場合には、ステップＳ３１３ｇに移行する。反対に、メモリ１２に第２情報の復号データが記憶されていない場合には、ステップ３１３ｈに移行する。ステップＳ３１３ｈに於いて、ＣＰＵ１６の制御によって、メモリ１２に第２情報の復号データが記憶されていない、即ち、第２情報記録カード３ｙがタッチパネル９上に設置され、第２情報が復号化されていない旨の警告表示が第１表示部７に出力され、ステップＳ３１３ｂに移行する。
【０１６６】
ステップＳ３１３ｇに於いて、第３情報の復号データがメモリ１２に記憶された第１情報の復号データ、及び、第２情報の復号データと所定の対応関係を有するか否かが判定される。第３情報の復号データが第１情報の復号データ、及び、第２情報の復号データと所定の対応関係を有する場合には、ステップＳ３１３ｉに移行する。反対に、第３情報の復号データが、第１情報の復号データ、及び、第２情報の復号データと所定の対応関係を有していない場合には、ステップＳ３１３ｈに移行する。具体的には、第１情報記録カード３ｘの第１領域３ｇに形成された貫通孔３ｂの数及び形成位置に関して、所定のパタンを有する第１情報の復号データと、第２情報記録カード３ｙの第２領域３ｈに形成された貫通孔３ｂの数及び形成位置に関して、所定のパタンを有する第２情報の復号データと、第３情報記録カード３ｚの第３領域３ｉに形成された貫通孔３ｂの数及び形成位置に関して、所定のパタンを有する第３情報の復号データが関連付けられて、メモリ１２に記憶されており、該関連付けを利用して、復号データの対応関係が判定する。
【０１６７】
ステップＳ３１３ｈに於いて、ＣＰＵ１６の制御によって、第３情報がメモリ１２に記憶された第１及び第２情報と対応しない旨の警告表示を第１表示部７に出力し、ステップＳ３１３ｂに移行する。
【０１６８】
ステップＳ３１３ｉに於いて、第３情報の復号データに対して所定の演算処理が実行され、ステップＳ３１３ｊに移行する。ステップＳ３１３ｊに於いて、所定の演算処理が実行された第３情報の復号データに対して出力処理を実行し、図１６のステップＳ３０９に移行する。
【０１６９】
[作用効果]
本実施形態に係る情報取得システム１によれば、第１情報記録カード３ｘ上に第２情報記録カード３ｙを重ねた場合、第２情報記録カード３ｙの第２領域３ｈに形成された貫通孔３ｂが第１情報記録カード３ｘの第２領域３ｈに形成された貫通孔３ｂの何れかに一致するので、これら２つの情報記録カード３を重ねた状態で、第２情報記録カード３ｙの第２領域３ｈに形成された貫通孔３ｂの形成位置に対応するタッチパネル９上の位置を押圧することが可能である。
【０１７０】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔が形成されていないので、第１情報記録カード３ｘ上に第２情報記録カード３ｙを重ねた場合、第１情報記録カード３ｘの第１領域３ｇに形成された貫通孔３ｂの形成位置に対応するタッチパネル９上の位置を押圧させないようにすることが出来る。即ち、この情報取得システム１によれば、第１情報記録カード３ｘの第１領域３ｇに形成された貫通孔３ｂの形成位置に対応する位置を押圧するためには、第１情報記録カード３ｘを単独で使用した場合に制限することが出来る。
【０１７１】
また、本実施形態に係る情報取得システム１によれば、第１情報記録カード３ｘ上に第２情報記録カード３ｙを重ねた状態で、さらに、第３情報記録カード３ｚを重ねた場合、第３情報記録カード３ｚの第３領域３ｉに形成された貫通孔３ｂが、第１情報記録カード３ｘ及び第２情報記録カード３ｙの第３領域３ｉに形成された貫通孔３ｂの何れかに一致するので、これら３つの情報記録カード３を重ねた状態で、第３情報記録カード３ｚの第３領域３ｉに形成された貫通孔３ｂの形成位置に対応するタッチパネル９上の位置を押圧することが可能である。
【０１７２】
また、本実施形態に係る情報取得システム１によれば、第３情報記録カード３ｚの第１領域３ｇに於いて、第１情報記録カード３ｘの第１領域３ｇに形成された貫通孔３ｂに対応する貫通孔が形成されておらず、さらに、第３情報記録カード３ｚの第２領域３ｈに於いて、第２情報記録カード３ｙの第２領域３ｈに形成された貫通孔３ｂに対応する貫通孔が形成されていないので、第３情報記録カード３ｚを第１情報記録カード３ｘ、及び、第２情報記録カード３ｙ上に設置した状態で、第１情報記録カード３ｘの第１領域３ｇ、及び、第２領域３ｈ、そして、第２情報記録カード３ｙの第２領域３ｈに形成された貫通孔３ｂの形成位置に対応するタッチパネル９上の位置を押圧させないようにすることが出来る。
【０１７３】
また、本実施形態に係る情報取得システム１によれば、第２情報の出力処理を実行する場合、メモリ１２に第１情報の復号データが記録されており、さらに、該第１情報の復号データと第２情報の復号データが所定の関係を有する場合に、第２情報の出力処理を実行することが出来る。即ち、第２情報の出力処理に先立って、第１情報の出力処理を実行しなければならないので、第２情報の復号データを単独で用いることによって、第２情報の出力処理を実行することを制限することが出来る。さらに、メモリ１２に記憶された第１情報の復号データと、第２情報の復号データが所定の関係を有している場合に、第２情報の出力処理を実行できるので、第１情報記録カード３ｘと共に使用することの出来る第２情報記録カード３ｙを所定の情報記録カード３に制限することが出来る。
【０１７４】
また、本実施形態に係る情報取得システム１によれば、第３情報の出力処理を実行する場合、メモリ１２に第１情報、及び、第２情報の復号データが記憶されており、さらに、第３情報の復号データと、第１情報、及び、第２情報の復号データが所定の関係を有する場合に、第３情報の出力処理を実行することが出来る。即ち、第３情報の出力処理に先立って、第１情報の出力処理、及び、第２情報の出力処理を実行しなければならないので、第３情報の復号データを単独で用いることによって、第３情報の出力処理を実行することを制限することが出来る。さらに、メモリ１２に記憶された第１情報及び第２情報の復号データと、第３情報の復号データが所定の関係を有している場合に、第３情報の出力処理を実行出来るので、第１情報記録カード３ｘ、及び、第２情報記録カード３ｙと共に使用することの出来る第３情報記録カード３ｚを所定の情報記録カード３に制限することが出来る。
【０１７５】
また、この情報取得システム１によれば、第１情報記録カード３ｘ、第２情報記録カード３ｙ、及び、第３情報記録カード３ｚに形成された貫通孔３ｂの形成位置に対応する位置の検出に際して、タッチパネル９を検出装置として使用することが出来るので、非常に汎用性が高い。
【０１７６】
また、本実施形態に係る情報取得システム１によれば、カードホルダ２２を使用することによって、タッチパネル９上に、第１情報記録カード３ｘ、第２情報記録カード３ｙ、及び、第３情報記録カード３ｚを重ねて設置した場合に於いても、これらの情報記録カード３の重なりにズレが生じて、情報記録カード３に形成された貫通孔３ｂの形成位置に対応するタッチパネル９上の位置が誤って検出されることを防止することが出来る。
【０１７７】
（４）第４実施形態
[全体構成]
本実施形態に係る情報取得システム１の構成については、前述の第１実施形態に係る情報取得システム１の構成（図１参照）と略同一であるので、ここでは同一部分について説明を省略し、異なる部分についてのみ説明する。
【０１７８】
前述の第１実施形態に係る情報取得システム１に於ける情報記録カード３は、第１情報記録カード３ｘ、及び、第２情報記録カード３ｙの２種類に分類することが出来た。しかし、本実施形態に係る情報取得システム１に於ける情報記録カード３は、第１情報記録カード３ｘ、第２情報記録カード３ｙ、及び、第３情報記録カード３ｚの３種類に分類することが出来る点で異なっている。
【０１７９】
[タッチパネルの構成]
本実施形態に係る情報取得システム１に於けるタッチパネル９の構成は、前述の第１実施形態に係る情報取得システム１に於けるタッチパネル９の構成（図２（ａ）乃至（ｂ）参照）と同一であるので、ここでは説明を省略する。
【０１８０】
[情報記録カードの構成]
図１７（ａ）は、本実施形態に係る情報取得システム１に於ける第１情報記録カード３ｘに関する上面図であり、図１７（ｂ）は第１情報記録カード３ｘのＹ方向に関する断面図である。また、図１７（ｃ）は、本実施形態に係る情報取得システム１に於ける第２情報記録カード３ｙに関する上面図であり、図１７（ｄ）は第２情報記録カード３ｙのＹ方向に関する断面図である。さらに、図１７（ｅ）は、本実施形態に係る情報取得システム１に於ける第３情報記録カード３ｚに関する上面図であり、図１７（ｆ）は第３情報記録カード３ｚのＹ方向に関する断面図である。
【０１８１】
図１７（ａ）乃至１７（ｂ）に図示されているように、第１情報記録カード３ｘは略矩形のカードであり、カード本体である板状部３ａに、表面３ｃから裏面３ｄまで貫通する貫通孔３ｂが形成されている。なお、第１情報記録カード３ｘの表面３ｃ及び裏面３ｄに、図形、文字等を印刷しても良い。
【０１８２】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えており、これら３つの領域のそれぞれに於いて、少なくとも１つの貫通孔３ｂが形成されている。
【０１８３】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈ、及び、第３領域３ｉのそれぞれの領域には、形成可能な最大数の貫通孔３ｂが形成されている。
【０１８４】
図１７（ｃ）乃至１７（ｄ）に図示されているように、第２情報記録カード３ｙは略矩形のカードであり、カード本体である板状部３ａに、表面３ｃから裏面３ｄまで貫通する貫通孔３ｂが形成されている。なお、第２情報記録カード３ｙの表面３ｃ及び裏面３ｄに、図形、文字等を印刷しても良い。
【０１８５】
第２情報記録カード３ｙは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えている。
【０１８６】
第１領域３ｇには、形成可能な最大数の貫通孔３ｂが形成されている。第２領域３ｈには、形成可能な最大数の貫通孔よりも少ない数の貫通孔３ｂが形成されており、該貫通孔３ｂの数及び形成位置によって、第２情報が符号化され、記録されている。また、第３領域３ｉには、形成可能な最大数の貫通孔３ｂが形成されている。
【０１８７】
図１７（ｅ）乃至１７（ｆ）に図示されているように、第３情報記録カード３ｚは略矩形のカードであり、カード本体である板状部３ａに、表面３ｃから裏面３ｄまで貫通する貫通孔３ｂが形成されている。なお、第３情報記録カード３ｚの表面３ｃ及び裏面３ｄに、図形、文字等を印刷しても良い。
【０１８８】
第３情報記録カード３ｚは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、第３領域３ｉを備えている。
【０１８９】
第１領域３ｇ、及び、第２領域３ｈには、形成可能な最大数の貫通孔３ｂが形成されている。第３領域３ｉには、形成可能な最大数の貫通孔よりも少ない数の貫通孔３ｂが形成されており、該貫通孔３ｂの数及び形成位置によって、第３情報が符号化され、記録されている。
【０１９０】
なお、第１情報記録カード３ｘ、第２情報記録カード３ｙ、及び、第３情報記録カード３ｚの第１領域３ｇに形成可能な貫通孔３ｂの最大数は同一であり、該最大数は、適宜変更出来るものとする。また、第１情報記録カード３ｘ、第２情報記録カード３ｙ、及び、第３情報記録カード３ｚの第２領域３ｈに形成可能な貫通孔３ｂの最大数は同一であり、該最大数は、適宜変更出来るものとする。また、第１情報記録カード３ｘ、第２情報記録カード３ｙ、及び、第３情報記録カード３ｚの第３領域３ｉに形成可能な貫通孔３ｂの最大数は同一であり、該最大数は、適宜変更出来るものとする。なお、第１領域３ｇ、第２領域３ｈ、及び、第３領域３ｉに於いて、貫通孔３ｂの数が形成可能な最大数である場合には、所定の情報が符号化されておらず、所謂ダミーの貫通孔として使用される。
【０１９１】
図１８（ａ）は、第１情報記録カード３ｘ上に第２情報記録カード３ｙを重ねた状態に於ける上面図であり、図１８（ｂ）は第１情報記録カード３ｘ上に第２情報記録カード３ｙを重ねた状態でのＹ方向の断面図である。また、図１８（ｃ）は、第１情報記録カード３ｘ、第２情報記録カード３ｙ、及び、第３情報記録カード３ｚを順に重ねた状態での上面図であり、図１８（ｄ）は、第１情報記録カード３ｘ、第２情報記録カード３ｙ、及び、第３情報記録カード３ｚを順に重ねた状態での断面図である。
【０１９２】
図１８（ａ）乃至１８（ｂ）に図示されているように、第１情報記録カード３ｘの表面３ｃと第２情報記録カード３ｙの裏面３ｄが接するようにして、第１情報記録カード３ｘ上に第２情報記録カード３ｙを重ねて設置した場合、第１情報記録カード３ｘの第１領域３ｇに形成された貫通孔３ｂと、第２情報記録カード３ｙの第２領域３ｈに形成された貫通孔３ｂ、及び、第３領域３ｉに形成された貫通孔３ｂが、第１情報記録カード３ｘ、及び、第２情報記録カード３ｙを通じて貫通した状態となる。なお、図１８（ａ）に於ける円形斜線部で示された貫通孔３ｂ（重複部３ｋ）は、第１情報記録カード３ｘ、及び、第２情報記録カード３ｙを通じて貫通孔３ｂが表裏両面に貫通していない部分を示す。
【０１９３】
図１８（ｃ）乃至１８（ｄ）に図示されているように、第１情報記録カード３ｘ上に第２情報記録カード３ｙを重ねて設置し、さらに、第２情報記録カード３ｙの表面３ｃと、第３情報記録カード３ｚの裏面３ｄが接するようにして、第１情報記録カード３ｘ、第２情報記録カード３ｙ、及び、第３情報記録カード３ｚを順に重ねて設置した場合、第１情報記録カード３ｘの第１領域３ｇに形成された貫通孔３ｂ、第２情報記録カード３ｙの第２領域３ｈに形成された貫通孔３ｂ、及び、第３情報記録カード３ｚの第３領域３ｉに形成された貫通孔３ｂが、第１情報記録カード３ｘ、第２情報記録カード３ｙ、及び、第３情報記録カード３ｚを通じて貫通した状態となる。なお、図１８（ｃ）に於ける円形斜線部で示された貫通孔３ｂ（重複部３ｋ）は、第１情報記録カード３ｘ、第２情報記録カード３ｙ、及び、第３情報記録カード３ｚを通じて貫通孔３ｂが表裏両面に貫通していない部分を示す。
【０１９４】
なお、情報記録カード３に形成された貫通孔３ｂの断面形状（情報記録カード３の表面３ｃから見た形状）は、円形に限らず、その他の形状であっても良い。
【０１９５】
[情報記録カード設置方法]  
本実施形態に係る情報取得システム１に於ける情報記録カード３の設置方法は、前述の第１実施形態に係る情報取得システム１に於ける情報記録カード３の設置方法と略同一であるので、ここでは説明を省略する。但し、本実施形態に於いては、電子機器２にカードホルダ２２を設置した場合、カードホルダ２２とタッチパネル９との間に情報記録カード３を３枚以上設置することが出来るものとする。
【０１９６】
[情報取得方法]
図１５は本実施形態に係る情報取得方法に関するフローチャートであり、図７、図１２、及び、図１９は、図１５に図示されたフローチャートに於ける一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは記録媒体１３ａに記憶されている場合もあり、通信ユニット１５によってネットワーク上から取得される場合もある。
【０１９７】
図１５、及び、図７のフローチャートは、前述の第３実施形態に係る情報取得方法に関するフローチャートと同一であり、本実施形態に係る情報取得方法と前述の第３実施形態に係る情報取得方法との違いは、図１５のステップＳ３１２、及び、ステップＳ３１３のサブルーチンである。したがって、ここでは同一部分についての説明を省略し、図１５のステップＳ３１２、及び、ステップＳ３１３の内容について述べる。
【０１９８】
図１５のステップＳ３０１乃至Ｓ３０９に於いて、第１情報記録カード３ｘに符号化され記録された第１情報の出力処理が実行され、さらに、ステップＳ３１０に於いて、他の第１情報記録カード３ｘに符号化され記憶された情報を取得するモードが選択されなかった場合には、ステップＳ３１１に移行する。ステップＳ３１１に於いて、第２情報記録カード３ｙに符号化され記録された第２情報の情報取得モードが選択された場合、ステップＳ３１２に移行し、反対に、第２情報の情報取得モードが選択されなかった場合には、ステップＳ３１３に移行する。
【０１９９】
ステップＳ３１２に於いて、第２情報の情報取得モードが実行された場合、ステップＳ３０９に移行する。ステップＳ３１２の第２情報の情報取得モードについては、前述の第３実施形態に於いては図９のサブルーチンが実行されるが、本実施形態に於いては図１２のサブルーチンが実行される。なお、図１２のサブルーチンについては、前述の第２実施形態に係る情報取得モードに関するフローチャート（図６参照）に図示されたステップＳ１１１のサブルーチン（図１２参照）と同一であるので、ここでは説明を省略する。
【０２００】
ステップＳ３１３に於いて、第３情報取得カード３ｚに符号化され記憶された第３情報に関する情報取得処理が実行される。ここで、図１９を参照して、ステップＳ３１３の処理内容について説明する。なお、図１９のフローチャートは、前述の第３実施形態に係る情報取得方法に関するフローチャート（図１６参照）と同一処理を含むので、同一部分には同一符号を付して説明する。
【０２０１】
図１９のステップ３１３ａに於いて、ＣＰＵ１６の制御によって、第１表示部７に第１情報記録カード３ｘ上に第２情報記録カード３ｙを重ねて設置した状態から、さらに、第３情報記録カード３ｚを重ねて設置する旨の指示画面が表示される。
【０２０２】
ステップＳ３１３ｂに於いて、タッチパネル９上に於いて、重ねて設置された第１情報記録カード３ｘ、及び、第２情報記録カード３ｙ上に第３情報記録カード３ｚが設置され、これら３つの情報記録カード３を通じて貫通する貫通孔３ｂを介してタッチパネル９が押圧された場合、ステップＳ３１３ｃに移行する。ステップ３１３ｂの処理内容は、第１実施形態に係る情報取得方法に関するフローチャート（図６参照）に於けるステップＳ１０３のサブルーチン（図７参照）と同一であるので、ここでは説明を省略する。但し、図１８（ｃ）乃至１８（ｄ）に図示されているように、第１情報記録カード３ｘ、第２情報記録カード３ｙ、及び、第３情報記録カード３ｚが重ねて設置された場合、これら３つの情報記録カード３を通じて貫通する貫通孔３ｂを介して押圧可能なタッチパネル９上の座標は、第１情報記録カード３ｘの第１領域３ｇに形成された貫通孔３ｂ、第２情報記録カード３ｙの第２領域３ｈに形成された貫通孔３ｂ、及び、第３情報記録カード３ｚの第３領域３ｉに形成された貫通孔３ｂに対応する座標である。
【０２０３】
ステップＳ３１３ｃに於いて、ＣＰＵ１６が押圧位置総合座標データに所定の処理を施して、復号データを形成する。
【０２０４】
ステップＳ３１３ｋに於いて、メモリ１２に第１情報の復号データが記憶されているか否か、即ち、事前に第１情報記録カード３ｘが設置され、第１情報の復号データが取得されたか否かが判定される。メモリ１２に第１情報の復号データが記憶されている場合には、ステップＳ３１３ｌに移行する。反対に、メモリ１２に第１情報の復号データが記憶されていない場合には、ステップＳ３１３ｈに移行する。ステップＳ３１３ｈに於いて、メモリ１２に第１情報の復号データが記憶されていない、即ち、タッチパネル９上に第１情報記録カード３ｘが設置され、第１情報が復号化されていない旨の警告表示を第１表示部７に出力し、ステップＳ３１３ｂに移行する。
【０２０５】
ステップＳ３１３ｌに於いて、メモリ１２に第２情報の復号データが記憶されているか否か、即ち、事前に第２情報記録カード３ｙが設置され、第２情報の復号データが取得されたか否かが判定される。メモリ１２に第２情報の復号データが記憶されている場合には、ステップＳ３１３ｍに移行する。反対に、メモリ１２に第２情報の復号データが記憶されていない場合には、ステップＳ３１３ｈに移行する。ステップＳ３１３ｈに於いて、メモリ１２に第２情報の復号データが記憶されていない、即ち、タッチパネル９上に第２情報記録カード３ｙが設置され、第２情報が復号化されていない旨の警告表示を第１表示部７に出力し、ステップＳ３１３ｂに移行する。
【０２０６】
ステップＳ３１３ｍに於いて、復号データに第１情報が含まれるか否か、即ち、第１情報記録カード３ｘ、第２情報記録カード３ｙ、及び、第３情報記録カード３ｚが順に重ねられた状態で、第１情報記録カード３ｘの第１領域３ｇに形成された貫通孔３ｂに対応するタッチパネル９上の位置が押圧されたか否かが判定される。復号データに第１情報が含まれる場合には、ステップＳ３１３ｎに移行する。反対に復号データに第１情報が含まれない場合、即ち、第１情報記録カード３ｘがタッチパネル９上に設置されていない場合には、ステップＳ３１３ｈに移行し、第１情報記録カード３ｘが設置され、第１情報が復号化されていない旨の警告表示を第１表示部７に出力し、ステップＳ３１３ｂに移行する。
【０２０７】
ステップＳ３１３ｎに於いて、復号データに第２情報が含まれるか否か、即ち、第１情報記録カード３ｘ、第２情報記録カード３ｙ、及び、第３情報記録カード３ｚが順に重ねられた状態で、第２情報記録カード３ｘの第２領域３ｈに形成された貫通孔３ｂに対応するタッチパネル９上の位置が押圧されたか否かが判定される。復号データに第２情報の復号データが含まれる場合には、ステップＳ３１３ｏに移行する。反対に復号データに第２情報の復号データが含まれない場合、ステップＳ３１３ｈに移行する。ステップＳ３１３ｈに於いて、第１情報記録カード３ｘと第２情報記録カード３ｙが重ねて設置され、これら２つの情報記録カード３を通じて貫通する貫通孔３ｂを介してタッチパネル９の対応する位置が押圧されていない旨の警告表示を第１表示部７に出力し、ステップＳ３１３ｂに移行する。
【０２０８】
ステップＳ３１３ｏに於いて、復号データに第３情報が含まれるか否か、即ち、第１情報記録カード３ｘ、第２情報記録カード３ｙ、第３情報記録カード３ｚが順に重ねられた状態で、第３情報記録カード３ｚの第３領域３ｉに形成された貫通孔３ｂに対応するタッチパネル９上の位置が押圧されたか否かが判定される。復号データに第３情報が含まれる、即ち、第１情報記録カード３ｘ、第２情報記録カード３ｙ、及び、第３情報記録カード３ｚが重ねて設置され、第３情報が復号化されている場合には、ステップＳ３１３ｉに移行する。反対に復号データに第３情報が含まれない場合、ステップＳ３１３ｈに移行する。ステップＳ３１３ｈに於いて、第３情報記録カード３ｚが第１情報記録カード３ｘ、及び、第２情報記録カード３ｙ上に重ねて設置され、第３情報が復号化されていない旨の警告表示を第１表示部７に出力し、ステップＳ３１３ｂに移行する。
【０２０９】
ステップＳ３１３ｉに於いて、第３情報の復号データに対して所定の演算処理が実行され、ステップＳ３１３ｊに移行する。ステップＳ３１３ｊに於いて、所定の演算処理が実行された第３情報の復号データに対して出力処理が実行され、図１５のステップＳ３０９に移行する。
【０２１０】
なお、本実施形態に於いて、第２情報の出力処理を実行するためには、第１情報の復号データがメモリ１２に記憶され、且つ、第１情報記録カード３ｘと第２情報記録カード３ｙが重ねられた状態でタッチパネル９上に設置され、２つの情報記録カード３を通じて貫通する貫通孔３ｂを介してタッチパネル９上の対応する位置が押圧されることが前提となっているが、第２情報を復号化する前提として、第１情報がメモリ１２に記憶されることが必要ではない場合には、図１２のステップＳ１１１ｊを省略することが出来る。
【０２１１】
また、本実施形態に於いて、第３情報の出力処理を実行するために、第１情報の復号データ、及び、第２情報の復号データがメモリ１２に記憶されることが前提となっているが、第３情報の出力処理に際して、第１情報の復号データ、及び、第２情報の復号データがメモリ１２に記憶されている必要がなければ、図１９のステップＳ３１３ｋ及びＳ３１３ｌを省略することが出来る。さらに、本実施形態に於いて、第３情報の出力処理に際して、第１情報記録カード３ｘ上に第３情報記録カード３ｚを重ねて設置し、これら２つの情報記録カード３を通じて貫通する貫通孔３ｂを介してタッチパネル９上の対応する位置が押圧されことが前提、即ち、第２情報記録カード３ｙを重ねて設置する必要がない場合には、図１９のステップＳ３１３ｎを省略することが出来る。
【０２１２】
[作用効果]
本実施形態に係る情報取得システム１によれば、第１情報記録カード３ｘ上に第２情報記録カード３ｙを重ねた場合、第２情報記録カード３ｙの第２領域３ｈに形成された貫通孔３ｂが第１情報記録カード３ｘの第２領域３ｈに形成された貫通孔３ｂの何れかに一致するので、これら２つの情報記録カード３を重ねた状態で、第２情報記録カード３ｙの第２領域３ｈに形成された貫通孔３ｂの形成位置に対応するタッチパネル９上の位置を押圧することが可能である。
【０２１３】
また、この情報取得システム１によれば、第２情報記録カード３ｙの第１領域３ｇに於いて、第１情報記録カード３ｘの第１領域３ｇに形成された貫通孔３ｂに対応する貫通孔３ｂが形成されているので、第１情報記録カード３ｘ上に第２情報記録カード３ｙを重ねた場合、第１情報記録カード３ｘの第１領域３ｇに形成された貫通孔３ｂの形成位置に対応するタッチパネル９上の位置を押圧することが出来る。
【０２１４】
また、本実施形態に係る情報取得システム１によれば、第１情報記録カード３ｘ上に第２情報記録カード３ｙを重ねて設置し、さらに、第３情報記録カード３ｚを重ねた場合、第３情報記録カード３ｚの第３領域３ｉに形成された貫通孔３ｂが第１情報記録カード３ｘ、及び、第２情報記録カード３ｙの第３領域３ｉに形成された貫通孔３ｂの何れかに一致するので、これら３つの情報記録カード３ｚを重ねた状態で、第３情報記録カード３ｚの第３領域３ｉに形成された貫通孔３ｂの形成位置に対応するタッチパネル９上の位置を押圧することが可能である。
【０２１５】
また、本実施形態に係る情報取得システム１によれば、第３情報記録カード３ｚの第１領域３ｇに於いて、第１情報記録カード３ｘの第１領域３ｇに形成された貫通孔３ｂに対応する貫通孔３ｂが形成されており、さらに、第３情報記録カード３ｚの第２領域３ｈに於いて、第２情報記録カード３ｙの第２領域３ｈに形成された貫通孔３ｂに対応する貫通孔３ｂが形成されているので、第１情報記録カード３ｘ、第２情報記録カード３ｙ、及び、第３情報記録カード３ｚを順に重ねた状態で、第１情報記録カード３ｘの第１領域３ｇに形成された貫通孔３ｂと、第２情報記録カード３ｙの第２領域３ｈに形成された貫通孔３ｂの形成位置に対応するタッチパネル９上の位置を押圧することが出来る。
【０２１６】
また、本実施形態に係る情報取得システム１によれば、第２情報の出力処理を実行する場合、メモリ１２に第１情報の復号データが記録されており、さらに、押圧位置総合座標データに基づいて形成された復号データに、第１情報の復号データ、及び、第２情報の復号データの両方が含まれている場合に、第２情報の出力処理を実行することが出来る。即ち、第２情報の出力処理に先立って、第１情報の出力処理を実行しなければならないので、第２情報記録カード３ｙのみを用いて第２情報の出力処理を実行することを制限することが出来る。さらに、復号データに第１情報と第２情報の両方が含まれている場合に、第２情報の出力処理を実行するので、第１情報記録カード３ｘ上に第２情報記録カード３ｙを重ねて設置して、第２情報の出力処理を実行した場合にのみ、第２情報を出力することが出来るという制限を加えることが出来る。
【０２１７】
また、本実施形態に係る情報取得システム１によれば、第３情報の出力処理を実行する場合、メモリ１２に第１情報、及び、第２情報の復号データが記録されており、さらに、押圧位置総合座標データに基づいて形成された復号データに、第１情報の復号データ、第２情報の復号データ、及び、第３情報の復号データが含まれている場合に、第３情報の出力処理を実行することが出来る。即ち、第３情報の出力処理に先立って、第１情報、及び、第２情報の出力処理を実行しなければならないので、第３情報記録カード３ｚのみを用いて第３情報の出力処理を実行することを制限することが出来る。さらに、復号データに第１情報の復号データ、第２情報の復号データ、及び、第３情報の復号データが含まれている場合に、第３情報の出力処理を実行するので、第１情報記録カード３ｘ上に第２情報記録カード３ｙを重ねて設置し、さらに、第３情報記録カード３ｚを重ねて設置して、第３情報の出力処理を実行した場合にのみ、第３情報を出力することが出来るという制限を加えることが出来る。
【０２１８】
また、本実施形態に係る情報取得システム１によれば、第１情報記録カード３ｘ、第２情報記録カード３ｙ、及び、第３情報記録カード３ｚに形成された貫通孔３ｂの形成位置に対応する位置の検出に関して、タッチパネル９を検出装置として使用することが出来るので、非常に汎用性が高い。
【０２１９】
また、本実施形態に係る情報取得システム１によれば、カードホルダ２２を使用することによって、タッチパネル９上に、第１情報記録カード３ｘ、第２情報記録カード３ｙ、及び、第３情報記録カード３ｚを重ねて設置した場合に於いても、これらの情報記録カード３の重なりにズレが生じて、情報記録カード３に形成された貫通孔３ｂの形成位置に他押するタッチパネル９上の位置が誤って検出されることを防止することが出来る。
【０２２０】
（５）第５実施形態
[全体構成]
本実施形態に係る情報取得システム１は、前述の第１乃至第４実施形態のそれぞれに対応する変形例である。本実施形態に係る情報取得システム１の構成については、前述の第１乃至第４実施形態の構成（図１参照）と略同一であるので、同一部分については説明を省略し、異なる部分についてのみ説明する。
【０２２１】
図２０は、本実施形態に係る情報取得システム１に関する概略構成図である。本実施形態に係る情報取得システム１に於いては、前述の第１乃至第４実施形態に係る情報取得システム１に於いて設置されているタッチパネル９の代わりに、光感知パネル１７を備えており、さらに、開閉センサ１８を備えている。また、本実施形態に係る情報取得システム１は、入力補助具４を備えていない。
【０２２２】
光感知パネルは、第２表示部８の上方に重ねて設置されており、受光した光の強度に対応して電気信号を出力する。開閉センサ１８は、電子機器２の上部筐体２ａと下部筐体２ｂとが閉状態になった場合に、所定のレベルの検出信号を出力する。
【０２２３】
[光感知パネルの構成]
図２１（ａ）は、本実施形態に係る情報取得システム１に於ける光感知パネル１７の模式図である。光感知パネル１７は、第２表示部８上と略同一の形状及び大きさを有しており、該第２表示部８上に重ねて配置されている。なお、光感知パネル１７は、第２表示部８上に重ねて配置された状態で、第２表示部８を視認可能な程度の透過率を有している。
【０２２４】
図２１（ａ）に図示されているように、光感知パネル１７は、走査電極Ｓ（Ｓ１・・・Ｓｎ）と、データ電極Ｇ（Ｇ１・・・Ｇｍ）と、データ電極Ｇと走査電極Ｓに接続された受光センサ回路１７ａとを備えている。受光センサ回路１７ａは、データ電極Ｇと走査電極Ｓとの交差部に形成されるセルＰ（Ｐ１１・・Ｐｍｎ）ごとに配置されている。各受光センサ回路１７ａは、光センサと、スイッチとを備えている。光センサは、フォトダイオード等で構成され、受光した光の強度に対応する電気信号を出力する。スイッチは、走査電極Ｓに走査信号が印加された場合に、光センサとデータ電極Ｇとを電気的に接続する。この光感知パネル１７では、受光センサ回路１７ａのスイッチを駆動する走査信号を各走査電極Ｓ（Ｓ１・・Ｓｎ）に順次印加することにより、走査信号が印加された走査電極Ｓに接続された光センサ回路１７ａにおいてスイッチがオンの状態となり、光センサの検出値がデータ電極Ｇに出力される。したがって、ＣＰＵ１６の制御により、各走査電極Ｓに走査信号を順次印加して各データ電極Ｇからの出力をメモリ１２に記憶することにより、各セルＰにおける光の受光強度を検出することが出来る。
【０２２５】
[情報記録カードの構成]
本実施形態に係る情報取得システム１は、前述の第１乃至第４実施形態のそれぞれに対応する変形例である。したがって、本実施形態に係る情報取得システム１に於ける情報記録カード３については、前述の第１乃至第４実施形態のそれぞれの構成と略同一であるので、同一部分については説明を省略し、異なる部分についてのみ説明する。
【０２２６】
本実施形態に係る情報取得システム１に於ける情報記録カード３は、板状部３ａに形成された貫通孔３ｂを介して、表面３ｃと裏面３ｄとの間で光を透過させるが、貫通孔３ｂが形成されていない板状部３ａの部分では、光を透過させない。
【０２２７】
[情報記録カード設置方法]  
本実施形態に係る情報取得システム１に於ける情報記録カード３の設置方法は、前述の第１乃至第４実施形態に係る情報取得システム１に於ける情報記録カード３のそれぞれの設置方法と略同一であるので、同一部分については説明を省略し、異なる部分について、図５（ａ）乃至５（ｄ）、及び、図２１（ｂ）を参照して説明する。
【０２２８】
図５（ａ）は、本実施形態に係る情報取得システム１の電子機器２を閉じた状態の概略斜視図であり、図５（ｂ）は電子機器２を開いた状態の概略図であり、図５（ｃ）は、情報記録カード３、及び、電子機器２にカードホルダ２２を設置した状態の概略図であり、図５（ｄ）は、電子機器２にカードホルダ２２を設置した状態で情報記録カード３を設置した概略図である。但し、本実施形態に係る情報取得システム１に於いては、図５（ｄ）に図示された入力補助具４は使用しない。また、図２１（ｂ）は、情報取得システム１に於ける電子機器２の上部筐体２ａ、及び、下部筐体２ｂが、情報記録カード３を挟設して閉じた状態に於ける断面図である。
【０２２９】
本実施形態に於いては、図５（ｂ）に図示されているように、電子機器２が開いた状態で、下部筐体２ｂに設置された光感知パネル上に情報記録カード３が設置される。そして、図５（ａ）に図示されているように、電子機器２を閉状態にした場合、図２１（ｂ）に図示されているように、情報記録カード３が第１表示部７と光感知パネル１７との間に挟設された状態となる。また、本実施形態に於いては、光感知パネル１７上に情報記録カード３を少なくとも２枚重ねて設置した場合に於いても、電子機器２を閉じた状態に保つことが出来るように、上部筐体２ａ及び下部筐体２ｂの形状が設定されている。
【０２３０】
なお、本実施形態に於いて、図５（ｃ）乃至５（ｄ）に図示されているように、電子機器２の下部筐体２ｂにカードホルダ２２を設置する場合には、電子機器２を閉状態に保つことができるように、上部筐体２ａ及び下部筐体２ｂの形状を設定すればよい。
【０２３１】
[情報取得方法]
第５実施形態に係る情報取得システム１に於ける情報取得方法は、前述の第１乃至第４実施形態に係る情報取得システム１に於ける情報取得方法と略同一であるので、同一部分については説明を省略し、異なる部分について説明する。
【０２３２】
前述の第１乃至第４実施形態に係る情報取得システム１に於ける情報取得方法では、タッチパネル９上に情報記録カード３を設置し、該情報記録カード３に形成された貫通孔３ｂを介してタッチパネル９上の対応する位置が押圧されることによって、貫通孔３ｂの数及び形成位置を検出している。上述の第１乃至第４実施形態に於いて、貫通孔３ｂの数及び形成位置の検出に関する処理ステップは、図７のフローチャート（図６のステップＳ１０３のサブルーチン、図９のステップＳ１１１ｂのサブルーチン、図１２のステップＳ１１１ｂのサブルーチン、図１５のステップＳ３０３のサブルーチン、図１６のステップＳ３１３ｂのサブルーチン、及び、図１９のステップＳ３１３ｂのサブルーチン）に該当する。
【０２３３】
一方、本実施形態に係る情報取得システム１に於ける情報取得方法では、光感知パネル１７上に情報記録カード３を設置し、電子機器２を閉状態にして、光感知パネル１７が情報記録カード３に形成された貫通孔３ｂを介して第１表示部７からの発光を受光することによって、貫通孔３ｂの形成位置に対応する位置を検出する。ここで、図２２及び図８（ａ）乃至８（ｄ）を参照して、前述の第１乃至第４実施形態に於ける図７のフローチャートに対応する本実施形態に於ける処理ステップを説明する。
【０２３４】
図２２は、本実施形態に係る情報取得システム１に於ける情報記録カード３の貫通孔３ｂの検出ステップに関するフローチャートである。ステップＳ５０１に於いて、電子機器２が図５（ａ）に示す閉状態になったか否かを判定する。情報記録カード３が光感知パネル１７上に設置され、電子機器２が閉じた状態にされた場合、ＣＰＵ１６は開閉センサ１８からの検出信号を受信し、ステップＳ５０２に移行する。反対に、ＣＰＵ１６が開閉センサ１８からの検出信号を受信していない場合、電子機器２が開いた状態であるとして、ステップＳ５０３に移行する。ステップＳ５０３に於いて、ＣＰＵ１６は電子機器２が閉じた状態ではない旨の警告表示を第１表示部７に出力し、ステップＳ５０１に移行する。なお、該警告表示の代わりに、スピーカ１０を制御して、所定の警告音声を出力する構成としても良い。
【０２３５】
ステップＳ５０２に於いて、ＣＰＵ１６は、第１表示部７を制御して、第１表示部７の画面全体を白色で発光させる。なお、第１表示部７の発光は、光感知パネル１７の光センサで感知可能な輝度で発光させる限り、どのような表示色で発光させても良い。
【０２３６】
ステップＳ５０４に於いて、ＣＰＵ１６はデータ電極Ｓに走査信号を順次印加して、ステップＳ５０５に移行する。ステップＳ５０５に於いて、データ電極Ｇから各セルに対する光センサの検出値を取得し、ステップＳ５０６に移行する。
【０２３７】
ここで、図８（ａ）乃至８（ｄ）を参照して、ステップＳ５０６の処理について説明する。図８（ａ）は、本実施形態に係る情報取得システム１に於ける光感知パネル１７の受光可能位置（セルＰ）を示す図であり、光感知パネル１７が所定の強度以上で受光したセルＰを黒塗りで表現している。図８（ｂ）は、光感知パネル１７のセルＰの座標（Ｐ１１乃至Ｐｍｎ）に関する表である。図８（ｃ）は、光感知パネル１７の各セルＰの検出値に対応して数値が割り当てられた表（以後、検出位置座標データと称す）である。
【０２３８】
図８（ａ）に図示されているように、ＣＰＵ１６によって、黒塗り部分に於けるセルＰに対する光センサの検出値と、メモリ１２に記憶されている予め設定された所定の閾値とが比較され、検出値が閾値以上である場合には、当該セルＰに「１」が割り当てられる。反対に、検出値が閾値未満の場合には、当該セルＰに「０」が割り当てられる。したがって、図８（ａ）の例では、光感知パネル１７上のセルＰに対応する座標（Ｐ７７）に「１」が割り当てられる。このようにして、各セルに対する光センサの検出値を取得し、ＣＰＵ１６が該検出値を所定の閾値と比較することによって、各セルに対応する座標に「１」又は「０」の値が割り当てられ、図８（ｃ）に図示された検出位置座標データが形成され、メモリ１２に記憶されて、ステップＳ５０７に移行する。
【０２３９】
ステップＳ５０７に於いて、全セルＰに対応する座標に「１」又は「０」の値が割り当てられたか否かが判別される。全セルＰに「１」又は「０」の値が割り当てられた場合には、ステップＳ５０８に移行する。ステップＳ５０８に於いて、ＣＰＵ１６は検出位置座標データを検出位置総合座標データとしてメモリ１２に記憶させ、図２２の処理ステップを終了する。反対に、ステップＳ５０７に於いて、全セルＰに対応する座標に「１」又は「０」の値が割り当てられていない場合には、ステップＳ５０９に移行する。ステップＳ５０９に於いて、未走査のセルを走査対象となる走査電極に決定し、ステップＳ５０４に移行する。
【０２４０】
[作用効果]
本実施形態に係る情報取得システム１によれば、前述の第１乃至第４実施形態の有する作用効果と同様の効果を奏する。
【０２４１】
また、本実施形態に係る情報取得システム１によれば、情報記録カード３に設けられた貫通孔３ｂの形成位置に対応する位置を、光感知パネル１７によって検出することが可能であるので、汎用性が高い。
【０２４２】
また、本実施形態に係る情報取得システム１によれば、電子機器２の開閉操作によって、光感知パネル１７上に設置された情報記録カード３に形成された貫通孔３ｂの形成位置に対応する位置を検出することが出来るので、ユーザにとって操作が容易である。
【０２４３】
（６）第６実施形態
[全体構成]
本実施形態に係る情報取得システム１は、前述の第１乃至第４実施形態のそれぞれに対応する変形例である。本実施形態に係る情報取得システム１の構成については、前述の第１乃至第４実施形態の構成（図１参照）と略同一であるので、同一部分については説明を省略し、異なる部分についてのみ説明する。
【０２４４】
図２３は、本実施形態に係る情報取得システム１に関する概略構成図である。本実施形態に係る情報取得システム１に於いては、前述の第１乃至第４実施形態に係る情報取得システム１に於いて設置されているタッチパネル９の代わりに、走査部１９を備えており、さらに、開閉センサ１８を備えている。また、本実施形態に係る情報取得システム１は、入力補助具４を備えていない。
【０２４５】
走査部１９は、第２表示部の上方に重ねて設置されており、光の反射率の異なる部分を検出し、電気信号をＣＰＵ１６に出力する。開閉センサ１８は、電子機器２の上部筐体２ａと下部筐体２ｂとが閉状態になった場合に、所定のレベルの検出信号を出力する。
【０２４６】
[走査部の構成]
図２４（ａ）は、本実施形態に係る情報取得システム１に於ける走査部１９の模式図である。走査部１９は、下部筐体２ｂに於いて第２表示部８の上方に設置されており、フィルム２０と走査ユニット２１で構成される。フィルム２０は、光を良好に透過するフィルムであり、情報記録カード３に形成された貫通孔３ｂの形成位置に対応する位置を検出する際には、該フィルム２０上に情報記録カード３が設置される。走査ユニット２１は、ハロゲンランプ、ＬＥＤ等で構成される発光手段２１ａと、発光手段２１ａによって露光走査された情報記録カード３からの反射光を集光し、光センサに入力する為のロッドアイレンズ２１ｂと、ロッドアイレンズ２１ｂから入力される光を検出するラインセンサ２１ｃとを備えている。走査ユニット２１は、情報記録カード３がフィルム２０上に設置された状態で、情報記録カード３を１ライン分ずつ露光走査し、情報記録カード３からの反射光を検出し、該検出値をＣＰＵ１６に出力する。なお、本実施形態に於いては、走査ユニット２１の下方に第２表示部８が配置されているので、走査ユニット２１は情報記録カード３に形成された貫通孔３ｂの形成位置に関する情報取得時以外には、第２表示部８の視認を妨げない位置に退避するように制御する。
【０２４７】
図２４（ｂ）は、本実施形態に係る情報取得システム１に於いて、情報記録カード３の反射光を利用した情報取得原理を説明する図である。情報記録カード３に形成された貫通孔３ｂの位置を検出する際には、情報記録カード３はフィルム２０上に設置される。この時、情報記録カード３は、裏面３ｄがフィルム２０と接するように設置される。
【０２４８】
ＣＰＵ１６の制御により、走査ユニット２１が駆動し、情報記録カード３への露光走査が開始されると、図２４（ｂ）に図示されているように、貫通孔３ｂが形成されていない板状部３ａの部分、即ち、反射率の高い部分に於いて、走査ユニット２１の発光手段２１ａからの光（矢印ａ）が反射され、殆どの入射光が反射光（矢印ｂ）となり、強い反射光が走査ユニット２１のラインセンサ２１ｃで検出される。一方、貫通孔３ｂでは、走査ユニット２１の発光手段２１ａからの光（矢印ｃ）は、貫通孔３ｂを殆ど透過して、弱い反射光が走査ユニット２１のラインセンサ２１ｃで検出される。このように、貫通孔３ｂの形成されていない板状部３ａの部分に於ける反射率と、貫通孔３ｂに於ける反射率との差異を利用して、情報記録カード３に形成された貫通孔３ｂの形成位置を検出する。
【０２４９】
[情報記録カードの構成]
本実施形態に係る情報取得システム１に於ける情報記録カード３の構成は、前述の第１乃至第４実施形態に係る情報取得システム１に於ける情報記録カード３の構成と略同一であるので、同一部分については説明を省略し、異なる部分についてのみ説明する。
【０２５０】
本実施形態に係る情報取得システム１に於ける情報記録カード３は、走査部１９に対向して配置される情報記録カード３の裏面３ｄの反射率が十分大きくなるように、板状部３ａを形成している。より詳細には、板状部３ａの裏面３ｄの反射率は、裏面３ｄの反射光の検出値が貫通孔３ｂでの反射光の検出値と区別可能な程度に十分大きくなっている。
【０２５１】
[情報記録カードの設置方法]
本実施形態に係る情報取得システム１に於ける情報記録カード３の設置方法は、前述の第１乃至第４実施形態に係る情報取得システム１に於ける情報記録カード３のそれぞれの設置方法と同一であるので、説明を省略する。
【０２５２】
[情報取得方法]
本実施形態に係る情報取得システム１に於ける情報取得方法は、前述の第１乃至第４実施形態に係る情報取得システム１に於ける情報取得方法と略同一であるので、同一部分については説明を省略し、異なる部分について説明する。
【０２５３】
前述の第１乃至第４実施形態に係る情報取得システム１に於ける情報取得方法では、タッチパネル９上に情報記録カード３を設置し、該情報記録カード３に形成された貫通孔３ｂを介してタッチパネル９上の対応する位置を押圧することによって、貫通孔３ｂの数及び形成位置を検出している。上述の第１乃至第４実施形態に於いて、貫通孔３ｂの数及び形成位置の検出に関する処理ステップは、図７のフローチャート（図６のステップＳ１０３のサブルーチン、図９のステップＳ１１１ｂのサブルーチン、図１２のステップＳ１１１ｂのサブルーチン、図１５のステップＳ３０３のサブルーチン、図１６のステップＳ３１３ｂのサブルーチン、及び、図１９のステップＳ３１３ｂのサブルーチン）に該当する。
【０２５４】
一方、本実施形態に係る情報取得システム１に於ける情報取得方法では、走査部１９のフィルム２０上に情報記録カード３を設置し、走査部１９の走査ユニット２１が情報記録カード３に露光走査し、反射率の違いによって、貫通孔３ｂの形成位置を検出する。ここで、図２５、及び、図８（ａ）乃至８（ｄ）を参照して、前述の第１乃至第４実施形態に於ける図７のフローチャートに対応する本実施形態に於ける処理ステップを説明する。
【０２５５】
図２５は、本実施形態に係る情報取得システム１に於ける情報記録カード３に形成された貫通孔３ｂに対応する位置の検出ステップに関するフローチャートである。ステップＳ６０１に於いて、ＣＰＵ１６は、ユーザによる操作キー６からの入力によって、走査部１９による情報記録カード３に形成された貫通孔３ｂの形成位置の検出処理の開始指示があったか否かが判定される。ＣＰＵ１６によって、該検出処理の開始指示があったと判別された場合には、ステップＳ６０２に移行する。反対に、該検出処理の開始指示がなかったと判別された場合には、ステップＳ６０１を繰り返す。
【０２５６】
ここで、図８（ａ）乃至８（ｄ）を参照して、ステップＳ６０２の処理について説明する。図８（ａ）は、本実施形態に係る情報取得システム１に於ける走査部１９のフィルム２０上に於ける反射光を検出可能な位置（セルＰ）を示す図であり、走査部１９によって所定の強度以上の反射光が検出されたセルＰを黒塗りで表現している。図８（ｂ）は、走査部１９のフィルム２０に於けるセルＰの座標（Ｐ１１乃至Ｐｍｎ）に関する表である。図８（ｃ）は、走査部１９のフィルム２０に於ける各セルＰの検出値に対応して数値が割り当てられた表（以後、検出位置座標データと称す）である。
【０２５７】
ステップＳ６０２に於いて、ＣＰＵ１６は、走査ユニット２１を駆動して、図８（ａ）に図示されたフィルム２０上の検出可能な位置（座標）に於ける１ライン分の検出値を取得して、ステップＳ６０３に移行する。なお、１ライン分とは、１列（例えば、Ｐ１１乃至Ｐｍ１で構成される第１列）、又は、１行（例えば、Ｐ１１乃至Ｐ１ｎで構成される第１行）の何れかを意味し、走査ユニット２１が設置される方向によって適宜変更されるものとする。
【０２５８】
ステップＳ６０３に於いて、例えば図８（ａ）に図示されているように、ＣＰＵ１６によって、黒塗り部分に於ける走査部１９による反射光の検出値と、メモリ１２に記憶されている予め設定された所定の閾値とが比較され、検出値が閾値以上である場合には、当該セルＰに「０」が割り当てられる。反対に、検出値が閾値未満であれば、当該セルＰに「１」が割り当てられる。即ち、貫通孔３ｂが形成された位置とセルＰが一致する場合には、検出値が閾値未満となり、「１」が割り当てられ、貫通孔３ｂが形成されていない位置とセルＰが一致する場合には、検出値が閾値以上となり、「０」が割り当てられることになる。このように、ＣＰＵ１６は、ステップＳ６０２で取得した１ライン分の座標の検出値を所定の閾値と順次比較し、図８（ｃ）に図示されている検出位置座標データを形成し、該検出位置座標データをメモリ１２に記憶して、ステップＳ６０４に移行する。なお、検出位置座標データは、１ライン分の各セルＰに値が割り当てられる毎にデータが更新されるものとする。
【０２５９】
ステップＳ６０４に於いて、ＣＰＵ１６は、情報記録カード３の全領域を走査したか否かを判別する。ＣＰＵ１６が情報記録カード３の全領域を走査したと判別した場合、ステップＳ６０５に移行する。ステップＳ６０５に於いて、複数の検出位置座標データに基づいて、検出位置総合座標データを形成し、情報記録カード３の設置と座標の検出ステップを終了して、次の処理ステップに移行する。反対に、ＣＰＵ１６が情報記録カード３の全領域を未だ走査し終わっていないと判別した場合、ステップＳ６０６に移行する。ステップＳ６０６に於いて、未走査ラインを走査対象として決定し、ステップＳ６０２に移行する。
【０２６０】
[作用効果]
本実施形態に係る情報取得システム１によれば、前述の第１乃至第４実施形態と同様の効果を奏する。
【０２６１】
また、本実施形態に係る情報取得システム１によれば、情報記録カード３のそれぞれの情報記録カードに設けられた貫通孔３ｂの形成位置に対応する位置を、走査部１９によって検出することが可能であるので、汎用性が高い。
【０２６２】
[変形例]
第６実施形態に於いては、情報記録カード３を走査部１９のフィルム２０上に設置した後、ユーザが操作キー６を操作して情報取得処理の開始指示を入力した場合に、ＣＰＵ１６が走査ユニット２１を制御して情報記録カード３に形成された貫通孔３ｂの形成位置を検出する構成としたが、情報記録カード３ｂを走査部１９のフィルム２０上に設置した後、電子機器２を閉じた状態とすることによって、情報取得処理を行う構成にしても良い。
【０２６３】
図２４（ｃ）は、該変形例に係る情報取得システム１に於ける情報記録カード３の反射光を利用した情報取得原理を説明する図である。該変形例に於いては、走査ユニット２１から情報取得カード３ｂに形成された貫通孔３ｂを透過した光（矢印ｃ）が、第１表示部７で反射され（矢印ｄ）、該反射光が走査ユニット２１に戻る。したがって、第１表示部７での反射光の強度と、貫通孔３ｂが形成されていない板状部３ａの部分での反射光（矢印ｂ）の強度との差異が走査ユニット２１で検出可能な構成となっている。即ち、第１表示部７での反射光と、貫通孔３ｂが形成されていない板状部３ａでの反射光との光路差を考慮して、第１表示部７での反射率と、貫通孔３ｂが形成されていない板状部３ａでの反射率とを適切に設定する。この場合には、情報記録カード３が電子機器２の上部筐体２ａ及び下部筐体２ｂによって挟設されることによって情報取得処理が実行されるため、情報記録カード３に形成された貫通孔３ｂから入射する外光の強度が強い場合に於いても、情報記録カード３上での反射光の強度を確実に検出することが出来る。
【０２６４】
なお、第６実施形態に係る情報取得方法に関するフローチャートに於ける貫通孔３ｂの検出ステップ（図２５参照）のステップＳ６０１では、ユーザが操作キー６を操作して情報取得処理の開始指示を入力した場合に、ＣＰＵ１６が走査ユニット２１を制御して情報記録カード３に形成された貫通孔３ｂに対応する位置を検出させる構成としたが、該変形例に於いては、図２５のステップＳ６０１の代わりに、第５実施形態に係る情報取得システム１の情報取得方法に関するフローチャート（図２２参照）のステップＳ５０１、Ｓ５０２、及び、Ｓ５０３を実行する構成としても良い。この場合、開閉センサ１８によって電子機器２が閉状態になったことが検出された場合に、ＣＰＵ１６が走査ユニット２１を制御して、情報記録カード３に形成された貫通孔３ｂに対応する形成位置を検出させることになる。したがって、電子機器２の開閉操作によって、走査部１９上に設置された情報記録カード３に形成された貫通孔３ｂの形成位置に対応する位置を検出することが出来るので、ユーザにとって操作が容易になる。
【０２６５】
（７）第７実施形態
[全体構成]
本実施形態に係る情報取得システム１の構成は、前述の第１実施形態に係る情報取得システム１の構成と略同一であるので、同一部分については説明を省略し、異なる部分について説明する。
【０２６６】
前述の第１実施形態に係る情報取得システム１に於けるタッチパネル９は、同時に単数の押圧位置を検出する構成であったが、本実施形態に係る情報取得システム１に於けるタッチパネル９は、同時に複数の押圧位置を検出可能である点で異なっている。
【０２６７】
[タッチパネルの構成]
図２６（ａ）は、本実施形態に係る情報取得システム１に於けるタッチパネル９の模式図であり、図２６（ｂ）は、タッチパネル９の断面図である。このタッチパネル９は同時に複数の押圧位置を検出することが可能である。
【０２６８】
本実施形態に於けるタッチパネル９は、マトリクス方式の抵抗膜式タッチパネルであり、フィルム９ａ、ＩＴＯ（Indium Tin Oxide）９ｂ、絶縁層９ｃ、ＦＰＣ(Flexible Printed Circuit)９ｄ、ドットスペーサ９ｅ、ガラス９ｆで構成されており、第２表示部８の画面上に設置されている。
【０２６９】
フィルム９ａは、ポリエチレンテレフタレート（ＰＥＴ）等の素材で形成されたフィル
ムであり、ユーザによる押圧を受け付ける。ＩＴＯ９ｂは短冊状抵抗膜電極であり、押圧
側のフィルム９ａ上と、非押圧側のガラス９ｆ上に、夫々複数のＩＴＯ９ｂが長手方向と
直交する方向に一定間隔で並んで形成されている。また、フィルム９ａ上に形成されたＩ
ＴＯ９ｂと、ガラス９ｆ上に形成されたＩＴＯ９ｂは、絶縁層９ｃを介して一定の間隔を
設けて対向するように設置されており、該短冊状のＩＴＯ９ｂが交差した箇所全てが独立
したスイッチとして機能する。絶縁層９ｃは、フィルム９ａ及びガラス９ｆ上に対向する
ように設置されたＩＴＯ９ｂが常時接触することを防ぐために設けられた絶縁スペーサで
ある。ドットスペーサ９ｅは、タッチパネル９への入力時以外に上下のＩＴＯ９ｂが接触
して誤作動を起こさないように、ガラス９ｆ上に設置されたＩＴＯ９ｂ上に一定間隔で形
成されている。ＦＰＣ９ｄは、屈曲性のある回路基板であり、対向するように設置された
上下のＩＴＯ９ｂの接触により発生する電気信号をタッチパネル９に接続された入力検出
処理部（図示せず）に出力する。なお、タッチパネル９は、直下に設けられた第２表示部
８に出力された画像を視認出来るように、一定以上の透過率を有する。
【０２７０】
タッチパネル９による押圧位置の検出原理は、周知のマトリクス方式の抵抗膜式タッチ
パネルと同様である。フィルム９ａが一定以上の圧力で押下されると、絶縁層９ｃを介して上下に設置された短冊状のＩＴＯ９ｂが接触し、電気信号を発生する。該接触時に「ＯＮ」の状態となったＩＴＯ９ｂを検出することによって、Ｘ軸方向及びＹ軸方向の入力位置を特定することが可能となる。
【０２７１】
なお、本実施形態に於いて記載されたタッチパネル以外であっても、同時に複数入力を
検出可能なタッチパネルであれば、代用することが可能である。例えば、図２７（ａ）乃至２７（ｂ）は、同時に複数入力可能なタッチパネル９の一例である。なお、前述の図２６（ａ）乃至２６（ｂ）に図示されたタッチパネル９と同一の構成については、同一符号を付して説明を省略する。
【０２７２】
図２７（ａ）乃至２７（ｂ）に記載されたタッチパネル９は抵抗膜式の入力装置であり、フィルム９ａ上に面状抵抗膜電極であるＩＴＯ９ｂが形成され、また、ガラス９ｆ上にＸ軸及びＹ軸方向に所定数に分割された抵抗膜電極であるＩＴＯ９ｂが形成されている。フィルム９ａ及びガラス９ｆ上に夫々形成されたＩＴＯ９ｂは、絶縁層（図示せず）を介して、一定間隔が設けられた状態で対向して設置されている。また、図９（ｂ）に図示されているように、ガラス９ｆ上に形成されたＩＴＯ９ｂは、外部接続用のＦＰＣ（図示せず）に接続するための引き出し線９ｇが接続されている。したがって、フィルム９ａが所定の圧力以上で押圧され、フィルム９ａ上に形成されたＩＴＯ９ｂと、ガラス９ｆ上に形成されたＩＴＯ９ｂが接触する場合、ガラス９ｆ上に形成されたＩＴＯ９ｂの何れがフィルム９ａ上に形成されたＩＴＯ９ｂと接触したのかを特定することができ、また、複数地点を押圧された場合に於いても、フィルム９ａ上に形成されたＩＴＯ９ｂと接触したガラス９ｆ上に形成されたＩＴＯ９ｂを独立して検出することが出来るので、タッチパネル９上の複数の押圧地点を特定することが出来る。
【０２７３】
[情報記録カードの構成]
図２８（ａ）は、本実施形態に係る情報取得システム１に於ける第１情報記録カード３ｘに関する上面図であり、図２８（ｂ）は第１情報記録カード３ｘのＹ方向に関する断面図である。また、図２８（ｃ）は、本実施形態に係る情報取得システム１に於ける第２情報記録カード３ｙに関する上面図であり、図２８（ｄ）は第２情報記録カード３ｙのＹ方向に関する断面図である。
【０２７４】
図２８（ａ）乃至２８（ｂ）に図示されているように、第１情報記録カード３ｘは略矩形のカードであり、カード本体である板状部３ａに、表面３ｃから裏面３ｄまでを貫通する貫通孔３ｂが形成されている。なお、第１情報記録カード３ｘの表面３ｃ及び裏面３ｄに図形、文字等を印刷しても良い。
【０２７５】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇと第２領域３ｈを備えており、これら２つの領域のそれぞれに於いて、少なくとも１つの貫通孔３ｂが形成されている。
【０２７６】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記憶されている。また、第２領域３ｈには、形成可能な最大数の貫通孔３ｂが形成されている。なお、形成可能な貫通孔の最大数は、適宜変更出来るものとする。また、第１領域３ｇ、及び、第２領域３ｈに於いて、貫通孔３ｂの数が形成可能な最大数である場合には、所定の情報が符号化されておらず、所謂ダミーの貫通孔として使用される。
【０２７７】
図２８（ｃ）乃至２８（ｄ）に図示されているように、第２情報記録カード３ｙは略矩形のカードであり、カード本体である板状部３ａに、表面３ｃから裏面３ｄまでを貫通する貫通孔３ｂは形成されておらず、裏面３ｄ上に於いて、板状部３ａと略垂直に第１情報記録カード３ｘの厚さよりも長く、径の長さが第１情報記録カード３ｘに形成された貫通孔３ｂの径よりも小さな突起部３ｍを備えている。なお、第２情報記録カード３ｙの表面３ｃ及び裏面３ｄに図形、文字等を印刷しても良い。
【０２７８】
第２情報記録カード３ｙは、タッチパネル９と略同一の形状と大きさを有する符号化領域３ｅと、第２情報記録カード３ｙに符号化された情報内容を示す内容表示領域３ｆを有する。符号化領域３ｅは、第１領域３ｇと第２領域３ｈを備えており、第１領域３ｇには貫通孔３ｂ、及び、突起部３ｍは形成されていない。第２領域３ｈの裏面３ｄ側には、形成可能な最大数の突起部よりも少ない数の突起部３ｍが形成されており、突起部３ｍの数及び形成位置によって、第２情報が符号化され、記録されている。なお、第２領域３ｈに形成された突起部３ｍの形成可能な最大数は、第１情報記録カード３ｘの第２領域３ｈに形成された貫通孔３ｂの形成可能な最大数と同一である。
【０２７９】
図２９（ａ）は、第１情報記録カード３ｘ上に第２情報記録カード３ｙを重ねた状態での上面図であり、図２９（ｂ）は第１情報記録カード３ｘ上に第２情報記録カード３ｙを重ねた状態でのＹ方向の断面図である。
【０２８０】
第１情報記録カード３ｘの表面３ｃと第２情報記録カード３ｙの裏面３ｄが接するようにして、第１情報記録カード３ｘ上に第２情報記録カード３ｙを重ねて設置した場合、第２情報記録カード３ｙの第２領域３ｈに形成された突起部３ｍが、第１情報記録カード３ｘの第２領域３ｈに形成された貫通孔３ｂを介して、第１情報記録カード３ｘを貫通する状態となる。なお、図２９（ａ）に於ける円形斜線部で示された貫通孔３ｂ（重複部３ｋ）は、第１情報記録カード３ｘ及び第２情報記録カード３ｙを通じて貫通孔３ｂが表裏両面に貫通していない部分を示す。したがって、本実施形態に於いては、第１情報記録カード３ｘ上に第２情報記録カード３ｙを重ねて設置した状態では、２つの情報記録カード３を通じて貫通する貫通孔３ｂは存在しない。
【０２８１】
なお、情報記録カード３に形成された貫通孔３ｂの断面形状（情報記録カード３の表面３ｃから見た形状）は、円形に限らず、その他の形状であっても良い。また、該貫通孔３ｂの断面形状が円形以外の形状の場合には、突起部３ｍの形状は、該円形以外の形状を有する貫通孔３ｂを貫通可能な形状に適宜変更出来るものとする。  
【０２８２】
[情報記録カードの設置方法]
図３０（ａ）は、本実施形態に係る情報取得システム１に於ける電子機器２を閉じた状態の概略斜視図であり、図３０（ｂ）は電子機器２を開いた状態の概略図であり、図３０（ｃ）は、情報記録カード３、及び、電子機器２にカードホルダ２２を設置した状態の概略図であり、図３０（ｄ）は、電子機器２にカードホルダ２２を設置した状態で情報記録カード３を設置した概略図である。
【０２８３】
図３０（ａ）に図示されているように、電子機器２は、上部筐体２ａ及び下部筐体２ｂを備える。図３０（ｂ）に図示されているように、電子機器２が閉じた状態で対向する上部筐体２ａと下部筐体２ｂの内、上部筐体２ａに第１表示部７が設置され、下部筐体２ｂには操作キー６、第２表示部８、タッチパネル９が設置されている。
【０２８４】
本実施形態に於いては、図３０（ｃ）に図示されているように、電子機器２が閉じた状態で対向する上部筐体２ａ及び下部筐体２ｂの内、下部筐体２ｂ上に脱着可能なカードホルダ２２が設置される。カードホルダ２２は、操作キー６及びタッチパネル９を覆うことなく、ユーザが操作可能な状態を保つ構造を有している。また、カードホルダ２２は、情報記録カード３を設置するためのコ字型の開口部２２ａを備えており、開口部２２ａに沿って情報記録カード３を設置した場合、タッチパネル９と情報記録カード３の符号化領域３ｅが重なる状態となる。なお、開口部２２ａは第１情報記録カード３ｘ及び第２情報記録カード３ｙを重ねた状態で、これら２つの情報記録カード３の設置位置を固定する。
【０２８５】
情報記録カード３がカードホルダ２２を介してタッチパネル９に設置された場合、図３０（ｄ）に図示された状態となる。タッチパネル９上に第１情報記録カード３ｘが設置された場合には、入力補助具４によって、第１情報記録カード３ｘに形成された貫通孔３ｂを介してタッチパネル９を押圧することによって、第１情報記録カード３ｘに形成された貫通孔３ｂの位置に対応するタッチパネル９上の押圧位置が検出される。また、第１情報記録カード３ｘ上に第２情報記録カード３ｙが設置される場合には、第１情報記録カード３ｘに形成された貫通孔３ｂを介して、第２情報記録カード３ｙに形成された突起部３ｍが第１情報記録カード３ｘを貫通した状態となり、第２情報記録カード３ｙを表面３ｃ側から押圧することによって、該突起部３ｍがタッチパネル９を押圧し、該押圧位置が検出される。
【０２８６】
なお、カードホルダ２２を使用せずに、第１情報記録カード３ｘに形成された貫通孔３ｂの形成位置を検出する構成としてもよく、カードホルダ２２を使用せずに、第１情報記録カード３ｘと第２情報記録カード３ｙを重ねた状態でタッチパネル９上に設置して、第２情報記録カード３ｙを押圧することによって突起部３ｍの形成位置を検出する構成としても良い。
【０２８７】
[情報取得方法]
図６は本実施形態に係る情報取得方法に関するフローチャートであり、図７、及び、図９は、図６に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【０２８８】
図６、及び、図７のフローチャートは、前述の第１実施形態に係る情報取得方法に関するフローチャートと略同一であり、本実施形態に係る情報取得方法と前述の第１実施形態に係る情報取得方法との違いは、図６ステップＳ１１１のサブルーチンである。したがって、ここでは同一部分についての説明を省略し、図６のステップＳ１１１の内容について説明する。
【０２８９】
図６のステップＳ１０１乃至Ｓ１０９に於いて、第１情報記録カード３ｘに符号化され記録された第１情報の出力処理が実行され、さらに、ステップＳ１１０に於いて、他の第１情報記録カード３ｘに符号化され記録された情報を取得するモードが選択されなかった場合、ステップＳ１１１に移行する。ここで、図９を参照して、ステップＳ１１１の処理内容について説明する。
【０２９０】
図９は、本実施形態に係る情報取得方法に関するフローチャート（図６参照）のステップＳ１１１のサブルーチンである。ステップＳ１１１ａに於いて、ＣＰＵ１６の制御によって、第１表示部７に第１情報記録カード３ｘ上に第２情報記録カード３ｙを重ねて設置する指示画面が表示される。
【０２９１】
ステップＳ１１１ｂに於いて、第１情報記録カード３ｘ上に第２情報記録カード３ｙが設置され、第２情報記録カード３ｙが表面３ｃ側から押圧されることによって、第１情報記録カード３ｘに形成された貫通孔３ｂを介して、第２情報記録カード３ｙに形成された突起部３ｂがタッチパネル９によって検出された場合、ステップＳ１１１ｃに移行する。ここでステップ１１１ｂの処理内容について説明する。
【０２９２】
図７は、図９に図示されたステップＳ１１１ｂのサブルーチンを図示するフローチャートである。ステップＳ１０３ａに於いて、所定時間（例えば１分）が経過した場合には、ステップＳ１０３ｂに移行し、所定時間が経過していない場合には、ステップＳ１０３ａを繰り返す。ステップＳ１０３ｂに於いて、第１情報記録カード３ｘ上に第２情報記録カード３ｙが重ねて設置され、第２情報記録カード３ｙが押圧され、第２情報記録カード３ｙに形成された突起部３ｍによるタッチパネル９の押圧が検出された場合には、ステップＳ１０３ｄに移行し、反対に、タッチパネル９の押圧が検出されていない場合には、ステップＳ１０３ｃに移行する。
【０２９３】
ステップＳ１０３ｃに於いて、ＣＰＵ１６の制御により、第２情報記録カード３ｙの設置と押圧を促す警告表示が第２表示部８に表示され、ステップＳ１０３ｂに移行する。なお、該警告表示を第１表示部７に出力させる構成としても良い。ステップＳ１０３ｄに於いて、タッチパネル９の押圧位置に基づいて、突起部３ｍの形成位置が検出され、押圧位置座標データが形成される。ここでステップＳ１０３ｄの処理内容について、図３１（ａ）乃至３１（ｃ）を参照して説明する。図３１（ａ）は、情報記録カード３に形成された貫通孔３ｂを介してタッチパネル９が押圧された位置、若しくは、情報記録カード３に形成された突起部３ｍによってタッチパネル９が押圧された位置を示す図であり、押圧位置を黒塗りで表現している。図３１（ｂ）は、タッチパネル９上の座標（Ｐ１１乃至Ｐｍｎ）に関する表であり、図３１（ｃ）は、情報記録カード３に形成された貫通孔３ｂを介してタッチパネル９が押圧された位置（座標）、若しくは、情報記録カード３に形成された突起部３ｍによってタッチパネル９が押圧された位置（座標）に於ける検出値を示す表（以後、押圧位置座標データと称す）である。
【０２９４】
ステップＳ１０３ｄに於いて、押圧が検出された場合は「１」、検出されない場合は「０」として検出信号をデジタル信号化する。例えば、図３１（ａ）に図示されているように、タッチパネル９上の３点の黒塗り部分への押圧が検出された場合には、図３１（ｃ）に図示されているように、タッチパネル９上の座標（図３１（ｂ）参照）に於けるＰ２２、Ｐ２４、Ｐ２６に「１」の値がそれぞれ割り当てられ、押圧が検出されていない位置に対応する座標には、「０」が割り当てられ、図３１（ｃ）に図示された押圧位置座標データが形成される。
【０２９５】
ステップＳ１０３ｅに於いて、押圧位置座標データは、メモリ１２の所定の領域に記憶され、ステップＳ１０３ｆに移行する。ステップＳ１０３ｆに於いて、メモリ１２に押圧位置座標データが格納された時点から、ＣＰＵ１６の制御によってリアルタイムクロック１４が経過時間を計測し、一定時間経過した場合にはステップＳ１０３ｈに移行する。反対に、ステップＳ１０３ｆに於いて、リアルタイムクロック１４によって計測された時間が一定時間経過していない場合には、ステップＳ１０３ｇに移行する。ステップＳ１０３ｇに於いて、タッチパネル９への押圧が再び検出された場合には、ステップＳ１０３ｄに移行し、反対に、タッチパネル９の押圧が検出されていない場合には、ステップＳ１０３ｆに移行する。
【０２９６】
なお、本実施形態に係る情報取得システム１に於ける第２情報記録カード３ｙには、突起部３ｍが形成されており、該突起部３ｍが複数ある場合には、一度の押圧でタッチパネル９上の対応する位置に突起部３ｍを押圧出来ない可能性がある。この場合、ステップＳ１０３ｇの処理を設けることによって、複数回にわたって第２情報記録カード３ｙを押圧した場合に於いても、タッチパネル９上の押圧位置を検出することが可能となる。
【０２９７】
ステップＳ１０３ｈに於いて、既存の押圧位置座標データが存在する場合、ステップＳ１０３ｉに移行する。反対に、ステップＳ１０３ｈに於いて、既存の押圧位置座標データが存在しない場合には、ステップＳ１０３ｊに移行する。ステップＳ１０３ｊに於いて、現在の押圧位置座標データが押圧位置総合座標データとしてメモリ１２に記憶され、図６のステップＳ１０４に移行する。
【０２９８】
ステップＳ１０３ｉに於いて、複数の押圧位置座標データに基づいて、押圧位置総合座標データを形成し、図６のステップＳ１１１ｃに移行する。
【０２９９】
ステップＳ１１１ｃ乃至Ｓ１１１ｉの処理ステップについては、前述の第１実施形態と同一であるので、ここでは説明を省略する。
【０３００】
[作用効果]
本実施形態に係る情報取得システム１によれば、第１情報記録カード３ｘ上に第２情報記録カード３ｙを重ねた場合、第２情報記録カード３ｙの第２領域３ｈに形成された突起部３ｍが第１情報記録カード３ｘの第２領域３ｈに形成された貫通孔３ｂの何れかに一致して貫通した状態となるので、これら２つの情報記録カード３を重ねた状態で、第２情報記録カード３ｙの表面３ｃ上からこれら２つの情報記録カード３を押圧した場合、第２情報記録カード３ｙの第２領域３ｈに形成された突起部３ｍの形成位置に対応するタッチパネル９上の位置を押圧することが可能である。
【０３０１】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔が形成されていないので、第１情報記録カード３ｘ上に第２情報記録カード３ｙを重ねた状態で、第１情報記録カード３ｘの第１領域３ｇに形成された貫通孔３ｂの形成位置に対応するタッチパネル９上の位置を押圧させないようにすることが出来る。即ち、この情報取得システム１によれば、第１情報記録カード３ｘの第１領域３ｇに形成された貫通孔３ｂの形成位置に対応するタッチパネル９上の位置の押圧を、第１情報記録カード３ｘを単独で使用した場合に制限することが出来る。
【０３０２】
また、本実施形態に係る情報取得システム１によれば、第２情報の出力処理を実行する場合、メモリ１２に第１情報の復号データが記録されており、さらに、該第１情報の復号データと第２情報の復号データが所定の関係を有する場合に、第２情報の出力処理を実行することが出来る。即ち、第２情報の出力処理に先立って、第１情報の出力処理を実行しなければならないので、第２情報の復号データを単独で用いることによって、第２情報の出力処理を実行することを制限することが出来る。さらに、メモリ１２に記憶された第１情報の復号データと、第２情報の復号データが所定の関係を有している場合に、第２情報の出力処理を実行できるので、第１情報記録カード３ｘと共に使用することの出来る第２情報記録カード３ｙを所定の情報記録カード３に制限することが出来る。
【０３０３】
また、本実施形態に係る情報取得システム１によれば、第１情報記録カード３ｘに形成された貫通孔３ｂ、及び、第２情報記録カード３ｙに形成された突起部３ｍの形成位置に対応する位置の検出に際して、複数の押圧位置を同時に検出可能なタッチパネル９を検出装置として使用するので、効率良く押圧位置を検出することが出来る。
【０３０４】
また、本実施形態に係る情報取得システム１によれば、開口部２２ａを有するカードホルダ２２を使用することによって、タッチパネル９上に、第１情報記録カード３ｘ、及び、第２情報記録カード３ｙを重ねて設置した場合に於いても、第２情報記録カード３ｙの表面３ｃを押圧することができ、また、重ねて設置された情報記録カード３の重なりにズレが生じて、情報記録カード３に形成された貫通孔３ｂ、若しくは、突起部３ｍの形成位置に対応するタッチパネル９上の位置が誤って検出されることを防止することが出来る。
【０３０５】
また、本実施形態に係る情報取得システム１によれば、貫通孔３ｂが形成された第１情報記録カード３ｘと共に、突起部３ｍが形成された第２情報記録カード３ｙを使用することによって、貫通孔３ｂのみが形成されたカード、及び、突起部３ｍのみが形成された情報記録カード３を単独で使用する場合に比して、視覚的な単調さを排除することができ、ユーザの情報記録カード３に対する視覚的変化をもたらすことが出来る。
【０３０６】
また、本実施形態に係る情報取得システム１によれば、第１情報記録カード３ｘと共に第２情報記録カード３ｙを使用して第２情報の出力処理を実行する際に、ユーザは第１情報記録カード３ｘに形成された貫通孔３ｂに第２情報記録カード３ｙに形成された突起部３ｍを貫通させなければならないので、ユーザを情報記録カード３の情報取得処理に積極的に参加させることが出来る。
【０３０７】
また、本実施形態に係る情報取得システム１によれば、情報記録カード３の情報入力処理を実行する際に、第１情報記録カード３ｘに形成された貫通孔３ｂの形成位置に対応するタッチパネル９上の位置の検出は、該貫通孔３ｂを介してタッチパネル９を押圧することによって実現され、第２情報記録カード３ｙに形成された突起部３ｍの形成位置に対応するタッチパネル９上の位置の検出は、第２情報記録カード３ｙを表面３ｃ側からタッチパネル９に押圧することによって実現される。したがって、ユーザは複数の情報入力操作を実行することが可能となり、情報取得処理の単調さを排除することが出来る。
【０３０８】
[変形例]
第７実施形態に係る情報取得システム１に於ける第１情報記録カード３ｘは、第１領域３ｇに貫通孔３ｂが形成されていたが、該貫通孔３ｂの代わりに突起部３ｍが形成される構成としても良い。
【０３０９】
また、第７実施形態に係る情報取得システム１に於ける第２情報記録カード３ｙは、第２領域３ｈに突起部３ｍが形成されていたが、該第２領域３ｈに貫通孔３ｂと突起部３ｍの両方を形成しても良い。この場合、第１情報記録カード３ｘ上に第２情報記録カード３ｙを重ねた状態で、第２情報記録カード３ｙの第２領域３ｈに形成された貫通孔３ｂ、及び、突起部３ｍの形成位置に対応するタッチパネル９上の位置を検出するためには、第１情報記録カード３ｘと第２情報記録カード３ｙを通じて貫通する貫通孔３ｂを介してタッチパネル９上の位置を押圧すると共に、第２情報記録カード３ｙを表面３ｃ側から押圧すれば良い。
【０３１０】
（８）第８実施形態
[全体構成]
第８実施形態に係る情報取得システム１の構成は、前述の第７実施形態に係る情報取得システム１の構成（図１参照）と同一であるので、ここでは説明を省略する。但し、情報記録カード３の構成に於いて相違点が見られるので、該相違点については後述する。
【０３１１】
[タッチパネルの構成]
第８実施形態に係る情報取得システム１に於けるタッチパネルの構成は、前述の第７実施形態に係る情報取得システム１に於けるタッチパネル（図２６（ａ）乃至２６（ｂ）、及び、図２７（ａ）乃至２７（ｂ）参照）と同一であるので、ここでは説明を省略する。
【０３１２】
[情報記録カードの構成］
図３２（ａ）は、本実施形態に係る情報取得システム１に於ける第１情報記録カード３ｘに関する上面図であり、図３２（ｂ）は第１情報記録カード３ｘのＹ方向に関する断面図である。また、図３２（ｃ）は、本実施形態に係る情報取得システム１に於ける第２情報記録カード３ｙに関する上面図であり、図３２（ｄ）は第２情報記録カード３ｙのＹ方向に関する断面図である。
【０３１３】
図３２（ａ）乃至３２（ｂ）に図示されているように、第１情報記録カード３ｘは略矩形のカードであり、カード本体である板状部３ａに、表面３ｃから裏面３ｄまでを貫通する貫通孔３ｂが形成されている。なお、第１情報記録カード３ｘの表面３ｃ及び裏面３ｄに図形、文字等を印刷しても良い。
【０３１４】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇと第２領域３ｈを備えており、これら２つの領域のそれぞれに於いて、少なくとも１つの貫通孔３ｂが形成されている。
【０３１５】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈには、形成可能な最大数の貫通孔３ｂが形成されている。なお、形成可能な貫通孔の最大数は、適宜変更出来るものとする。また、第１領域３ｇ、及び、第２領域３ｈに於いて、貫通孔３ｂの数が形成可能な最大数である場合には、所定の情報が符号化されておらず、所謂ダミーの貫通孔として使用される。
【０３１６】
図３２（ｃ）乃至３２（ｄ）に図示されているように、第２情報記録カード３ｙは略矩形のカードであり、カード本体である板状部３ａに、表面３ｃから裏面３ｄまでを貫通する貫通孔３ｂが形成されており、また、裏面３ｄ上に於いて、板状部３ａと略垂直に第１情報記録カード３ｘの厚さよりも長く、径の長さが第１情報記録カード３ｘに形成された貫通孔３ｂの径よりも小さな突起部３ｍを備えている。なお、第２情報記録カード３ｙの表面３ｃ及び裏面３ｄに図形、文字等を印刷しても良い。
【０３１７】
第２情報記録カード３ｙは、タッチパネル９と略同一の形状と大きさを有する符号化領域３ｅと、第２情報記録カード３ｙに符号化された情報内容を示す内容表示領域３ｆを有する。符号化領域３ｅは、第１領域３ｇと第２領域３ｈを備えており、第１領域３ｇには、形成可能な最大数の貫通孔３ｂが形成されている。第２領域３ｈの裏面３ｄ側には、形成可能な最大数の突起部よりも少ない数の突起部３ｍが形成されており、突起部３ｍの数及び形成位置によって、第２情報が符号化され、記録されている。なお、第１領域３ｇに形成された貫通孔３ｂの形成可能な最大数は、第１情報記録カード３ｘの第１領域３ｇに形成された貫通孔３ｂの形成可能な最大数と同一である。また、第２領域３ｈに形成された突起部３ｍの形成可能な最大数は、第１情報記録カード３ｘの第２領域３ｈに形成された貫通孔３ｂの形成可能な最大数と同一である。また、形成可能な貫通孔３ｂの最大数は、適宜変更出来るものとし、貫通孔３ｂの数が形成可能な最大数である場合には、所定の情報が符号化されておらず、所謂ダミーの貫通孔３ｂとして使用される。
【０３１８】
図３３（ａ）は、第１情報記録カード３ｘ上に第２情報記録カード３ｙを重ねた状態での上面図であり、図３３（ｂ）は第１情報記録カード３ｘ上に第２情報記録カード３ｙを重ねた状態でのＹ方向の断面図である。
【０３１９】
第１情報記録カード３ｘの表面３ｃと第２情報記録カード３ｙの裏面３ｄが接するようにして、第１情報記録カード３ｘ上に第２情報記録カード３ｙを重ねて設置した場合、第１情報記録カード３ｘの第１領域３ｇに形成された貫通孔３ｂが、２つの情報記録カード３を通じて貫通した状態となる。また、第２情報記録カード３ｙの第２領域３ｈに形成された突起部３ｍが、第１情報記録カード３ｘの第２領域３ｈに形成された貫通孔３ｂを貫通し、第１情報記録カード３ｘを貫通する状態となる。
【０３２０】
なお、図３３（ａ）に於ける円形斜線部で示された貫通孔３ｂ（重複部３ｋ）は、第１情報記録カード３ｘ、及び、第２情報記録カード３ｙを通じて貫通孔３ｂが表裏両面に貫通していない部分を示す。したがって、第１情報記録カード３ｘ、及び、第２情報記録カード３ｙを重ねた状態の上面図では、第２情報記録カード３ｙの第１領域３ｇには２つの情報記録カード３を通じて貫通する貫通孔３ｂが形成されているが、第２領域３ｈは貫通孔３ｂが形成されておらず、第１情報記録カード３ｘの第２領域３ｈに形成された貫通孔３ｂは第２情報記録カード３ｙによって塞がれた状態となっている。
【０３２１】
なお、情報記録カード３に形成された貫通孔３ｂの断面形状（情報記録カード３の表面３ｃから見た形状）は、円形に限らず、その他の形状であっても良い。また、該貫通孔３ｂの断面形状が円形以外の形状の場合には、突起部３ｍの形状は、該円形以外の形状を有する貫通孔３ｂを貫通可能な形状に適宜変更出来るものとする。  
【０３２２】
[情報記録カードの設置方法]
本実施形態に係る情報取得システム１に於ける第１情報記録カード３ｘ、及び、第２情報記録カード３ｙの設置方法は、前述の第７実施形態に係る情報取得システム１に於ける第１情報記録カード３ｘ、及び、第２情報記録カード３ｙの設置方法と同一であるので、ここでは説明を省略する。
【０３２３】
[情報取得方法]
図６は本実施形態に係る情報取得方法に関するフローチャートであり、図７、及び、図１２は、図６に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【０３２４】
図６、及び、図７のフローチャートは、前述の第２実施形態に係る情報取得方法に関するフローチャートと略同一であり、本実施形態に係る情報取得方法と前述の第２実施形態に係る情報取得方法との違いは、図６ステップＳ１１１のサブルーチンである。したがって、ここでは同一部分についての説明を省略し、図６のステップＳ１１１の内容について説明する。
【０３２５】
図６のステップＳ１０１乃至Ｓ１０９に於いて、第１情報記録カード３ｘに符号化され記録された第１情報の出力処理が実行され、さらに、ステップＳ１１０に於いて、他の第１情報記録カード３ｘに符号化され記録された情報を取得するモードが選択されなかった場合、ステップＳ１１１に移行する。ここで、図１２を参照して、ステップＳ１１１の処理内容について説明する。
【０３２６】
図１２は、本実施形態に係る情報取得方法に関するフローチャート（図６参照）のステップＳ１１１のサブルーチンである。ステップＳ１１１ａに於いて、ＣＰＵ１６の制御によって、第１表示部７に第１情報記録カード３ｘ上に第２情報記録カード３ｙを重ねて設置する旨の指示画面が表示される。
【０３２７】
ステップＳ１１１ｂに於いて、第１情報記録カード３ｘ上に第２情報記録カード３ｙが設置され、タッチパネル９によって押圧位置が検出された場合には、ステップＳ１１１ｃに移行する。ここでステップ１１１ｂの処理内容について説明する。
【０３２８】
図７は、図１２に図示されたステップＳ１１１ｂのサブルーチンである。ステップＳ１０３ａに於いて、所定時間（例えば１分）が経過した場合には、ステップＳ１０３ｂに移行し、所定時間が経過していない場合には、ステップＳ１０３ａを繰り返す。ステップＳ１０３ｂに於いて、第１情報記録カード３ｘ上に第２情報記録カード３ｙが重ねて設置され、タッチパネル９によって押圧が検出された場合、即ち、（１）第２情報記録カード３ｙが押圧され、第２情報記録カード３ｙに形成された突起部３ｍによるタッチパネル９の押圧が検出された場合、または、（２）第１情報記録カード３ｘ、及び、第２情報記録カード３ｙを通じて貫通する貫通孔３ｂを介してタッチパネル９が押圧され、第１情報記録カード３ｘに形成された貫通孔３ｂが押圧された場合、若しくは、（３）該（１）及び（２）が同時に実行された場合、ステップＳ１０３ｄに移行し、反対に、タッチパネル９の押圧が検出されていない場合には、ステップＳ１０３ｃに移行する。
【０３２９】
ステップＳ１０３ｃに於いて、ＣＰＵ１６の制御により、第２情報記録カード３ｙの設置と押圧を促す警告表示が第２表示部８に表示され、ステップＳ１０３ｂに移行する。なお、該警告表示を第１表示部７に出力させる構成としても良い。  ステップＳ１０３ｄに於いて、タッチパネル９の押圧位置に基づいて、貫通孔３ｂ、突起部３ｍの少なくとも何れかの形成位置が検出され、押圧位置座標データが形成される。
【０３３０】
ここで、ステップＳ１０３ｄの処理内容について、図３１（ａ）乃至３１（ｃ）を参照して説明する。図３１（ａ）は、情報記録カード３に形成された貫通孔３ｂを介してタッチパネル９が押圧された位置、若しくは、情報記録カード３に形成された突起部３ｍによってタッチパネル９が押圧された位置を示す図であり、押圧位置を黒塗りで表現している。図３１（ｂ）は、タッチパネル９上の座標（Ｐ１１乃至Ｐｍｎ）に関する表であり、図３１（ｃ）は、情報記録カード３に形成された貫通孔３ｂを介してタッチパネル９が押圧された位置（座標）、若しくは、情報記録カード３に形成された突起部３ｍによってタッチパネル９が押圧された位置（座標）に於ける検出値を示す表（以後、押圧位置座標データと称す）である。
【０３３１】
ステップＳ１０３ｄに於いて、押圧が検出された場合は「１」、検出されない場合は「０」として検出信号をデジタル信号化する。例えば、図３１（ａ）に図示されているように、タッチパネル９上の３点の黒塗り部分への押圧が検出された場合には、図３１（ｃ）に図示されているように、タッチパネル９上の座標（図３１（ｂ）参照）に於けるＰ２２、Ｐ２４、Ｐ２６に「１」の値がそれぞれ割り当てられ、押圧が検出されていない位置に対応する座標には、「０」が割り当てられ、図３１（ｃ）押圧位置座標データが形成される。
【０３３２】
ステップＳ１０３ｅに於いて、押圧位置座標データは、メモリ１２の所定の領域に記憶され、ステップＳ１０３ｆに移行する。ステップＳ１０３ｆに於いて、メモリ１２に押圧位置座標データが格納された時点から、ＣＰＵ１６の制御によってリアルタイムクロック１４が経過時間を計測し、一定時間経過した場合にはステップＳ１０３ｈに移行する。反対に、ステップＳ１０３ｆに於いて、リアルタイムクロック１４によって計測された時間が一定時間経過していない場合には、ステップＳ１０３ｇに移行する。ステップＳ１０３ｇに於いて、タッチパネル９への押圧が再び検出された場合には、ステップＳ１０３ｄに移行し、反対に、タッチパネル９の押圧が検出されていない場合には、ステップＳ１０３ｆに移行する。
【０３３３】
なお、本実施形態に係る情報取得システム１に於ける第２情報記録カード３ｙには、貫通孔３ｂ、及び、突起部３ｍが形成されており、貫通孔３ｂを介してタッチパネル９を押圧する処理と、第２情報記録カード３ｙを表面３ｃ側から押圧して突起部３ｍをタッチパネル９に押圧する処理を同時に実行することが出来ない可能性がある。この場合、ステップＳ１０３ｇの処理を設けることによって、複数回にわたって第２情報記録カード３ｙを押圧した場合に於いても、タッチパネル９上の押圧位置を検出することが可能となる。
【０３３４】
ステップＳ１０３ｈに於いて、既存の押圧位置座標データが存在する場合、ステップＳ１０３ｉに移行する。反対に、ステップＳ１０３ｈに於いて、既存の押圧位置座標データが存在しない場合には、ステップＳ１０３ｊに移行する。ステップＳ１０３ｊに於いて、現在の押圧位置座標データを押圧位置総合座標データとしてメモリ１２に記憶し、図６のステップＳ１０４に移行する。
【０３３５】
ステップＳ１０３ｉに於いて、複数の押圧位置座標データに基づいて、押圧位置総合座標データを形成し、図６のステップＳ１１１ｃに移行する。
【０３３６】
ステップＳ１１１ｃ乃至Ｓ１１１ｉの処理ステップについては、前述の第２実施形態と同一であるので、ここでは説明を省略する。
【０３３７】
[作用効果]
本実施形態に係る情報取得システム１によれば、第１情報記録カード３ｘ上に第２情報記録カード３ｙを重ねた場合、第２情報記録カード３ｙの第２領域３ｈに形成された突起部３ｍが第１情報記録カード３ｘの第２領域３ｈに形成された貫通孔３ｂの何れかに一致するので、これら２つの情報記録カード３を重ねた状態で、第２情報記録カード３ｙを表面３ｃ側から押圧することによって、第２情報記録カード３ｙの第２領域３ｈに形成された突起部３ｍの形成位置に対応するタッチパネル９上の位置を押圧することが可能である。
【０３３８】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔３ｂが形成されているので、これら２つの情報記録カード３を通じて貫通している貫通孔３ｂを介してタッチパネル９を押圧した場合、第１情報記録カード３ｘの第１領域３ｇに形成された貫通孔３ｂの形成位置に対応するタッチパネル９上の位置を押圧することが可能である。
【０３３９】
また、本実施形態に係る情報取得システム１によれば、第２情報の出力処理を実行する場合、メモリ１２に第１情報の復号データが記録されており、さらに、押圧位置総合座標データに基づいて形成された復号データに、第１情報と第２情報の両方が含まれている場合に、第２情報の出力処理を実行することが出来る。即ち、第２情報の情報取得処理に先立って、第１情報の出力処理を実行しなければならないので、第２情報記録カード３ｙのみを用いて第２情報の出力処理を実行することを制限することが出来る。さらに、復号データに第１情報の復号データと第２情報の復号データの両方が含まれている場合に、第２情報の出力処理を実行するので、第１情報記録カード３ｘ上に第２情報記録カード３ｙを重ねて設置して、第２情報の出力処理を実行した場合にのみ、第２情報を出力することが出来るという制限を加えることが出来る。
【０３４０】
また、本実施形態に係る情報取得システム１によれば、第１情報記録カード３ｘに形成された貫通孔３ｂ、及び、第２情報記録カード３ｙに形成された突起部３ｍの形成位置に対応する位置の検出に際して、複数の押圧位置を同時に検出可能なタッチパネル９を検出装置として使用するので、効率良く押圧位置を検出することが出来る。
【０３４１】
また、本実施形態に係る情報取得システム１によれば、開口部２２ａを有するカードホルダ２２を使用することによって、タッチパネル９上に、第１情報記録カード３ｘ、及び、第２情報記録カード３ｙを重ねて設置した場合に於いても、第２情報記録カード３ｙの表面３ｃを押圧することができ、また、重ねて設置された情報記録カード３の重なりにズレが生じて、情報記録カード３に形成された貫通孔３ｂ、若しくは、突起部３ｍの形成位置に対応するタッチパネル９上の位置が誤って検出されることを防止することが出来る。
【０３４２】
また、本実施形態に係る情報取得システム１によれば、貫通孔３ｂが形成された第１情報記録カード３ｘと共に、突起部３ｍが形成された第２情報記録カード３ｙを使用することによって、貫通孔３ｂのみが形成された情報記録カード３、及び、突起部３ｍのみが形成されたカードを単独で使用する場合に比して、視覚的な単調さを排除することができ、ユーザの情報記録カード３に対する視覚的変化をもたらすことが出来る。
【０３４３】
また、本実施形態に係る情報取得システム１によれば、第１情報記録カード３ｘと共に第２情報記録カード３ｙを使用して情報取得処理を実行する際に、ユーザは第１情報記録カード３ｘに形成された貫通孔３ｂに第２情報記録カード３ｙに形成された突起部３ｍを貫通させなければならないので、ユーザを情報記録カード３の情報取得処理に積極的に参加させることが出来る。
【０３４４】
また、本実施形態に係る情報取得システム１によれば、情報記録カード３の情報入力処理を実行する際に、第１情報記録カード３ｘに形成された貫通孔３ｂの形成位置の検出は、該貫通孔３ｂを介してタッチパネル９を押圧することによって実現され、第２情報記録カード３ｙに形成された貫通孔３ｂ、及び、突起部３ｍの形成位置の検出は、第２情報記録カード３ｙに形成された貫通孔３ｂを介してタッチパネル９を押圧し、突起部３ｍをタッチパネル９に押圧することによって実現される。したがって、ユーザは複数の情報入力操作を実行することが可能となり、情報取得処理の単調さを排除することが出来る。
【０３４５】
[変形例]
第８実施形態に係る情報取得システム１に於ける第１情報記録カード３ｘは、第１領域３ｇに貫通孔３ｂが形成されていたが、該貫通孔３ｂの代わりに突起部３ｍが形成される構成としても良い。この場合、第２情報記録カード３ｙの第１領域３ｇには、貫通孔３ｂを形成しなくても良い。また、第１情報記録カード３ｘ上に第２情報記録カード３ｙを重ねた状態で、第１情報記録カード３ｘの第１領域３ｇに形成された突起部３ｍの形成位置に対応するタッチパネル９上の位置を押圧するためには、第２情報記録カード３ｙを表面３ｃ側から押圧すれば良い。
【０３４６】
また、第８実施形態に係る情報取得システム１に於ける第２情報記録カード３ｙは、第２領域３ｈに突起部３ｍのみが形成されていたが、該第２領域３ｈに貫通孔３ｂと突起部３ｍの両方を形成しても良い。この場合、第１情報記録カード３ｘ上に第２情報記録カード３ｙを重ねた状態で、第２情報記録カード３ｙの第２領域３ｈに形成された貫通孔３ｂ、及び、突起部３ｍの形成位置に対応するタッチパネル９上の位置を検出するためには、第１情報記録カード３ｘと第２情報記録カード３ｙを通じて貫通する貫通孔３ｂを介してタッチパネル９上の位置を押圧すると共に、第２情報記録カード３ｙを表面３ｃ側から押圧すれば良い。
【０３４７】
（９）第９実施形態
[全体構成]
第９実施形態に係る情報取得システム１の構成は、前述の第７実施形態に係る情報取得システム１の構成（図１参照）と同一であるので、ここでは説明を省略する。但し、情報記録カード３の構成に於いて相違点が見られるので、該相違点については後述する。
【０３４８】
[タッチパネルの構成]
第９実施形態に係る情報取得システム１に於けるタッチパネルの構成は、前述の第７実施形態に係る情報取得システム１に於けるタッチパネル（図２６（ａ）乃至２６（ｂ）、及び、図２７（ａ）乃至２７（ｂ）参照）と同一であるので、ここでは説明を省略する。
【０３４９】
[記録カードの構成]
図３４（ａ）は、本実施形態に係る情報取得システム１に於ける第１情報記録カード３ｘに関する上面図であり、図３４（ｂ）は第１情報記録カード３ｘのＹ方向に関する断面図である。また、図３４（ｃ）は、本実施形態に係る情報取得システム１に於ける第２情報記録カード３ｙに関する上面図であり、図３４（ｄ）は第２情報記録カード３ｙのＹ方向に関する断面図である。さらに、図３４（ｅ）は、本実施形態に係る情報取得システム１に於ける第３情報記録カード３ｚに関する上面図であり、図３４（ｆ）は第３情報記録カード３ｚのＹ方向に関する断面図である。
【０３５０】
図３４（ａ）乃至３４（ｂ）に図示されているように、第１情報記録カード３ｘは略矩形のカードであり、カード本体である板状部３ａに、表面３ｃから裏面３ｄまで貫通する貫通孔３ｂが形成されている。なお、第１情報記録カード３ｘの表面３ｃ、及び、裏面３ｄに、図形、文字等を印刷しても良い。
【０３５１】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、第３領域３ｉを備えており、これら３つの領域のそれぞれに於いて、少なくとも１つの貫通孔３ｂが形成されている。
【０３５２】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈ及び第３領域３ｉのそれぞれの領域には、形成可能な最大数の貫通孔３ｂが形成されている。なお、形成可能な貫通孔の最大数は、適宜変更出来るものとする。また、第１領域３ｇ、第２領域３ｈ、第３領域３ｉに於いて、貫通孔３ｂの数が形成可能な最大数である場合には、所定の情報が符号化されておらず、所謂ダミーの貫通孔として使用される。
【０３５３】
図３４（ｃ）乃至３４（ｄ）に図示されているように、第２情報記録カード３ｙは略矩形のカードであり、カード本体である板状部３ａに、表面３ｃから裏面３ｄまで貫通する貫通孔３ｂが形成されており、また、裏面３ｄ上に於いて、板状部３ａと略垂直に第１情報記録カード３ｘの厚さよりも長く、径の長さが第１情報記録カード３ｘに形成された貫通孔３ｂの径よりも小さな突起部３ｍを備えている。なお、第２情報記録カード３ｙの表面３ｃ及び裏面３ｄに図形、文字等を印刷しても良い。
【０３５４】
第２情報記録カード３ｙは、タッチパネル９と略同一の形状と大きさを有する符号化領域３ｅと、第２情報記録カード３ｙに符号化された情報内容を示す内容表示領域３ｆを有する。符号化領域３ｅは、第１領域３ｇ、第２領域３ｈ、第３領域３ｉを備えている。
【０３５５】
第１領域３ｇには、貫通孔３ｂ、及び、突起部３ｍが形成されていない。第２領域３ｈには、形成可能な最大数の突起部よりも少ない数の突起部３ｍが形成されており、該突起部３ｍの数及び形成位置によって、第２情報が符号化され、記録されている。また、第３領域３ｉには、形成可能な最大数の貫通孔３ｂが形成されている。なお、第２領域３ｈに於ける形成可能な突起部３ｍの最大数は、第１情報記録カード３ｘの第２領域３ｈに形成可能な貫通孔３ｂの最大数と同一である。また、第３領域３ｉに於ける形成可能な貫通孔３ｂの最大数は、第１情報記録カード３ｘの第３領域３ｉに形成可能な貫通孔３ｂの最大数と同一である。また、形成可能な貫通孔３ｂの最大数は、適宜変更出来るものとし、貫通孔３ｂの数が形成可能な最大数である場合には、所定の情報が符号化されておらず、所謂ダミーの貫通孔として使用される。
【０３５６】
図３４（ｅ）乃至３４（ｆ）に図示されているように、第３情報記録カード３ｚは、略矩形のカードであり、カード本体である板状部３ａに、表面３ｃから裏面３ｄまで貫通する貫通孔３ｂが形成されておらず、裏面３ｄ上に於いて、板状部３ａと略垂直に第１情報記録カード３ｘ、及び、第２情報記録カード３ｙを重ねた厚さよりも長く、径の長さが、第１情報記録カード３ｘ、及び、第２情報記録カード３ｙに形成された貫通孔３ｂの径よりも小さな突起部３ｍを備えている。なお、第３情報記録カード３ｚの表面３ｃ及び裏面３ｄに図形、文字等を印刷しても良い。
【０３５７】
第３情報記録カード３ｚは、タッチパネル９と略同一の形状と大きさを有する符号化領域３ｅと、第３情報記録カード３ｚに符号化された情報内容を示す内容表示領域３ｆを有する。符号化領域３ｅは、第１領域３ｇ、第２領域３ｈ、第３領域３ｉを備えている。
【０３５８】
第１領域３ｇ、及び、第２領域３ｈには、貫通孔３ｂ、及び、突起部３ｍが形成されていない。第３領域３ｉには、形成可能な最大数の突起部よりも少ない数の突起部３ｍが形成されており、該突起部３ｍの数及び形成位置によって、第３情報が符号化され、記録されている。なお、第３領域３ｉに形成可能な突起部３ｍの最大数は、第１情報記録カード３ｘ、及び、第２情報記録カード３ｙの第３領域３ｉに形成可能な貫通孔３ｂの最大数と同一である。また、形成可能な貫通孔３ｂの最大数は、適宜変更出来るものとし、貫通孔３ｂの数が形成可能な最大数でる場合には、所定の情報が符号化されず、所謂ダミーの貫通孔として使用される。
【０３５９】
図３５（ａ）は、第１情報記録カード３ｘ上に第２情報記録カード３ｙを重ねた状態に於ける上面図であり、図３５（ｂ）は第１情報記録カード３ｘ上に第２情報記録カード３ｙを重ねた状態でのＹ方向の断面図である。また、図３５（ｃ）は、第１情報記録カード３ｘ、第２情報記録カード３ｙ、及び、第３情報記録カード３ｚを順に重ねた状態での上面図であり、図３５（ｄ）は、第１情報記録カード３ｘ、第２情報記録カード３ｙ、及び、第３情報記録カード３ｚを順に重ねた状態での断面図である。
【０３６０】
図３５（ａ）乃至３５（ｂ）に図示されているように、第１情報記録カード３ｘの表面３ｃと第２情報記録カード３ｙの裏面３ｄが接するようにして、第１情報記録カード３ｘ上に第２情報記録カード３ｙを重ねて設置した場合、第１情報記録カード３ｘの第１領域３ｇに形成された貫通孔３ｂは、第２情報記録カード３ｙの第１領域３ｇに貫通孔３ｂが形成されていないので、塞がれた状態となる。また、第１情報記録カード３ｘの第２領域３ｈに形成された貫通孔３ｂの一部は、第２情報記録カード３ｙの第２領域３ｈの裏面３ｄ側に形成された突起部３ｍによって貫通され、第２情報記録カード３ｙの第２領域３ｈには貫通孔３ｂが形成されていないので、第１情報記録カード３ｘの第２領域３ｈに形成された貫通孔３ｂは第２情報記録カード３ｙの第２領域３ｈによって、すべて塞がれた状態となる。また、第１情報記録カード３ｘ、及び、第２情報記録カード３ｙの第３領域３ｉにそれぞれ形成された貫通孔３ｂは、形成可能な貫通孔の最大数であるので、２つの情報記録カード３を通じて、第３領域３ｉに形成された貫通孔３ｂはすべて貫通した状態となる。なお、図３５（ａ）に於ける円形斜線部で示された貫通孔３ｂ（重複部３ｋ）は、第１情報記録カード３ｘ及び第２情報記録カード３ｙを通じて貫通孔３ｂが表裏両面に貫通していない部分を示す。
【０３６１】
図３５（ｃ）乃至３５（ｄ）に図示されているように、第１情報記録カード３ｘ上に第２情報記録カード３ｙを重ねて設置し、さらに、第２情報記録カード３ｙの表面３ｃと、第３情報記録カード３ｚの裏面３ｄが接するようにして、第１情報記録カード３ｘ、第２情報記録カード３ｙ、及び、第３情報記録カード３ｚを順に重ねて設置した場合、第３情報記録カード３ｚの第３領域３ｉの裏面３ｄ側に形成された突起部３ｍが、第１情報記録カード３ｘ、及び、第２情報記録カード３ｙを通じて貫通する貫通孔３ｂの一部を貫通した状態となり、第３情報記録カード３ｚの第３領域３ｉには貫通孔３ｂが形成されていないので、第１情報記録カード３ｘ上に第２情報記録カード３ｙを重ねた状態で、２つの情報記録カード３の第３領域３ｉを貫通する貫通孔３ｂは、第３情報記録カード３ｚによって塞がれた状態となる。また、図３５（ｄ）に図示された状態では、第２情報記録カード３ｙに形成された突起部３ｍが第１情報記録カード３ｘに形成された貫通孔３ｂを介して貫通し、突き出た部分の長さが、第３情報記録カード３ｚに形成された突起部３ｍが、第１情報記録カード３ｘ、及び、第２情報記録カード３ｙに形成された貫通孔３ｂを介して貫通し、突き出た部分の長さと略同一になっている。なお、図３５（ｃ）に於ける円形斜線部で示された貫通孔３ｂ（重複部３ｋ）は、第１情報記録カード３ｘ、第２情報記録カード３ｙ、及び、第３情報記録カード３ｚを通じて貫通孔３ｂが表裏両面に貫通していない部分を示す。
【０３６２】
なお、情報記録カード３に形成された貫通孔３ｂの断面形状（情報記録カード３の表面３ｃから見た形状）は、円形に限らず、その他の形状であっても良い。また、該貫通孔３ｂの断面形状が円形以外の形状の場合には、突起部３ｍの形状は、該円形以外の形状を有する貫通孔３ｂを貫通可能な形状に適宜変更出来るものとする。
【０３６３】
[情報記録カード設置方法]  
第９実施形態に係る情報取得システム１に於ける情報記録カード３の設置方法は、前述の第７実施形態に係る情報取得システム１に於ける情報記録カード３の設置方法と同一であるので、ここでは説明を省略する。但し、本実施形態に於いては、カードホルダ２２に形成された開口部２２ａは、第１情報記録カード３ｘ、第２情報記録カード３ｙ、及び、第３情報記録カード３ｚを重ねた状態で、これら３つの情報記録カード３の設置位置を固定するものとする。
【０３６４】
[情報取得方法]
図１５は本実施形態に係る情報取得方法に関するフローチャートであり、図７、図９、及び、図１６は、図１５に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【０３６５】
図１５、図７、図９、及び、図１６のフローチャートは、前述の第３実施形態に係る情報取得方法に関するフローチャートと略同一である。しかし、第３実施形態に係る情報取得システム１に於けるタッチパネル９は、同時に複数の押圧位置を検出することが出来ないが、本実施形態に係る情報取得システム１に於けるタッチパネル９は、同時に複数の押圧位置を検出することが出来る点で異なっている。また、第３実施形態に係る情報取得システム１に於ける第２情報記録カード３ｙ、及び、第３情報記録カード３ｚは、突起部３ｍが形成されていないが、本実施形態に係る情報取得システム１に於ける第２情報記録カード３ｙ及び第３情報記録カード３ｚは、突起部３ｍが形成されている点で異なっている。したがって、これらの相違点により、本実施形態に係る情報取得方法は、図１５に図示された第２情報記録カード３ｙに符号化された第２情報の情報取得モードに関するステップＳ３１２、及び、第３情報記録カード３ｚに符号化された第３情報の情報取得モードに関するステップＳ３１３に於いて、第３実施形態に係る情報取得方法と若干異なる。
【０３６６】
但し、貫通孔３ｂを介してタッチパネル９が押圧された場合の押圧位置の検出処理と、突起部３ｍによってタッチパネル９が押圧された場合の押圧位置の検出処理によって、貫通孔３ｂと突起部３ｍの両方が形成された情報記録カード３に符号化された情報を復号化する処理については、前述の第７実施形態、及び、第８実施形態に於ける説明の通りであるので、ここではステップＳ３１２、及び、ステップＳ３１３のサブルーチンに関する説明を省略する。
【０３６７】
[作用効果]
本実施形態に係る情報取得システム１によれば、第１情報記録カード３ｘ上に第２情報記録カード３ｙを重ねた場合、第２情報記録カード３ｙの第２領域３ｈに形成された突起部３ｍが第１情報記録カード３ｘの第２領域３ｈに形成された貫通孔３ｂの何れかに一致するので、これら２つの情報記録カード３を重ねた状態で、第２情報記録カード３ｙを表面３ｃ側から押圧した場合、第２情報記録カード３ｙの第２領域３ｈに形成された突起部３ｍの形成位置に対応するタッチパネル９上の位置を押圧することが可能である。
【０３６８】
また、本実施形態に係る情報取得システム１によれば、第２情報記録カード３ｙの第１領域３ｇに於いて、第１情報記録カード３ｘの第１領域３ｇに形成された貫通孔３ｂに対応する貫通孔が形成されていないので、第１情報記録カード３ｘ上に第２情報記録カード３ｙを重ねた状態で、第１情報記録カード３ｘの第１領域３ｇに形成された貫通孔３ｂの形成位置に対応するタッチパネル９上の位置を押圧させないようにすることが出来る。即ち、この情報取得システム１によれば、第１情報記録カード３ｘの第１領域３ｇに形成された貫通孔３ｂの形成位置に対応するタッチパネル９上の位置の押圧を、第１情報記録カード３ｘを単独で使用した場合に制限することが出来る。
【０３６９】
また、本実施形態に係る情報取得システム１によれば、第１情報記録カード３ｘ上に第２情報記録カード３ｙを重ねた状態で、さらに、第３情報記録カード３ｚを重ねた場合、第３情報記録カード３ｚの第３領域３ｉに形成された突起部３ｍの形成位置が、第１情報記録カード３ｘ、及び、第２情報記録カード３ｙの第３領域３ｉに形成された貫通孔３ｂの形成位置の何れかと一致する、即ち、第３情報記録カード３ｚの第３領域３ｉに形成された突起部３ｍが、第１情報記録カード３ｘ、及び、第２情報記録カード３ｙに形成された貫通孔３ｂを貫通した状態となるので、これら３つの情報記録カード３を重ねた状態で、第３情報記録カード３ｚを表面３ｃ側から押圧した場合、第３情報記録カード３ｚの第３領域３ｉに形成された突起部３ｍの形成位置に対応するタッチパネル９上の位置を押圧することが可能である。
【０３７０】
また、本実施形態に係る情報取得システム１によれば、第３情報記録カード３ｚの第１領域３ｇに於いて、第１情報記録カード３ｘの第１領域３ｇに形成された貫通孔３ｂに対応する貫通孔が形成されておらず、さらに、第３情報記録カード３ｚの第２領域３ｈに於いて、第２情報記録カード３ｙの第２領域３ｈに形成された貫通孔３ｂに対応する貫通孔が形成されていないので、第１情報記録カード３ｘ、第２情報記録カード３ｙ、及び、第３情報記録カード３ｚを順に重ねた状態で、第１情報記録カード３ｘの第１領域３ｇ、及び、第２領域３ｈに形成された貫通孔３ｂ、そして、第２情報記録カード３ｙの第２領域３ｈに形成された貫通孔３ｂの形成位置に対応するタッチパネル９上の位置を押圧させないようにすることが出来る。
【０３７１】
また、本実施形態に係る情報取得システム１によれば、第２情報の出力処理を実行する場合、メモリ１２に第１情報の復号データが記録されており、さらに、該第１情報の復号データと第２情報の復号データが所定の関係を有する場合に、第２情報の出力処理を実行することが出来る。即ち、第２情報の出力処理に先立って、第１情報の出力処理を実行しなければならないので、第２情報の復号データを単独で用いることによって、第２情報の出力処理を実行することを制限することが出来る。さらに、メモリ１２に記憶された第１情報の復号データと、第２情報の復号データが所定の関係を有している場合に、第２情報の出力処理を実行できるので、第１情報記録カード３ｘと共に使用することの出来る第２情報記録カード３ｙを所定の情報記録カード３に制限することが出来る。
【０３７２】
また、本実施形態に係る情報取得システム１によれば、第３情報の出力処理を実行する場合、メモリ１２に第１情報、及び、第２情報の復号データが記憶されており、さらに、第３情報の復号データと、第１情報の復号データ、及び、第２情報の復号データが所定の関係を有する場合に、第３情報の出力処理を実行することが出来る。即ち、第３情報の出力処理に先立って、第１情報の出力処理、及び、第２情報の出力処理を実行しなければならないので、第３情報の復号データを単独で用いることによって、第３情報の出力処理を実行することを制限することが出来る。さらに、メモリ１２に記憶された第１情報の復号データ、及び、第２情報の復号データと、第３情報の復号データが所定の関係を有している場合に、第３情報の出力処理を実行出来るので、第１情報記録カード３ｘ、及び、第２情報記録カード３ｙと共に使用することの出来る第３情報記録カード３ｚを所定の情報記録カード３に制限することが出来る。
【０３７３】
また、本実施形態に係る情報取得システム１によれば、第１情報記録カード３ｘに形成された貫通孔３ｂ、第２情報記録カード３ｙに形成された突起部３ｍ、及び、第３情報記録カード３ｚに形成された突起部３ｍの形成位置に対応する位置の検出に際して、複数の押圧位置を同時に検出可能なタッチパネル９を検出装置として使用するので、効率良く押圧位置を検出することが出来る。
【０３７４】
また、この情報取得システム１によれば、開口部２２ａを有するカードホルダ２２を使用することによって、タッチパネル９上に、第１情報記録カード３ｘ、第２情報記録カード３ｙ、及び、第３情報記録カード３ｚを重ねて設置した場合に於いても、第３情報記録カード３ｚの表面３ｃを押圧することができ、また、重ねて設置された情報記録カード３の重なりにズレが生じて、情報記録カード３に形成された貫通孔３ｂ、若しくは、突起部３ｍの形成位置に対応するタッチパネル９上の位置が誤って検出されることを防止することが出来る。
【０３７５】
また、本実施形態に係る情報取得システム１によれば、貫通孔３ｂが形成された第１情報記録カード３ｘと、貫通孔３ｂと突起部３ｍが形成された第２情報記録カード３ｙと、突起部３ｍが形成された第３情報記録カード３ｚを使用することによって、貫通孔３ｂのみが形成されたカード、及び、突起部３ｍのみが形成された情報記録カード３を単独で使用する場合に比して、視覚的な単調さを排除することができ、ユーザの情報記録カード３に対する視覚的変化をもたらすことが出来る。
【０３７６】
また、本実施形態に係る情報取得システム１によれば、第１情報記録カード３ｘ、第２情報記録カード３ｙ、及び、第３情報記録カード３ｚを使用して情報取得処理を実行する際に、ユーザは第１情報記録カード３ｘに形成された貫通孔３ｂに第２情報記録カード３ｙに形成された突起部３ｍを貫通させ、さらに、第１情報記録カード３ｘ、及び、第２情報記録カード３ｙに形成された貫通孔３ｂに第３情報記録カード３ｚに形成された突起部３ｍを貫通させなければならないので、ユーザを情報記録カード３の情報取得処理に積極的に参加させることが出来る。
【０３７７】
また、本実施形態に係る情報取得システム１によれば、情報記録カード３の情報入力処理を実行する際に、第１情報記録カード３ｘに形成された貫通孔３ｂの形成位置の検出は、該貫通孔３ｂを介してタッチパネル９を押圧することによって実現され、第２情報記録カード３ｙに形成された貫通孔３ｂ、及び、突起部３ｍの形成位置の検出は、第２情報記録カード３ｙに形成された貫通孔３ｂを介してタッチパネル９を押圧し、突起部３ｍをタッチパネル９に押圧することによって実現され、第３情報記録カード３ｚに形成された突起部３ｍの検出は、突起部３ｍをタッチパネルに押圧することによって実現される。したがって、ユーザは複数の情報入力操作を実行することが可能となり、情報取得処理の単調さを排除することが出来る。
【０３７８】
[変形例]
第９実施形態に係る情報取得システム１に於ける第１情報記録カード３ｘは、第１領域３ｇに貫通孔３ｂが形成されていたが、該貫通孔３ｂの代わりに突起部３ｍが形成される構成としても良い。また、第１情報記録カード３ｘ上に第２情報記録カード３ｙを重ねた状態で、第１情報記録カード３ｘの第１領域３ｇに形成された突起部３ｍの形成位置に対応するタッチパネル９上の位置を押圧するためには、第２情報記録カード３ｙを表面３ｃ側から押圧すれば良い。また、第１情報記録カード３ｘ、第２情報記録カード３ｙ、及び、第３情報記録カード３ｚを順に重ねた状態で、第１情報記録カード３ｘの第１領域に形成された突起部３ｍの形成位置に対応するタッチパネル９上の位置を押圧するためには、第３情報記録カード３ｚを表面３ｃ側から押圧すれば良い。
【０３７９】
また、第９実施形態に係る情報取得システム１に於ける第２情報記録カード３ｙは、第２領域３ｈに突起部３ｍのみが形成されていたが、該第２領域３ｈに貫通孔３ｂと突起部３ｍの両方を形成しても良い。この場合、第１情報記録カード３ｘ上に第２情報記録カード３ｙを重ねた状態で、第２情報記録カード３ｙの第２領域３ｈに形成された貫通孔３ｂ、及び、突起部３ｍの形成位置に対応するタッチパネル９上の位置を検出するためには、第１情報記録カード３ｘと第２情報記録カード３ｙを通じて貫通する貫通孔３ｂを介してタッチパネル９上の位置を押圧すると共に、第２情報記録カード３ｙを表面３ｃ側から押圧すれば良い。さらに、この場合、第３情報記録カード３ｚの第２領域３ｈに於いて、第２情報記録カード３ｙの第２領域３ｈに形成された貫通孔３ｂに対応する位置に貫通孔３ｂを形成する。そして、第１情報記録カード３ｘ、第２情報記録カード３ｙ、及び、第３情報記録カード３ｚを順に重ねた状態で、第２情報記録カード３ｙの第２領域３ｈに形成された貫通孔３ｂ、及び、突起部３ｍを押圧するためには、これら３つの情報記録カード３を通じて貫通する第２領域３ｈに形成された貫通孔３ｂに対応するタッチパネル９上の位置を押圧すると共に、第３情報記録カード３ｚを表面３ｃ側から押圧すれば良い。
【０３８０】
また、第９実施形態に係る情報取得システム１に於ける第３情報記録カード３ｚは、第３領域３ｉに突起部３ｍのみが形成されていたが、該第３領域３ｉに貫通孔３ｂと突起部３ｍの両方を形成しても良い。この場合、第１情報記録カード３ｘ、第２情報記録カード３ｙ、及び、第３情報記録カード３ｚを順に重ねた状態で、第３情報記録カード３ｚの第３領域３ｉに形成された貫通孔３ｂ、及び、突起部３ｍを押圧するためには、これら３つの情報記録カード３を通じて貫通する第３領域３ｉに形成された貫通孔３ｂに対応するタッチパネル９上の位置を押圧すると共に、第３情報記録カード３ｚを表面３ｃ側から押圧すれば良い。
【０３８１】
（１０）第１０実施形態
[全体構成]
本実施形態に係る情報取得システム１の構成は、前述の第７実施形態に係る情報取得システム１の構成（図１参照）と同一であるので、ここでは説明を省略する。但し、情報記録カード３の構成に於いて相違点が見られるので、該相違点については後述する。
【０３８２】
[タッチパネルの構成]
本実施形態に係る情報取得システム１に於けるタッチパネルの構成は、前述の第７実施形態に係る情報取得システム１に於けるタッチパネル（図２６（ａ）乃至２６（ｂ）、及び、図２７（ａ）乃至２７（ｂ）参照）と同一であるので、ここでは説明を省略する。
【０３８３】
[情報記録カードの構成]
図３６（ａ）は、本実施形態に係る情報取得システム１に於ける第１情報記録カード３ｘに関する上面図であり、図３６（ｂ）は第１情報記録カード３ｘのＹ方向に関する断面図である。また、図３６（ｃ）は、本実施形態に係る情報取得システム１に於ける第２情報記録カード３ｙに関する上面図であり、図３６（ｄ）は第２情報記録カード３ｙのＹ方向に関する断面図である。さらに、図３６（ｅ）は、本実施形態に係る情報取得システム１に於ける第３情報記録カード３ｚに関する上面図であり、図３６（ｆ）は第３情報記録カード３ｚのＹ方向に関する断面図である。
【０３８４】
図３６（ａ）乃至３６（ｂ）に図示されているように、第１情報記録カード３ｘは略矩形のカードであり、カード本体である板状部３ａに、表面３ｃから裏面３ｄまで貫通する貫通孔３ｂが形成されている。なお、第１情報記録カード３ｘの表面３ｃ及び裏面３ｄに、図形、文字等を印刷しても良い。
【０３８５】
第１情報記録カード３ｘは、タッチパネル９と略同一の形状と大きさを有する符号化領域３ｅと、第１情報記録カード３ｘに符号化された情報内容を示す内容表示領域３ｆを有する。符号化領域３ｅは、第１領域３ｇ、第２領域３ｈ、及び、第３領域３ｉを備えており、これら３つの領域のそれぞれに於いて、少なくとも１つの貫通孔３ｂが形成されている。
【０３８６】
第１領域３ｇには、形成可能な最大数の貫通孔よりも少ない数の貫通孔３ｂが形成されている。そして、第１領域３ｇに形成された貫通孔３ｂの数及び形成位置によって、第１情報が符号化され、記録されている。また、第２領域３ｈ、及び、第３領域３ｉのそれぞれの領域には、形成可能な最大数の貫通孔３ｂが形成されている。なお、形成可能な貫通孔の最大数は、適宜変更出来るものとする。また、第１領域３ｇ、第２領域３ｈ、第３領域３ｉに於いて、貫通孔３ｂの数が形成可能な最大数である場合には、所定の情報が符号化されておらず、所謂ダミーの貫通孔として使用される。
【０３８７】
図３６（ｃ）乃至３６（ｄ）に図示されているように、第２情報記録カード３ｙは略矩形のカードであり、カード本体である板状部３ａに、表面３ｃから裏面３ｄまで貫通する貫通孔３ｂが形成されており、また、裏面３ｄ上に於いて、板状部３ａと略垂直に第１情報記録カード３ｘの厚さよりも長く、径の長さが第１情報記録カード３ｘに形成された貫通孔３ｂの径よりも小さな突起部３ｍを備えている。なお、第２情報記録カード３ｙの表面３ｃ及び裏面３ｄに図形、文字等を印刷しても良い。
【０３８８】
第２情報記録カード３ｙは、タッチパネル９と略同一の形状と大きさを有する符号化領域３ｅと、第２情報記録カード３ｙに符号化された情報内容を示す内容表示領域３ｆを有する。符号化領域３ｅは、第１領域３ｇ、第２領域３ｈ、及び、第３領域３ｉを備えている。
【０３８９】
第１領域３ｇには、形成可能な最大数の貫通孔３ｂが形成されている。第２領域３ｈには、形成可能な最大数の突起部よりも少ない数の突起部３ｍが形成されており、該突起部３ｍの数及び形成位置によって、第２情報が符号化され、記録されている。また、第３領域３ｉには、形成可能な最大数の貫通孔３ｂが形成されている。なお、第１領域３ｇに形成可能な貫通孔３ｂの最大数は、第１情報記録カード３ｘの第１領域３ｇに形成可能な貫通孔３ｂの最大数と同一である、また、第２領域３ｈに形成可能な突起部３ｍの最大数は、第１情報記録カード３ｘの第２領域３ｈに形成可能な貫通孔３ｂの最大数と同一である。また、第３領域３ｉに形成可能な貫通孔３ｂの最大数は、第１情報記録カード３ｘの第３領域３ｉに形成可能な貫通孔３ｂの最大数と同一である。また、形成可能な貫通孔３ｂの最大数は、適宜変更出来るものとし、形成可能な貫通孔３ｂの数が最大数である場合には、所定の情報が符号化されておらず、所謂ダミーの貫通孔として使用される。
【０３９０】
図３６（ｅ）乃至３６（ｆ）に図示されているように、第３情報記録カード３ｚは、略矩形のカードであり、カード本体である板状部３ａに、表面３ｃから裏面３ｄまで貫通する貫通孔３ｂが形成されており、また、裏面３ｄ上に於いて、板状部３ａと略垂直に第１情報記録カード３ｘ、及び、第２情報記録カード３ｙを重ねた厚さよりも長く、径の長さが、第１情報記録カード３ｘ、及び、第２情報記録カード３ｙに形成された貫通孔３ｂの径よりも小さな突起部３ｍを備えている。なお、第３情報記録カード３ｚの表面３ｃ及び裏面３ｄに図形、文字等を印刷しても良い。
【０３９１】
第３情報記録カード３ｚは、タッチパネル９と略同一の形状と大きさを有する符号化領域３ｅと、第３情報記録カード３ｚに符号化された情報内容を示す内容表示領域３ｆを有する。符号化領域３ｅは、第１領域３ｇ、第２領域３ｈ、及び、第３領域３ｉを備えている。
【０３９２】
第１領域３ｇには、形成可能な最大数の貫通孔３ｂが形成されている。第２領域３ｈには、貫通孔３ｂ、及び、突起部３ｍが形成されていない。第３領域３ｉには、形成可能な最大数の貫通孔よりも少ない数の突起部３ｍが形成されており、該突起部３ｍの数及び形成位置によって、第３情報が符号化され、記録されている。なお、第１領域３ｇに形成可能な貫通孔３ｂの最大数は、第１情報記録カード３ｘ、及び、第２情報記録カード３ｙの第１領域３ｇに形成可能な貫通孔３ｂの最大数と同一である。また、第３領域３ｉに形成可能な突起部３ｍの最大数は、第１情報記録カード３ｘ、及び、第２情報記録カード３ｙの第３領域３ｉに形成可能な貫通孔３ｂの最大数と同一である。形成可能な貫通孔の最大数は、適宜変更出来るものとし、貫通孔３ｂの数が形成可能な最大数である場合には、所定の情報が符号化されておらず、所謂ダミーの貫通孔として使用される。
【０３９３】
図３７（ａ）は、第１情報記録カード３ｘ上に第２情報記録カード３ｙを重ねた状態に於ける上面図であり、図３７（ｂ）は第１情報記録カード３ｘ上に第２情報記録カード３ｙを重ねた状態でのＹ方向の断面図である。また、図３７（ｃ）は、第１情報記録カード３ｘ、第２情報記録カード３ｙ、及び、第３情報記録カード３ｚを順に重ねた状態での上面図であり、図３７（ｄ）は、第１情報記録カード３ｘ、第２情報記録カード３ｙ、及び、第３情報記録カード３ｚを順に重ねた状態での断面図である。
【０３９４】
図３５（ａ）乃至３５（ｂ）に図示されているように、第１情報記録カード３ｘの表面３ｃと第２情報記録カード３ｙの裏面３ｄが接するようにして、第１情報記録カード３ｘ上に第２情報記録カード３ｙを重ねて設置した場合、第１情報記録カード３ｘの第１領域３ｇに形成された貫通孔３ｂは、第２情報記録カード３ｙの第１領域３ｇに形成された貫通孔３ｇを通じて貫通した状態となる。第１情報記録カード３ｘの第２領域３ｈに形成された貫通孔３ｂの一部は、第２情報記録カード３ｙの第２領域３ｈに形成された突起部３ｍによって貫通された状態となる。また、第２情報記録カード３ｙの第２領域３ｈには貫通孔３ｂが形成されていないので、第１情報記録カード３ｘの第２領域３ｈに形成された貫通孔３ｂは、第２情報記録カード３ｙの第１領域３ｇによって塞がれた状態となる。第１情報記録カード３ｘ、及び、第２情報記録カード３ｙの第３領域３ｉにそれぞれ形成された貫通孔３ｂは、形成可能な貫通孔の最大数であるので、２つの情報記録カード３を通じて、第３領域３ｉに形成された貫通孔３ｂはすべて貫通した状態となる。なお、図３７（ａ）に於ける円形斜線部で示された貫通孔３ｂ（重複部３ｋ）は、第１情報記録カード３ｘ、及び、第２情報記録カード３ｙを通じて貫通孔３ｂが表裏両面に貫通していない部分を示す。
【０３９５】
図３７（ｃ）乃至３７（ｄ）に図示されているように、第１情報記録カード３ｘ上に第２情報記録カード３ｙを重ねて設置し、さらに、第２情報記録カード３ｙの表面３ｃと、第３情報記録カード３ｚの裏面３ｄが接するようにして、第１情報記録カード３ｘ、第２情報記録カード３ｙ、及び、第３情報記録カード３ｚを順に重ねて設置した場合、第３情報記録カード３ｚの第３領域３ｉに形成された突起部３ｍが、第１情報記録カード３ｘ、及び、第２情報記録カード３ｙを通じて貫通する貫通孔３ｂの一部を貫通した状態となる。また、第３情報記録カード３ｚの第３領域３ｉには貫通孔３ｂが形成されていないので、第１情報記録カード３ｘ上に第２情報記録カード３ｙを重ねた状態で、２つの情報記録カード３の第３領域３ｉを貫通する貫通孔３ｂは、第３情報記録カード３ｚによって塞がれた状態となる。また、図３７（ｄ）に図示された状態では、第２情報記録カード３ｙに形成された突起部３ｍが第１情報記録カード３ｘに形成された貫通孔３ｂを介して貫通し、突き出た部分の長さが、第３情報記録カード３ｚに形成された突起部３ｍが第１情報記録カード３ｘ、及び、第２情報記録カード３ｙに形成された貫通孔３ｂを介して貫通し、突き出た部分の長さと略同一になっている。なお、図３７（ｃ）に於ける円形斜線部で示された貫通孔３ｂ（重複部３ｋ）は、第１情報記録カード３ｘ、第２情報記録カード３ｙ、及び、第３情報記録カード３ｚを通じて貫通孔３ｂが表裏両面に貫通していない部分を示す。
【０３９６】
なお、情報記録カード３に形成された貫通孔３ｂの断面形状（情報記録カード３の表面３ｃから見た形状）は、円形に限らず、その他の形状であっても良い。また、該貫通孔３ｂの断面形状が円形以外の形状の場合には、突起部３ｍの形状は、該円形以外の形状を有する貫通孔３ｂを貫通可能な形状に適宜変更出来るものとする。  
【０３９７】
[情報記録カード設置方法]  
本施形態に係る情報取得システム１に於ける情報記録カード３の設置方法は、前述の第７実施形態に係る情報取得システム１に於ける情報記録カード３の設置方法と同一であるので、ここでは説明を省略する。但し、本実施形態に於いては、カードホルダ２２に形成された開口部２２ａは、第１情報記録カード３ｘ、第２情報記録カード３ｙ、及び、第３情報記録カード３ｚを重ねた状態で、これら３つの情報記録カード３の設置位置を固定するものとする。
【０３９８】
[情報取得方法]
図１５は本実施形態に係る情報取得方法に関するフローチャートであり、図７、図１２、及び、図１９は、図１５に図示された一部の処理に関するサブルーチンである。本実施形態に係る情報取得方法に関する処理は、電子機器２のＣＰＵ１６が、メモリ１２に記憶されている情報取得プログラムを実行することによって機能する。なお、該情報取得プログラムは、記録媒体１３ａに記憶されている場合もあり、通信ユニット１５によってネットワーク上から取得される場合もある。
【０３９９】
図１５、図７、図１２、及び、図１９のフローチャートは、前述の第４実施形態に係る情報取得方法に関するフローチャートと略同一である。しかし、第４実施形態に係る情報取得システム１に於けるタッチパネル９は、同時に複数の押圧位置を検出することが出来ないが、本実施形態に係る情報取得システム１に於けるタッチパネル９は、同時に複数の押圧位置を検出することが出来る点で異なっている。また、第４実施形態に係る情報取得システム１に於ける第２情報記録カード３ｙ、及び、第３情報記録カード３ｚは、突起部３ｍが形成されていないが、本実施形態に係る情報取得システム１に於ける第２情報記録カード３ｙ及び第３情報記録カード３ｚは、突起部３ｍが形成されている点で異なっている。したがって、これらの相違点により、本実施形態に係る情報取得方法は、図１５に図示された、第２情報記録カード３ｙに符号化された第２情報の情報取得モードに関するステップＳ３１２、及び、第３情報記録カード３ｚに符号化された第３情報の情報取得モードに関するステップＳ３１３に於いて、第４実施形態に係る情報取得方法と若干異なる。
【０４００】
なお、貫通孔３ｂを介してタッチパネル９が押圧された場合の押圧位置の検出処理と、突起部３ｍによってタッチパネル９が押圧された場合の押圧位置の検出処理によって、貫通孔３ｂと突起部３ｍの両方が形成された情報記録カード３に符号化された情報を復号化する処理については、前述の第７実施形態、及び、第８実施形態の説明の通りであるので、ここではステップＳ３１２、及び、ステップＳ３１３のサブルーチンに関する説明を省略する。
【０４０１】
[作用効果]
本実施形態に係る情報取得システム１によれば、第１情報記録カード３ｘ上に第２情報記録カード３ｙを重ねた場合、第２情報記録カード３ｙの第２領域３ｈに形成された突起部３ｍが第１情報記録カード３ｘの第２領域３ｈに形成された貫通孔３ｂの何れかに一致するので、これら２つの情報記録カード３を重ねた状態で、第２情報記録カード３ｙを表面３ｃ側から押圧した場合、第２情報記録カード３ｙの第２領域３ｈに形成された突起部３ｍの形成位置に対応するタッチパネル９上の位置を押圧することが可能である。
【０４０２】
また、この情報取得システム１によれば、第２情報記録カード３ｙの第１領域３ｇに於いて、第１情報記録カード３ｘの第１領域３ｇに形成された貫通孔３ｂに対応する貫通孔３ｂが形成されているので、第１情報記録カード３ｘ上に第２情報記録カード３ｙを重ねた状態で、第１情報記録カード３ｘの第１領域３ｇに形成された貫通孔３ｂの形成位置に対応するタッチパネル９上の位置を押圧することが可能である。
【０４０３】
また、本実施形態に係る情報取得システム１によれば、第１情報記録カード３ｘ上に第２情報記録カード３ｙを重ねて設置し、さらに、第３情報記録カード３ｚを重ねた場合、第３情報記録カード３ｚの第３領域３ｉに形成された突起部３ｍが、第１情報記録カード３ｘ、及び、第２情報記録カード３ｙの第３領域３ｉに形成された貫通孔３ｂの何れかに一致する、即ち、第３情報記録カード３ｚの第３領域３ｉに形成された突起部３ｍが、第１情報記録カード３ｘ、及び、第２情報記録カード３ｙに形成された貫通孔３ｂを貫通した状態となるので、これら３つの情報記録カード３を重ねた状態で、第３情報記録カード３ｚの第３領域３ｉに形成された突起部３ｍの形成位置に対応するタッチパネル９上の位置を押圧することが可能である。
【０４０４】
また、本実施形態に係る情報取得システム１によれば、第３情報記録カード３ｚの第１領域３ｇに於いて、第１情報記録カード３ｘ、及び、第２情報記録カード３ｙの第１領域３ｇに形成された貫通孔３ｂに対応する貫通孔３ｂが形成されているので、第１情報記録カード３ｘ、第２情報記録カード３ｙ、及び、第３情報記録カード３ｚを順に重ねた状態で、第１情報記録カード３ｘの第１領域３ｇに形成された貫通孔３ｂの形成位置に対応するタッチパネル９上の位置を押圧することが可能である。
【０４０５】
また、本実施形態に係る情報取得システム１によれば、第２情報の出力処理を実行する場合、メモリ１２に第１情報の復号データが記録されており、さらに、押圧位置総合座標データに基づいて形成された復号データに、第１情報と第２情報の両方が含まれている場合に、第２情報の出力処理を実行することが出来る。即ち、第２情報の出力処理に先立って、第１情報の出力処理を実行しなければならないので、第２情報記録カード３ｙのみを用いて第２情報の出力処理を実行することを制限することが出来る。さらに、復号データに第１情報の復号データと第２情報の復号データの両方が含まれている場合に、第２情報の出力処理を実行するので、第１情報記録カード３ｘ上に第２情報記録カード３ｙを重ねて設置して情報取得処理を実行した場合にのみ、第２情報の出力処理を実行するという制限を加えることが出来る。
【０４０６】
また、本実施形態に係る情報取得システム１によれば、第３情報の出力処理を実行する場合、メモリ１２に第１情報、及び、第２情報の復号データが記録されており、さらに、押圧位置総合座標データに基づいて形成された復号データに、第１情報、第２情報、及び、第３情報が含まれている場合に、第３情報の出力処理を実行することが出来る。即ち、第３情報の出力処理に先立って、第１情報、及び、第２情報の出力処理を実行しなければならないので、第３情報記録カード３ｚのみを用いて第３情報の出力処理を実行することを制限することが出来る。さらに、復号データに第１情報、第２情報、及び、第３情報が含まれている場合に、第３情報の出力処理を実行するので、第１情報記録カード３ｘ上に第２情報記録カード３ｙを重ねて設置し、さらに、第３情報記録カード３ｚを重ねて設置して出力処理を実行した場合にのみ、第３情報を出力することが出来るという制限を加えることが出来る。
【０４０７】
また、本実施形態に係る情報取得システム１によれば、第１情報記録カード３ｘに形成された貫通孔３ｂ、第２情報記録カード３ｙに形成された突起部３ｍ、及び、第３情報記録カード３ｚに形成された突起部３ｍの形成位置に対応する位置の検出に際して、複数の押圧位置を同時に検出可能なタッチパネル９を検出装置として使用するので、効率良く押圧位置を検出することが出来る。
【０４０８】
また、本実施形態に係る情報取得システム１によれば、開口部２２ａを有するカードホルダ２２を使用することによって、タッチパネル９上に、第１情報記録カード３ｘ、第２情報記録カード３ｙ、及び、第３情報記録カード３ｚを重ねて設置した場合に於いても、第３情報記録カード３ｚの表面３ｃを押圧することができ、また、重ねて設置された情報記録カード３の重なりにズレが生じて、情報記録カード３に形成された貫通孔３ｂ、若しくは、突起部３ｍの形成位置に対応するタッチパネル９上の位置が誤って検出されることを防止することが出来る。
【０４０９】
また、本実施形態に係る情報取得システム１によれば、貫通孔３ｂが形成された第１情報記録カード３ｘと、貫通孔３ｂと突起部３ｍが形成された第２情報記録カード３ｙ、及び、第３情報記録カード３ｚを使用することによって、貫通孔３ｂのみが形成された情報記録カード３、及び、突起部３ｍのみが形成された情報記録カード３を単独で使用する場合に比して、視覚的な単調さを排除することができ、ユーザの情報記録カード３に対する視覚的変化をもたらすことが出来る。
【０４１０】
また、本実施形態に係る情報取得システム１によれば、第１情報記録カード３ｘ、第２情報記録カード３ｙ、第３情報記録カード３ｚを使用して情報取得処理を実行する際に、ユーザは第１情報記録カード３ｘに形成された貫通孔３ｂに第２情報記録カード３ｙに形成された突起部３ｍを貫通させ、さらに、第１情報記録カード３ｘ、及び、第２情報記録カード３ｙに形成された貫通孔３ｂに第３情報記録カード３ｚに形成された突起部３ｍを貫通させなければならないので、ユーザを情報記録カード３の情報取得処理に積極的に参加させることが出来る。
【０４１１】
また、本実施形態に係る情報取得システム１によれば、情報記録カード３の情報入力処理を実行する際に、第１情報記録カード３ｘに形成された貫通孔３ｂの形成位置の検出は、該貫通孔３ｂを介してタッチパネル９を押圧することによって実現され、第２情報記録カード３ｙ、若しくは、第３情報記録カード３ｚに形成された貫通孔３ｂ、及び、突起部３ｍの形成位置の検出は、第２情報記録カード３ｙ、若しくは、第３情報記録カード３ｚに形成された貫通孔３ｂを介してタッチパネル９を押圧し、突起部３ｍをタッチパネル９に押圧することによって実現される。したがって、ユーザは複数の情報入力操作を実行することが可能となり、情報取得処理の単調さを排除することが出来る。
【０４１２】
[変形例]
第１０実施形態に係る情報取得システム１に於ける第１情報記録カード３ｘは、第１領域３ｇに貫通孔３ｂが形成されていたが、該貫通孔３ｂの代わりに突起部３ｍが形成される構成としても良い。この場合、第２情報記録カード３ｙの第１領域３ｇ、及び、第３情報記録カード３ｚの第１領域３ｇには、貫通孔３ｂを形成しなくても良い。また、第１情報記録カード３ｘ上に第２情報記録カード３ｙを重ねた状態で、第１情報記録カード３ｘの第１領域３ｇに形成された突起部３ｍの形成位置に対応するタッチパネル９上の位置を押圧するためには、第２情報記録カード３ｙを表面３ｃ側から押圧すれば良い。また、第１情報記録カード３ｘ、第２情報記録カード３ｙ、及び、第３情報記録カード３ｚを順に重ねた状態で、第１情報記録カード３ｘの第１領域に形成された突起部３ｍの形成位置に対応するタッチパネル９上の位置を押圧するためには、第３情報記録カード３ｚを表面３ｃ側から押圧すれば良い。
【０４１３】
また、第１０実施形態に係る情報取得システム１に於ける第２情報記録カード３ｙは、第２領域３ｈに突起部３ｍのみが形成されていたが、該第２領域３ｈに貫通孔３ｂと突起部３ｍの両方を形成しても良い。この場合、第１情報記録カード３ｘ上に第２情報記録カード３ｙを重ねた状態で、第２情報記録カード３ｙの第２領域３ｈに形成された貫通孔３ｂ、及び、突起部３ｍの形成位置に対応するタッチパネル９上の位置を検出するためには、第１情報記録カード３ｘと第２情報記録カード３ｙを通じて貫通する貫通孔３ｂを介してタッチパネル９上の位置を押圧すると共に、第２情報記録カード３ｙを表面３ｃ側から押圧すれば良い。さらに、この場合、第３情報記録カード３ｚの第２領域３ｈに於いて、第２情報記録カード３ｙの第２領域３ｈに形成された貫通孔３ｂに対応する位置に貫通孔３ｂを形成する。そして、第１情報記録カード３ｘ、第２情報記録カード３ｙ、及び、第３情報記録カード３ｚを順に重ねた状態で、第２情報記録カード３ｙの第２領域３ｈに形成された貫通孔３ｂ、及び、突起部３ｍを押圧するためには、これら３つの情報記録カード３を通じて貫通する第２領域３ｈに形成された貫通孔３ｂに対応するタッチパネル９上の位置を押圧すると共に、第３情報記録カード３ｚを表面３ｃ側から押圧すれば良い。
【０４１４】
また、第１０実施形態に係る情報取得システム１に於ける第３情報記録カード３ｚは、第３領域３ｉに突起部３ｍのみが形成されていたが、該第３領域３ｉに貫通孔３ｂと突起部３ｍの両方を形成しても良い。この場合、第１情報記録カード３ｘ、第２情報記録カード３ｙ、及び、第３情報記録カード３ｚを順に重ねた状態で、第３情報記録カード３ｚの第３領域３ｉに形成された貫通孔３ｂ、及び、突起部３ｍを押圧するためには、これら３つの情報記録カード３を通じて貫通する第３領域３ｉに形成された貫通孔３ｂに対応するタッチパネル９上の位置を押圧すると共に、第３情報記録カード３ｚを表面３ｃ側から押圧すれば良い。
【図面の簡単な説明】
【０４１５】
【図１】第１実施形態に係る情報取得システム１に関する概略構成図。
【図２】第１実施形態に係る情報取得システム１に於けるタッチパネル９の模式図、及び、斜視図。
【図３】第１実施形態に係る情報取得システム１に於ける第１情報記録カード３ｘ、及び、第２情報記録カード３ｙに関する上面図及び断面図。
【図４】第１実施形態に係る情報取得システム１に於ける第１情報記録カード３ｘ上に第２情報記録カード３ｙを重ねた状態での上面図及び断面図。
【図５】第１実施形態に係る情報取得システム１に於ける電子機器２の開閉状態を示す図、及び、電子機器２にカードホルダ２２を設置した状態での概略図。
【図６】第１実施形態に係る情報取得方法に関するフローチャート。
【図７】第１実施形態に係る情報取得方法に関するフローチャートに於けるステップＳ１０３のサブルーチン。
【図８】第１実施形態に係る情報取得方法に於けるタッチパネル９上の押圧位置を示す図、タッチパネル９上の押圧位置に対応する座標、押圧位置座標データ、及び押圧位置総合座標データ。
【図９】第１実施形態に係る情報取得方法に関するフローチャートに於けるステップＳ１１１のサブルーチン。
【図１０】第２実施形態に係る情報取得システム１に於ける第１情報記録カード３ｘ、及び、第２情報記録カード３ｙに関する上面図及び断面図。
【図１１】第２実施形態に係る情報取得システム１に於ける第１情報記録カード３ｘ上に第２情報記録カード３ｙを重ねた状態での上面図及び断面図。
【図１２】第２実施形態に係る情報取得方法に関するフローチャートに於けるステップＳ１１１のサブルーチン。
【図１３】第３実施形態に係る情報取得システム１に於ける第１情報記録カード３ｘ、第２情報記録カード３ｙ、及び、第３情報記録カード３ｚに関する上面図及び断面図。
【図１４】第３実施形態に係る情報取得システム１に於ける第１情報記録カード３ｘ上に第２情報記録カード３ｙを重ねた状態での上面図及び断面図、及び、第１情報記録カード３ｘ、第２情報記録カード３ｙ、及び、第３情報記録カード３ｚを順に重ねた状態での上面図及び断面図。
【図１５】第３実施形態に係る情報取得方法に関するフローチャート。
【図１６】第３実施形態に係る情報取得方法に関するフローチャートに於けるステップＳ３１３のサブルーチン。
【図１７】第４実施形態に係る情報取得システム１に於ける第１情報記録カード３ｘ、第２情報記録カード３ｙ、及び、第３情報記録カード３ｚに関する上面図及び断面図。
【図１８】第４実施形態に係る情報取得システム１に於ける第１情報記録カード３ｘ上に第２情報記録カード３ｙを重ねた状態での上面図及び断面図、及び、第１情報記録カード３ｘ、第２情報記録カード３ｙ、及び、第３情報記録カード３ｚを順に重ねた状態での上面図及び断面図。
【図１９】第４実施形態に係る情報取得方法に関するフローチャートに於けるステップＳ３１３のサブルーチン。
【図２０】第５実施形態に係る情報取得システム１に関する概略構成図。
【図２１】第５実施形態に係る情報取得システム１に於ける光感知パネル１７の模式図、及び、電子機器２の上部筐体２ａ及び下部筐体２ｂによって情報記録カード３を挟設した状態での断面図。
【図２２】第５実施形態に係る情報取得方法に関するフローチャートの貫通孔の座標検出ステップに関するサブルーチン。
【図２３】第６実施形態に係る情報取得システム１に関する概略構成図。
【図２４】第６実施形態に係る情報取得システム１に関する走査部１９の概略構成図、及び、走査部１９による反射光の検出方法を示す図。
【図２５】第６実施形態に係る情報取得方法に関するフローチャートの貫通孔の座標検出ステップに関するサブルーチン。
【図２６】第７実施形態に係る情報取得システム１に於けるタッチパネル９の模式図及び断面図。
【図２７】第７実施形態に係る情報取得システム１に於けるその他のタッチパネル９の模式図。
【図２８】第７実施形態に係る情報取得システム１に於ける第１情報記録カード３ｘ、及び、第２情報記録カード３ｙの上面図及び断面図。
【図２９】第７実施形態に係る情報取得システム１に於ける第１情報取得カード３ｘ上に第２情報記録カード３ｙを重ねた状態での上面図及び断面図。
【図３０】第７実施形態に係る情報取得システム１に於ける電子機器２の開閉状態を示す図、及び、電子機器２にカードホルダ２２を設置した状態での概略図。
【図３１】第７実施形態に係る情報取得システム１に於けるタッチパネル９上の押圧位置を示す図、タッチパネル９上の押圧位置に対応する座標、及び、押圧位置座標データ。
【図３２】第８実施形態に係る情報取得システム１に於ける第１情報記録カード３ｘ、及び、第２情報記録カード３ｙの上面図及び断面図。
【図３３】第８実施形態に係る情報取得システム１に於ける第１情報取得カード３ｘ上に第２情報記録カード３ｙを重ねた状態での上面図及び断面図。
【図３４】第９実施形態に係る情報取得システム１に於ける第１情報記録カード３ｘ、第２情報記録カード３ｙ、及び、第３情報記録カード３ｚに関する上面図及び断面図。
【図３５】第９実施形態に係る情報取得システム１に於ける第１情報記録カード３ｘ上に第２情報記録カード３ｙを重ねた状態での上面図及び断面図、及び、第１情報記録カード３ｘ、第２情報記録カード３ｙ、及び、第３情報記録カード３ｚを順に重ねた状態での上面図及び断面図。
【図３６】第１０実施形態に係る情報取得システム１に於ける第１情報記録カード３ｘ、第２情報記録カード３ｙ、及び、第３情報記録カード３ｚに関する上面図及び断面図。
【図３７】第１０実施形態に係る情報取得システム１に於ける第１情報記録カード３ｘ上に第２情報記録カード３ｙを重ねた状態での上面図及び断面図、及び、第１情報記録カード３ｘ、第２情報記録カード３ｙ、及び、第３情報記録カード３ｚを順に重ねた状態での上面図及び断面図。
【符号の説明】
【０４１６】
１      情報取得システム
２      電子機器
２ａ    上部筐体
２ｂ    下部筐体      
３      情報記録カード
３ａ    板状部
３ｂ    貫通孔
３ｃ    表面
３ｄ    裏面
３ｅ    符号化領域
３ｆ    内容表示領域
３ｇ    第１領域
３ｈ    第２領域
３ｉ    第３領域
３ｋ    重複部
３ｍ    突起部
３ｘ    第１情報記録カード
３ｙ    第２情報記録カード
３ｚ    第３情報記録カード
４      入力補助具
５      電源部    
６      操作キー    
７      第１表示部    
８      第２表示部    
９      タッチパネル    
９ａ    フィルム
９ｂ    ＩＴＯ
９ｃ    絶縁層
９ｄ    ＦＰＣ
９ｅ    ドットスペーサ
９ｆ    ガラス
９ｇ    引き出し線
１０    スピーカ  
１１    マイク  
１２    メモリ  
１３    インターフェイス
１３ａ  記憶媒体  
１４    リアルタイムクロック  
１５    通信ユニット  
１６    ＣＰＵ    
１７    光感知パネル
１７ａ  受光センサ回路
１８    開閉センサ
１９    走査部  
２０    フィルム
２１    走査ユニット
２１ａ  発光手段  
２１ｂ  ロッドアイレンズ
２１ｃ  ラインセンサ
２２    カードホルダ
２２ａ  開口部
【図１】
2006277051.tif 000003
【図２】
2006277051.tif 000004
【図３】
2006277051.tif 000005
【図４】
2006277051.tif 000006
【図５】
2006277051.tif 000007
【図６】
2006277051.tif 000008
【図７】
2006277051.tif 000009
【図８】
2006277051.tif 000010
【図９】
2006277051.tif 000011
【図１０】
2006277051.tif 000012
【図１１】
2006277051.tif 000013
【図１２】
2006277051.tif 000014
【図１３】
2006277051.tif 000015
【図１４】
2006277051.tif 000016
【図１５】
2006277051.tif 000017
【図１６】
2006277051.tif 000018
【図１７】
2006277051.tif 000019
【図１８】
2006277051.tif 000020
【図１９】
2006277051.tif 000021
【図２０】
2006277051.tif 000022
【図２１】
2006277051.tif 000023
【図２２】
2006277051.tif 000024
【図２３】
2006277051.tif 000025
【図２４】
2006277051.tif 000026
【図２５】
2006277051.tif 000027
【図２６】
2006277051.tif 000028
【図２７】
2006277051.tif 000029
【図２８】
2006277051.tif 000030
【図２９】
2006277051.tif 000031
【図３０】
2006277051.tif 000032
【図３１】
2006277051.tif 000033
【図３２】
2006277051.tif 000034
【図３３】
2006277051.tif 000035
【図３４】
2006277051.tif 000036
【図３５】
2006277051.tif 000037
【図３６】
2006277051.tif 000038
【図３７】
2006277051.tif 000039